(57)【要約】  検体データ及び／または健康情報のグラフィック表示を生成するためのシステム及び方法が開示される。いくつかの実装では、グラフィック表示は、データの識別された部分に基づいて修正可能である自己参照データセットに基づいて生成される。修正されたグラフィック表示は、受容体の検体データの特徴を示すことができる。
2019532682.tif 000002
【特許請求の範囲】
【請求項１】
システムであって、
受容体の検体測定値を得るように構成された連続的検体センサと、
前記連続的検体センサから前記検体測定値を受信することと、前記検体測定値を少なくとも部分的に処理して、検体データの１つ以上のデータセットを生成することと、を行うように構成された無線送信器であって、各データセットが、前記検体測定値のうちの１つ以上に対する時間と関連付けられた検体濃度値を含み、前記無線送信器が、エネルギー保存ユニット、データ変換器ユニット、処理ユニット、及び送信器ユニットを備える、無線送信器と、
前記無線送信器と無線通信するモバイルコンピューティングデバイス上で動作可能な検体データ処理モジュールであって、前記検体データ処理モジュールが、前記無線送信器からの前記１つ以上のデータセットを受信及び処理して、前記モバイルコンピューティングデバイス上にグラフィック表示を生成するように構成されており、前記グラフィック表示が、検体データにおける１つ以上のパターンを示すようにグラフィック的に修正された複数の時間間隔にわたる前記検体濃度値の配列を含む、検体データ処理モジュールと、を備える、システム。
【請求項２】
前記検体データ処理モジュールが、
検体データ群を集約することと、
１つ以上のグラフィック表示に対応する追加情報に基づいて、前記検体データ群にフラグを立てることと、
検体濃度値のフラグを立てた群を配列させることと、
検体濃度値の配列された群から自己参照データセットを生成することと、を行うように、さらに構成されている、請求項１に記載のシステム。
【請求項３】
前記自己参照データセットの生成が、
前記受容体における検体の１つ以上の高い閾値及び低い閾値に基づいて、前記検体データにフラグを立てることと、
前記検体データの統計分析を実行することに基づいて、前記検体データにフラグを立てることと、
前記検体データが得られたときと関連するコンテキストデータに基づいて、前記検体データにフラグを立てることと、のうちの１つ以上をさらに含む、請求項２に記載のシステム。
【請求項４】
コンテキストデータが、検体データが得られた１つ以上の物理的位置、前記受容体と前記物理的位置との間の関係、前記物理的位置を訪れる頻度、摂取した食事、運動の種類及び強度、投与されたインスリンの種類及び量、ならびに前記検体データが得られたときに前記受容体が睡眠中または覚醒中である可能性を示すデータを含む、請求項３に記載のシステム。
【請求項５】
前記検体データ処理モジュールが、
ユーザの所望のグラフィック表示を含む前記ユーザの入力を受信することと、
表示構成データを受信することと、
前記自己参照データセットが前記所望のグラフィック表示を形成するためのデータを含まないときに、前記自己参照データセットを再生成することと、
前記ユーザの入力及び前記表示構成データに基づいて、前記自己参照データセットを再フォーマットすることと、によって、前記モバイルコンピューティングデバイス上にグラフィック表示を生成するようにさらに構成されている、請求項２〜４のいずれかに記載のシステム。
【請求項６】
前記検体データ処理モジュールが、
閾値フラグについて前記自己参照データセットを走査し、閾値フラグに基づいて、前記グラフィック表示を修正することと、
統計分析フラグについて前記自己参照データセットを走査し、統計分析フラグに基づいて、前記グラフィック表示を修正することと、
検体のコンテキストデータフラグについて前記自己参照データセットを走査し、コンテキストデータフラグに基づいて、前記グラフィック表示を修正することと、によって、前記グラフィック表示を修正するようにさらに構成されている、請求項２〜５のいずれかに記載のシステム。
【請求項７】
前記グラフィック表示を修正することが、色、色もしくは陰影の勾配、透明度、不透明度、緩衝領域、グラフィックアイコン、矢印、アニメーション、テキスト、数字、または段階的フェーディングのうちの１つ以上を導入もしくは使用することを含む、請求項２〜６のいずれかに記載のシステム。
【請求項８】
前記配列が、前記検体濃度値が第１の時間スケールに従って第１の方向に沿って、かつ第２の時間スケールに従って第２の方向に沿って位置付けられている前記検体濃度値の、空間時間的編成を含み、前記検体濃度値の検体レベルが、前記検体レベルの大きさに基づいて、形状、色、陰影、またはサイズのうちの１つ以上によって構成される、請求項１に記載のシステム。
【請求項９】
前記第１の方向及び前記第２の方向が、直線方向である、請求項８に記載のシステム。
【請求項１０】
前記第１の方向が、湾曲方向であり、前記第２の方向が、径方向である、請求項８に記載のシステム。
【請求項１１】
前記第１の時間スケールが、毎時であり、前記第２の時間スケールが、毎日である、請求項８〜１０のいずれかに記載のシステム。
【請求項１２】
前記第１の時間スケールが、毎時であり、前記第２の時間スケールが、毎日であり、グラフィック修正が、より高い検体レベルが前記グラフィック表示の外側湾曲領域により近く、より低い検体レベルが前記グラフィック表示の内側湾曲領域により近いか、またはその逆であるように、前記グラフィック表示上に重ねられた検体レベルトレースを含む、請求項８に記載のシステム。
【請求項１３】
前記より高い検体レベルが、第１の色であり、前記より低い検体レベルが、第２の色であり、前記より高い検体レベルと前記より低い検体レベルとの間の検体レベルが、第３の色である、請求項１２に記載のシステム。
【請求項１４】
前記検体レベルトレースが、毎日の検体濃度値の平均検体レベルを含む、請求項１２に記載のシステム。
【請求項１５】
前記検体レベルトレースが、毎時の時間スケールにわたる現在の検体レベルを含む、請求項１２に記載のシステム。
【請求項１６】
前記グラフィック表示の前記修正が、色のクラスタリング、色もしくは陰影の勾配、領域の整列、または重複領域のより明るいもしくはより暗い陰影を表示して、前記複数の時間間隔にわたって前記検体濃度値の前記配列を修正することを含む、請求項１に記載のシステム。
【請求項１７】
前記１つ以上のパターンが、前記受容体についての高検体レベル閾値及び低検体レベル閾値に関する前記検体濃度値を示す、請求項１に記載のシステム。
【請求項１８】
前記複数の時間間隔が、７日間にわたる２４時間の期間を含む、請求項１に記載のシステム。
【請求項１９】
前記グラフィック表示が、７日間にわたる２４時間の期間にわたってプロットされた等尺性グラフを含む、請求項１に記載のシステム。
【請求項２０】
前記等尺性グラフが、３次元図で表示可能である、請求項１９に記載のシステム。
【請求項２１】
前記グラフィック表示が、同心リングを含む、請求項１に記載のシステム。
【請求項２２】
前記グラフィック表示が、扇形のグラフを含む、請求項１に記載のシステム。
【請求項２３】
前記グラフィック表示が、１つ以上の折れ線グラフを含む、請求項１に記載のシステム。 
【請求項２４】
コンピュータによって実行される方法であって、
モバイルコンピューティングデバイスにおいて、連続的検体センサデバイスから得られた検体データを受信することであって、前記検体データが、時間の測定に各々関連する検体濃度値を含む、前記受信することと、
前記モバイルコンピューティングデバイスにおいて前記検体データを処理して、複数の時間間隔にわたる前記検体濃度値の配列を生成することと、
前記検体濃度値の前記配列のグラフィックを生成することと、
前記検体データにおける１つ以上のパターンを示すように前記グラフィックを修正することと、
前記モバイルコンピューティングデバイスにおいて、前記修正されたグラフィックを表示することと、を含む、方法。
【請求項２５】
前記処理することが、
検体データ群を集約することと、
１つ以上のグラフィック表示に対応する追加情報に基づいて、前記検体データ群にフラグを立てることと、
検体濃度値のフラグを立てた群を配列させることと、
検体濃度値の配列された群から自己参照データセットを生成することと、をさらに含む、請求項２４に記載の方法。
【請求項２６】
前記自己参照データセットを生成することが、
受容体内の検体の１つ以上の高い閾値及び低い閾値に基づいて、前記検体データにフラグを立てることと、
前記検体データの統計分析を実行することに基づいて、前記検体データにフラグを立てることと、
前記検体データが得られたときと関連するコンテキストデータに基づいて、前記検体データにフラグを立てることと、のうちの１つ以上をさらに含む、請求項２５に記載の方法。
【請求項２７】
コンテキストデータが、検体データが得られた１つ以上の物理的位置、前記受容体と前記物理的位置との間の関係、前記物理的位置を訪れる頻度、摂取した食事、運動の種類及び強度、投与されたインスリンの種類及び量、ならびに前記検体データが得られたときに前記受容体が睡眠中もしくは覚醒中である可能性を示すデータを含む、請求項２６に記載の方法。
【請求項２８】
前記検体濃度値の前記配列のグラフィックを生成することが、
ユーザの所望のグラフィック表示を含む前記ユーザの入力を受信することと、
表示構成データを受信することと、
前記自己参照データセットが前記所望のグラフィック表示を形成するためのデータを含まないときに、前記自己参照データセットを再生成することと、
前記ユーザの入力及び前記表示構成データに基づいて、前記自己参照データセットを再フォーマットすることと、をさらに含む、請求項２５〜２７のいずれかに記載の方法。
【請求項２９】
前記検体データにおける１つ以上のパターンを示すように前記グラフィックを修正することが、
閾値フラグについて前記自己参照データセットを走査し、閾値フラグに基づいて、前記グラフィックを修正することと、
統計分析フラグについて前記自己参照データセットを走査し、統計分析フラグに基づいて、前記グラフィックを修正することと、
検体のコンテキストデータフラグについて前記自己参照データセットを走査し、コンテキストデータフラグに基づいて、前記グラフィックを修正することと、を含む、請求項２５〜２８のいずれかに記載の方法。
【請求項３０】
前記グラフィックを修正することが、色、色もしくは陰影の勾配、透明度、不透明度、緩衝領域、グラフィックアイコン、矢印、アニメーション、テキスト、数字、または段階的フェーディングのうちの１つ以上を導入もしくは使用することを含む、請求項２４〜２９のいずれかに記載の方法。
【請求項３１】
前記配列が、前記検体濃度値が第１の時間スケールに従って第１の方向に沿って、かつ第２の時間スケールに従って第２の方向に沿って位置付けられる、前記検体濃度値の空間時間的編成を含み、前記検体濃度値の検体レベルが、前記検体レベルの大きさに基づいて、形状、色、陰影、またはサイズのうちの１つ以上によって構成される、請求項２４に記載の方法。
【請求項３２】
前記第１の方向及び前記第２の方向が、直線方向である、請求項３１に記載の方法。
【請求項３３】
前記第１の方向が、湾曲方向であり、前記第２の方向が、径方向である、請求項３１に記載の方法。
【請求項３４】
前記第１の時間スケールが、毎時であり、前記第２の時間スケールが、毎日である、請求項３１〜３３のいずれかに記載の方法。
【請求項３５】
前記第１の時間スケールが、毎時であり、前記第２の時間スケールが、毎日であり、前記修正されたグラフィックが、より高い検体レベルが前記グラフィックの外側湾曲領域により近く、より低い検体レベルが前記グラフィックの内側湾曲領域により近いか、またはその逆であるように、前記修正されたグラフィック上に重ねられた検体レベルトレースを含む、請求項３１に記載の方法。
【請求項３６】
前記より高い検体レベルが、第１の色であり、前記より低い検体レベルが、第２の色であり、前記より高い検体レベルと前記より低い検体レベルとの間の検体レベルが、第３の色である、請求項３５に記載の方法。
【請求項３７】
前記検体レベルトレースが、１日の検体濃度値の平均検体レベルを含む、請求項３５に記載の方法。
【請求項３８】
前記検体レベルトレースが、前記毎時の時間スケールにわたる現在の検体レベルを含む、請求項３５に記載の方法。
【請求項３９】
前記グラフィックを修正することが、前記複数の時間間隔にわたって前記検体濃度値の前記配列を修正する、色のクラスタリング、色もしくは陰影の勾配、領域の整列、または重複領域のより明るいもしくはより暗い陰影を含む、請求項２４に記載の方法。
【請求項４０】
前記１つ以上のパターンが、受容体の高検体レベル閾値及び低検体レベル閾値に関する前記検体濃度値を示す、請求項２４に記載の方法。
【請求項４１】
前記複数の時間間隔が、７日間にわたる２４時間の期間を含む、請求項２４に記載の方法。
【請求項４２】
前記グラフィックが、７日間にわたる２４時間の期間にわたってプロットされた等尺性グラフを含む、請求項２４に記載の方法。
【請求項４３】
前記等尺性グラフが、３次元図で表示可能である、請求項４２に記載の方法。
【請求項４４】
前記グラフィックが、同心リングを含む、請求項２４に記載の方法。
【請求項４５】
前記グラフィックが、扇形のグラフを含む、請求項２４に記載の方法。
【請求項４６】
前記グラフィックが、１つ以上の折れ線グラフを含む、請求項２４に記載の方法。
【請求項４７】
システムであって、
受容体のグルコースデータを得るように構成された連続的検体センサと、前記連続的検体センサから前記グルコースデータを受信すること、及び前記グルコースデータを処理モジュールに送信すること、を行うように構成された無線送信器と、を備え、
前記処理モジュールが、前記受容体のインスリンデータ、前記受容体の前記グルコースデータ、及び前記受容体のイベントデータを受信することと、モバイルコンピューティングデバイス上にグラフィック表示を生成することと、を行うようにさらに構成されており、
前記処理モジュールが、前記インスリンデータ、前記グルコースデータ、前記イベントデータの、相互のもしくは時間との１つ以上の関係を示す視覚表現を表示するために、前記グラフィック表示をさらに修正する、システム。
【請求項４８】
前記イベントデータが、インスリン投与、炭水化物摂取量、または運動のうちの１つ以上を含む、請求項４７に記載のシステム。
【請求項４９】
前記インスリンデータが、残存インスリンの値を含み、前記視覚表現が、前記残存インスリンを示す色付けされたリングと、前記残存インスリンについての残りの推定時間と、を含む、請求項４７に記載のシステム。
【請求項５０】
前記視覚表現が、前記グルコースデータの傾向グラフと、ユーザが前記グラフィック表示上の前記傾向グラフの領域もしくは特徴を選択したときに提示される、前記傾向グラフの前記領域もしくは前記特徴と関連付けられた相互作用型コールアウトウィンドウと、を含み、前記提示されたコールアウトウィンドウが、前記インスリンデータもしくは前記イベントデータのうちの少なくともいくつかを含む、請求項４７に記載のシステム。
【請求項５１】
前記提示されたコールアウトウィンドウが、ボーラスもしくは基礎量のインスリン、ボーラスインスリンの投与時間、基礎インスリンの投与時間、または残存インスリンの値のうちの１つ以上を含む、前記インスリンデータのグラフィック配列を表示するように構成されている、請求項５０に記載のシステム。
【請求項５２】
前記提示されたコールアウトウィンドウが、炭水化物摂取量、運動に費やされた時間量、燃焼されたカロリー量、またはそれらと関連付けられた閾値もしくは時間に到達する心拍数のうちの１つ以上を含む前記イベントデータのグラフィック配列を表示するように構成されている、請求項５０に記載のシステム。
【請求項５３】
前記視覚表現が、インスリンデータに対応する矢印と、グルコースデータに対応するグルコース傾向を含むグルコース読み取り値と、を含み、前記矢印が、傾向グラフに近接して表示され、かつ前記グルコースデータに対するインスリンデータの効果を示すように修正される、請求項４７に記載のシステム。
【請求項５４】
前記視覚表現が、過去のグルコースデータ及び将来のグルコースデータの傾向グラフを含み、前記将来のグルコースデータが、前記受容体のインスリンデータ及び動作データに基づいて判定される、請求項４７に記載のシステム。
【請求項５５】
前記視覚表現が、
前記グルコースデータの現在の値及び前記グルコースデータの将来の傾向の指標を図示する第１のグラフィック表示と、
インスリンの量を表す第２のグラフィック表示であって、前記第２のグラフィック表示が、前記第１のグラフィック表示と相互作用して、前記グルコースデータの前記将来の傾向の前記指標に対する前記インスリンの量の可能な効果を図示することができる、第２のグラフィック表示と、を含む、請求項４７に記載のシステム。
【請求項５６】
前記処理モジュールが、
前記受容体の動作と、前記受容体の前記動作に基づくグルコースデータ傾向の予測と、に各々基づいて、１つ以上のデータセットを生成するようにさらに構成されており、
前記視覚表現が、前記１つ以上のデータセットに各々基づく１つ以上の修正されたグラフを含む、スクロール可能なリストを含む、請求項４７に記載のシステム。
【請求項５７】
前記処理モジュールが、
現在のグルコース値を、高グルコース閾値及び低グルコース閾値と比較し、グルコーススコアを生成することと、
現在の残存インスリンを、高インスリン閾値及び低インスリン閾値と比較し、ＩＯＢスコアを生成することと、
前記グルコーススコアと前記ＩＯＢスコアとを乗算することによって、インスリン状態を生成することと、
インスリンスコアを、複数のカテゴリのうちの１つにランク付けすることと、を行うようにさらに構成されている、請求項４７に記載のシステム。
【請求項５８】
前記複数のカテゴリが、良い、注意、及び悪い、を含む、請求項５７に記載のシステム。
【請求項５９】
前記視覚表現が、色付けされた表示を含み、各複数のカテゴリが、異なる色と関連付けられ、前記ランク付けされたインスリンスコアと関連付けられた前記色が、図示される、請求項５８に記載のシステム。
【請求項６０】
前記インスリン状態を生成することが、傾向値を乗算することをさらに含む、請求項５７に記載のシステム。
【請求項６１】
前記インスリン状態を生成することが、位置、食物摂取量、及び運動に基づく１つ以上のスコアを乗算することをさらに含む、請求項５７に記載のシステム。
【請求項６２】
前記視覚表現が、現在のグルコース値の数値表示と、グルコース値の将来の傾向の予測を表すグラフィックと、を含む、請求項４７に記載のシステム。
【請求項６３】
将来のイベントデータと関連する前記受容体の入力データを受信するように構成された先読みモジュールをさらに含み、前記視覚表現が、グルコース傾向グラフを含み、かつ前記入力データを修正するときに前記視覚表現がそれに従って修正される、請求項４７に記載のシステム。
【請求項６４】
前記視覚表現が、傾向グラフと高グルコース閾値との間の領域が第１の色であり、前記傾向グラフと低い閾値との間の領域が第２の色である、グルコースの傾向グラフを含む、請求項４７に記載のシステム。
【請求項６５】
前記処理モジュールが、前記インスリンデータ、前記グルコースデータ、及び前記イベントデータのうちの少なくともいくつかを含む１つ以上のデータセットを形成することと、追加情報にフラグを立てるか、もしくは追加情報を前記１つ以上のデータセットのうちの少なくともいくつかへと埋め込んで、自己参照データセットを生成することと、前記データにおける１つ以上の特徴を示すようにグラフィック的に修正された配列内に前記グラフィック表示を生成することと、によって、前記グラフィック表示を生成するように構成されている、請求項４７〜６４のいずれかに記載のシステム。
【請求項６６】
コンピュータによって実行される方法であって、
グルコースモニタリングデバイスによって、受容体のグルコースデータを得ることと、無線送信器によって、前記受容体の前記グルコースデータを送信することと、
前記受容体のインスリンデータ、前記受容体の前記グルコースデータ、及び前記受容体のイベントデータを受信し、モバイルコンピューティングデバイス上にグラフィック表示を生成することであって、前記グラフィック表示が、前記インスリンデータ、前記グルコースデータ、または前記イベントデータのうちの１つ以上の表示を含む、前記生成することと、
前記グラフィック表示を修正して、前記インスリンデータ、前記グルコースデータ、もしくは前記イベントデータの、相互のもしくは時間との１つ以上の関係を示す視覚表現を表示することであって、前記視覚表現が、インスリン、グルコース、もしくはイベントデータの前記表示を不明瞭にしないようにスケールされている、前記表示することと、を含む、方法。
【請求項６７】
前記イベントデータが、インスリン投与、炭水化物摂取量、または運動のうちの１つ以上を含む、請求項６６に記載の方法。
【請求項６８】
前記インスリンデータが、残存インスリンの値を含み、前記視覚表現が、前記残存インスリンを示す色付けされたリングと、前記残存インスリンについての残りの推定時間と、を含む、請求項６６に記載の方法。
【請求項６９】
前記視覚表現が、前記グルコースデータの傾向グラフと、ユーザが前記グラフィック表示上の前記傾向グラフの領域もしくは特徴を選択したときに提示される、前記傾向グラフの前記領域もしくは前記特徴と関連付けられた相互作用型コールアウトウィンドウと、を含み、前記提示されたコールアウトウィンドウが、前記インスリンデータもしくは前記イベントデータのうちの少なくともいくつかを含む、請求項６６に記載の方法。
【請求項７０】
前記提示されたコールアウトウィンドウが、ボーラスもしくは基礎量のインスリン、ボーラスインスリンの投与時間、基礎インスリンの投与時間、もしくは残存インスリンの値のうちの１つ以上を含む前記インスリンデータのグラフィック配列を含む、請求項６９に記載の方法。
【請求項７１】
前記提示されたコールアウトウィンドウが、炭水化物摂取量、運動に費やされた時間量、燃焼されたカロリー量、またはそれらと関連付けられた閾値もしくは時間に到達する心拍数のうちの１つ以上を含む前記イベントデータのグラフィック配列を含む、請求項６９に記載の方法。
【請求項７２】
前記視覚表現が、インスリンデータに対応する矢印と、グルコースデータに対応するグルコース傾向を含むグルコース読み取り値と、を含み、前記矢印が、傾向グラフに近接して表示され、かつ前記グルコースデータに対するインスリンデータの効果を示すように修正される、請求項６６に記載の方法。
【請求項７３】
前記視覚表現が、過去のグルコースデータ及び将来のグルコースデータの傾向グラフを含み、前記将来のグルコースデータが、前記受容体のインスリンデータ及び動作データに基づいて判定される、請求項６６に記載の方法。
【請求項７４】
前記視覚表現が、
前記グルコースデータの現在の値及び前記グルコースデータの将来の傾向の指標を図示する第１のグラフィック表示と、
インスリンの量を表す第２のグラフィック表示であって、前記第２のグラフィック表示が、前記第１のグラフィック表示と相互作用して、前記グルコースデータの前記将来の傾向の前記指標に対する前記インスリンの量の可能な効果を図示することができる、第２のグラフィック表示と、を含む、請求項６６に記載の方法。
【請求項７５】
前記受容体の動作と、前記受容体の前記動作に基づくグルコースデータ傾向の予測と、に各々基づいて、１つ以上のデータセットを生成することをさらに含み、
前記視覚表現が、前記１つ以上のデータセットに各々基づく１つ以上の修正されたグラフを含む、スクロール可能なリストを含む、請求項６６に記載の方法。
【請求項７６】
現在のグルコース値を、高グルコース閾値及び低グルコース閾値と比較し、グルコーススコアを生成することと、
現在の残存インスリンを、高インスリン閾値及び低インスリン閾値と比較し、ＩＯＢスコアを生成することと、
前記グルコーススコアと前記ＩＯＢスコアとを乗算することによって、インスリン状態を生成することと、
インスリンスコアを、複数のカテゴリのうちの１つにランク付けすることと、をさらに含む、請求項６６に記載の方法。
【請求項７７】
前記複数のカテゴリが、良い、注意、及び悪い、を含む、請求項７６に記載の方法。
【請求項７８】
前記視覚表現が、色付けされた表示を含み、各複数のカテゴリが、異なる色と関連付けられ、かつ前記ランク付けされたインスリンスコアと関連付けられた前記色が図示される、請求項７７に記載の方法。
【請求項７９】
前記インスリン状態を生成することが、傾向値を乗算することをさらに含む、請求項７６に記載の方法。
【請求項８０】
前記インスリン状態を生成することが、位置、食物摂取量、及び運動に基づく１つ以上のスコアを乗算することをさらに含む、請求項７６に記載の方法。
【請求項８１】
前記視覚表現が、現在のグルコース値の数値表示と、グルコース値の将来の傾向の予測を表すグラフィックと、を含む、請求項６６に記載の方法。
【請求項８２】
将来のイベントデータと関連する前記受容体の入力データを受信することをさらに含み、前記視覚表現が、グルコース傾向グラフを含み、前記入力データを修正するときに、前記視覚表現がそれに従って修正される、請求項６６に記載の方法。
【請求項８３】
前記視覚表現が、傾向グラフと高グルコース閾値との間の領域が第１の色であり、前記傾向グラフと低い閾値との間の領域が第２の色である、前記グルコースの傾向グラフを含む、請求項６６に記載の方法。
【請求項８４】
前記グラフィック表示を生成及び修正することが、前記インスリンデータ、前記グルコースデータ、及び前記イベントデータのうちの少なくともいくつかを含む１つ以上のデータセットを形成することと、追加情報にフラグを立てるか、もしくは追加情報を前記１つ以上のデータセットのうちの少なくともいくつかへと埋め込んで、自己参照データセットを生成することと、前記データにおける１つ以上の特徴を示すように、グラフィック的に修正された配列内に前記グラフィック表示を生成することと、を含む、請求項６６〜８３のいずれかに記載の方法。
【請求項８５】
前記処理モジュールが、前記受容体の糖尿病関連データを受信することと、前記モバイルコンピューティングデバイス上に相互作用型グラフィック表示を生成することと、を行うようにさらに構成されており、
視認者が、前記相互作用型グラフィック表示と相互作用することができる、請求項４７に記載のシステム。
【請求項８６】
前記相互作用型グラフィック表示が、高い閾値を超過する領域及び低い閾値を超過する領域についての異なる色を有する、傾向グラフとグルコース閾値との間の領域を有する前記グルコースデータの傾向グラフを含み、前記高い閾値及び前記低い閾値が、前記相互作用型グラフィック表示との前記視認者の相互作用によって調節可能である、請求項８５に記載のシステム。
【請求項８７】
前記視認者が、縮小可能なデザインレイアウトを介して、前記相互作用型グラフィック表示と相互作用することができる、請求項８５に記載のシステム。
【請求項８８】
前記相互作用型グラフィック表示が、情報を伝達するための１つ以上のアニメーションをさらに含む、請求項８５に記載のシステム。
【請求項８９】
前記視認者が、パーソナライズされた背景画像を選択することによって、前記相互作用型グラフィック表示と相互作用することができる、請求項８５に記載のシステム。
【請求項９０】
前記視認者が、グラフィックスクロールホイールを介して数値を入力することによって、前記相互作用型グラフィック表示と相互作用することができる、請求項８５に記載のシステム。
【請求項９１】
前記受容体の糖尿病関連データを受信することと、前記モバイルコンピューティングデバイス上に相互作用型グラフィック表示を生成することと、をさらに含み、視認者が、前記相互作用型グラフィック表示と相互作用することができる、請求項６６に記載の方法。
【請求項９２】
前記相互作用型グラフィック表示が、高い閾値を超過する領域及び低い閾値を超過する領域についての異なる色を有する、傾向グラフとグルコース閾値との間の領域を有する前記グルコースデータの前記傾向グラフを含み、前記高い閾値及び前記低い閾値が、前記相互作用型グラフィック表示との前記視認者の相互作用によって調節可能である、請求項９１に記載の方法。
【請求項９３】
前記視認者が、縮小可能なデザインレイアウトを介して、前記相互作用型グラフィック表示と相互作用することができる、請求項９１に記載の方法。
【請求項９４】
前記相互作用型グラフィック表示が、情報を伝達するための１つ以上のアニメーションをさらに含む、請求項９１に記載の方法。
【請求項９５】
前記視認者が、パーソナライズされた背景画像を選択することによって、前記相互作用型グラフィック表示と相互作用することができる、請求項９１に記載の方法。
【請求項９６】
前記視認者が、グラフィックスクロールホイールを介して数値を入力することによって、前記相互作用型グラフィック表示と相互作用することができる、請求項９１に記載の方法。
【請求項９７】
前記グラフィック表示が、検体測定が行われる前記受容体の指標をさらに含む、請求項１に記載のシステム。
【請求項９８】
システムであって、
受容体の検体測定値を得るように構成された連続的検体センサと、
前記連続的検体センサから前記検体測定値を受信するように構成された無線送信器と、
前記無線送信器と無線通信するモバイルコンピューティングデバイス上で動作可能な検体データ処理モジュールと、を備え、前記検体データ処理モジュールが、
前記検体測定値の少なくとも一部分を受信することと、
前記検体測定値に部分的に基づいて、自己参照データセットを生成することと、
前記自己参照データセットに基づいて、１つ以上のグラフィック表示を生成することと、
前記自己参照データセットを修正することと、
前記修正された自己参照データセットに基づいて、１つ以上の修正されたグラフィック表示を表示することと、を行うように構成されている、システム。
【請求項９９】
前記検体データ処理モジュールが、
前記受容体から得られた健康データ、前記検体測定値の統計分析、前記検体測定値と関連するコンテキストデータ、前記受容体のプロファイルから導き出された健康データ、または１つ以上の健康データデータベースから得られた健康データのうちの１つ以上に部分的に基づいて、前記受容体における検体濃度の高い閾値もしくは低い閾値を生成することと、
前記受容体の検体測定値が前記高い閾値または低い閾値に到達するまでの時間を判定することと、
前記時間が所定の安全時間以下であるときに、前記高い閾値または前記低い閾値のうちの１つ以上を修正することと、
前記自己参照データセットを再生成して、閾値の変化を示すアニメーションを表示することと、を行うようにさらに構成されている、請求項９８に記載のシステム。
【請求項１００】
前記修正されたグラフィック表示が、検体測定値対時間のグラフを含み、前記アニメーションが、点滅閾値線を、前記受容体の第１の値から現在の検体値に移動させることを含む、請求項９９に記載のシステム。
【請求項１０１】
前記グラフィック表示のうちの１つ以上が、検体測定値対時間の折れ線グラフを含み、前記検体データ処理モジュールが、
検体値の１つ以上の予想範囲を判定することと、
前記自己参照データセットを修正して、検体値の前記予想範囲に基づいて、前記検体測定値を表示することと、を行うようにさらに構成されている、請求項９８に記載のシステム。
【請求項１０２】
検体値の前記予想範囲が、前記受容体からの入力、前記検体測定値と関連するコンテキストデータ、または医療機関もしくは医療当局からの健康データのうちの１つ以上に基づいている、請求項１０１に記載のシステム。
【請求項１０３】
前記自己参照データセットが、色、線スタイル、アニメーション、陰影、勾配、または他の視覚表現的差別化要因を使用して、前記予想範囲と関連する前記検体測定値を表示するように修正される、請求項１０１または１０２に記載のシステム。
【請求項１０４】
検体値の前記予想範囲が、標的範囲、注意範囲、及び標的範囲外を含む、請求項１０１〜１０３のいずれかに記載のシステム。
【請求項１０５】
前記自己参照データセットが、標的範囲内の検体値を減算し、かつ注意及び標的範囲外の検体値のみを表示するように修正される、請求項１０４に記載のシステム。
【請求項１０６】
検体値の前記予想範囲が、前記受容体から得られたイベントデータに基づいて修正される、請求項１０１〜１０５のいずれかに記載のシステム。
【請求項１０７】
前記修正されたグラフィック表示のうちの１つ以上が、前記検体測定値の現在値の数値表示、検体測定値の将来の傾向の予測の指標、検体測定値の現在の状態及び前記将来の傾向の前記予測を示すテキストフレーズ、検体測定値対時間のグラフ、前記受容体における検体濃度の高い閾値及び低い閾値を示す１つ以上の線、ならびに前記検体測定値の前記現在の値を示す検体のグラフ上のグラフィック表現を含む、請求項９８に記載のシステム。
【請求項１０８】
前記自己参照データセットが、検体測定値に基づいて動的に修正され、前記自己参照データセットが、前記受容体における検体濃度値の閾値に到達するか、または超過する、現在の検体測定値を示すようにさらに修正され、検体測定値の将来の傾向の予測の前記指標、到達または超過する前記閾値と関連付けられた閾値線、及び検体グラフに対する前記現在の検体値の前記グラフィック表現が、スタイルを変化させ、かつ一斉に振動する、請求項１０７に記載のシステム。
【請求項１０９】
前記検体データ処理モジュールが、検体閾値に到達したときまたはそれを超過したときに、１つ以上の聴覚表現アラームを生成するようにさらに構成されている、請求項１０７に記載のシステム。
【請求項１１０】
前記自己参照データセットが、１つ以上のシステム状態メッセージを表示するように修正される、請求項９８に記載のシステム。
【請求項１１１】
前記自己参照データセットが、暗い背景を表示するように修正される、請求項９８に記載のシステム。
【発明の詳細な説明】
【技術分野】
【０００１】
関連出願の参照による組み込み
出願データシートにおいて識別されているいずれか及び全ての優先権主張、またはそれらに対するいかなる訂正も、３７ＣＦＲ１．５７の規定により、本明細書に参照によって組み込まれる。本出願は、２０１６年８月１２日に出願された米国仮特許出願第６２／３７４，５３９号の利益を主張する。前述の出願は、その全体が参照により本明細書に組み込まれ、明示的に本明細書の一部をなす。
【０００２】
本開示は、概して、検体センサシステムから受信される検体値の連続的モニタリングに関する。より具体的には、本開示は、動的データ構造及びグラフィック表示を生成するためのシステム、方法、装置、及びデバイスに関する。
【背景技術】
【０００３】
真性糖尿病は、膵臓が十分なインスリンを生成することができない疾患（Ｉ型もしくはインスリン依存性）及び／またはインスリンが有効でない疾患（２型もしくは非インスリン依存性）である。糖尿病状態では、犠牲者は、高血糖を罹患し、高血糖は、小血管の悪化と関連付けられた一連の生理学的奇形（腎不全、皮膚潰瘍、または眼球の硝子体への出血）を引き起こす。低血糖反応（低血糖）は、偶発的な過量のインスリンによって、または異常な運動もしくは不十分な食物摂取量を伴うインスリンもしくはグルコース低下剤の正常な投与後に誘発され得る。
【０００４】
従来、糖尿病患者は、自己モニタリング血糖（ＳＭＢＧ）モニタを携行しているが、これは、典型的には、不快な指穿刺法を必要とする。快適性と利便性に欠けているため、糖尿病患者は、通常、１日当たり２〜４回しか血糖値を測定しない。残念ながら、これらの時間間隔は、今のところ広がっており、糖尿病患者は、過度に遅く、高血糖状態または低血糖状態をアラートされる可能性が高く、結果として危険な副作用を生じるだろう。実際、糖尿病患者は、適宜にＳＭＢＧ値を取る可能性が低いのみならず、従来の方法の限界により、血糖値が上昇（より高い）または下降（より低い）しているかどうかは分からないだろう。
【０００５】
結果として、血糖値を連続的に検出及び／もしくは定量化するために、様々な非侵襲性、経皮的（例えば、経皮的）及び／もしくは移植可能な電気化学センサが開発されている。連続的グルコースモニタは、血糖値をモニタリングするための簡単な方法として、人気が高まっている。これまでは、患者は、朝、昼食頃、夕方等、１日を通して血糖値を数回サンプリングする。血糖値は、患者の小血液サンプルを採取し、かつ試験ストリップもしくは血糖計で血糖値を測定することによって測定することができる。しかしながら、この技術は、患者が血液サンプルを採取する必要がないことを好み、ユーザが１日を通じてサンプル間の血糖値がどのようであるかを知らないため、欠点がある。
【０００６】
患者の血糖値は睡眠中に危険なほど低くなる可能性があるため、１つの潜在的に危険な時間枠は、夜間である。結果として、連続的グルコースモニタは、患者の血糖値を連続的に測定し、測定された血糖値を無線でディスプレイに送信するセンサを提供することによって、人気を得ている。これにより、患者もしくは患者の介護者が、１日を通して患者の血糖値をモニタリングし、血糖値が所定のレベルに到達したとき、もしくは定義された変化を経験したときに対するアラームを設定することさえ可能になる。
【０００７】
最初に、連続的血糖値モニタが、血糖値と関連するデータを専用のディスプレイに無線で送信する。専用ディスプレイは、血糖値、傾向パターン、及び他の情報をユーザに表示するように設計された医療デバイスである。しかしながら、スマートフォン上で実行されるスマートフォン及びソフトウェアアプリケーション（アプリ）の人気が高まるにつれて、専用のディスプレイを携帯する必要がないことを好むユーザもいる。代わりに、スマートフォン、タブレット、またはスマートウォッチもしくはスマートメガネのような着用可能なデバイス等のモバイルコンピューティングデバイス上で実行される専用のソフトウェアアプリケーションを使用して、自分の血糖値をモニタリングすることを好むユーザもいる。さらに他のユーザは、専用ディスプレイに加えて、他のモバイルもしくはステーショナリーコンピューティングデバイス上のグルコース及びグルコース関連データへのアクセスを有する柔軟性を好む可能性がある。
【発明の概要】
【課題を解決するための手段】
【０００８】
一実施形態は、システムを含み、システムは、受容体の検体測定値を得るように構成された連続的検体センサと、連続的検体センサから検体測定値を受信すること、及び検体測定値を少なくとも部分的に処理して、検体データの１つ以上のデータセットを生成すること、を行うように構成された無線送信器であって、各データセットが、検体測定値のうちの１つ以上についての時間と関連付けられた検体濃度値を含み、無線送信器が、エネルギー保存ユニット、データ変換器ユニット、処理ユニット、及び送信器ユニットを含む、無線送信器と、無線送信器と無線通信するモバイルコンピューティングデバイス上で動作可能な検体データ処理モジュールであって、無線送信器から１つ以上のデータセットを受信及び処理して、モバイルコンピューティングデバイス上にグラフィック表示を生成するように構成された検体データ処理モジュールと、を含み、グラフィック表示が、検体データにおける１つ以上のパターンを示すようにグラフィック的に修正された複数の時間間隔にわたる検体濃度値の配列を含む。
【０００９】
システムの一態様では、検体データ処理モジュールは、検体データ群を集約することと、１つ以上のグラフィック表示に対応する追加情報に基づいて検体データ群にフラグを立てることと、検体濃度値のフラグを立てた群を配列させることと、検体濃度値の配列された群から自己参照データセットを生成することと、を行うようにさらに構成されている。
【００１０】
一態様では、自己参照データセットを生成することは、受容体における検体の１つ以上の高い閾値及び低い閾値に基づいて、検体データにフラグを立てることと、検体データの統計分析を実行することに基づいて、検体データにフラグを立てることと、検体データが得られたときと関連するコンテキストデータに基づいて、検体データにフラグを立てることと、のうちの１つ以上をさらに含む。
【００１１】
一態様では、コンテキストデータは、検体データが得られた１つ以上の物理的位置、受容体と物理的位置との関係、物理的位置を訪れる頻度、摂取した食事、運動の種類及び強度、投与されたインスリンの種類及び量、ならびに検体データが得られたときに受容体が睡眠中または覚醒中である可能性を示すデータを含む。
【００１２】
別の態様では、検体データ処理モジュールは、ユーザの所望のグラフィック表示を含むユーザの入力を受信することと、表示構成データを受信することと、自己参照データセットが所望のグラフィック表示を形成するためのデータを含まないときに自己参照データセットを再生成することと、ユーザの入力及び表示構成データに基づいて、自己参照データセットを再フォーマットすることと、によって、モバイルコンピューティングデバイス上にグラフィック表示を生成するようにさらに構成されている。
【００１３】
いくつかの態様では、検体データ処理モジュールは、閾値フラグについて自己参照データセットを走査することと、閾値フラグに基づいて、グラフィック表示を修正することと、統計分析フラグについて自己参照データセットを走査することと、統計分析フラグに基づいて、グラフィック表示を修正することと、検体のコンテキストデータフラグについて自己参照データセットを走査することと、コンテキストデータフラグに基づいて、グラフィック表示を修正することと、によって、グラフィック表示を修正するようにさらに構成されている。
【００１４】
一態様では、グラフィック表示を修正することは、色、色もしくは陰影の勾配、透明度、不透明度、緩衝領域、グラフィックアイコン、矢印、アニメーション、テキスト、数字、及び段階的フェーディングのうちの１つ以上を導入もしくは使用することを含む。
【００１５】
一態様では、配列は、検体濃度値が、第１の時間スケールに従って第１の方向に沿って、かつ第２の時間スケールに従って第２の方向に沿って位置付けられる検体濃度値の空間時間的編成を含み、検体濃度値の検体レベルは、検体レベルの大きさに基づく形状、色、陰影、またはサイズのうちの１つ以上によって構成される。
【００１６】
一態様では、第１の方向及び第２の方向は、直線方向である。
【００１７】
別の態様では、第１の方向は、湾曲方向であり、第２の方向は、径方向である。
【００１８】
いくつかの態様では、第１の時間スケールは、毎時であり、第２の時間スケールは、毎日である。
【００１９】
一態様では、第１の時間スケールは、毎時であり、第２の時間スケールは、毎日であり、グラフィック修正は、より高い検体レベルがグラフィック表示の外側湾曲領域により近く、より低い検体レベルがグラフィック表示の内側湾曲領域により近いか、またはその逆であるように、グラフィック表示にわたって重ねられた検体レベルトレースを含む。
【００２０】
一態様では、より高い検体レベルは、第１の色であり、より低い検体レベルは、第２の色であり、より高い検体レベルとより低い検体レベルとの間の検体レベルは、第３の色である。
【００２１】
一態様では、検体レベルトレースは、１日の検体濃度値の平均検体レベルを含む。
【００２２】
一態様では、検体レベルのトレースは、毎時の時間スケールにわたる現在の検体レベルを含む。
【００２３】
別の態様では、グラフィック表示の修正は、複数の時間間隔にわたる検体濃度値の配列を修正するために、色のクラスタリング、色もしくは陰影の勾配、領域の整列、または重複領域のより明るいもしくはより暗い陰影を表示することを含む。
【００２４】
一態様では、１つ以上のパターンは、受容体についての高検体レベル閾値及び低検体レベル閾値に関する検体濃度値を示す。
【００２５】
一態様では、複数の時間間隔は、７日間にわたる２４時間の期間を含む。
【００２６】
一態様では、グラフィック表示は、７日間にわたる２４時間の期間にわたってプロットされた等尺性グラフを含む。
【００２７】
一態様では、等尺性グラフは、３次元図で表示可能である。
【００２８】
一態様では、グラフィック表示は、同心リングを含む。
【００２９】
別の態様では、グラフィック表示は、扇形のグラフを含む。
【００３０】
一態様では、グラフィック表示は、１つ以上の折れ線グラフを含む。
【００３１】
別の実施形態は、連続的検体センサデバイスから得られた検体データを、モバイルコンピューティングデバイスで受信することであって、検体データが時間の測定値と各々関連付けられた検体濃度値を含む、受信することと、検体データを、モバイルコンピューティングデバイスで処理して、複数の時間間隔にわたる検体濃度値の配列を生成することと、検体濃度値の配列のグラフィックを生成することと、検体データにおける１つ以上のパターンを示すようにグラフィックを修正することと、修正されたグラフィックを、モバイルコンピューティングデバイスで表示すること、を含む、コンピュータによって実行される方法を含む。
【００３２】
いくつかの態様では、処理は、検体データ群を集約することと、１つ以上のグラフィック表示に対応する追加情報に基づいて、検体データ群にフラグを立てることと、検体濃度値のフラグを立てた群を配列させることと、検体濃度値の配列された群から自己参照データセットを生成することと、をさらに含む。
【００３３】
一態様では、自己参照データセットを生成することは、受容体における検体の１つ以上の高い閾値及び低い閾値に基づいて、検体データにフラグを立てることと、検体データの統計分析を実行することに基づいて、検体データにフラグを立てることと、検体データが得られたときと関連するコンテキストデータに基づいて、検体データにフラグを立てることと、のうちの１つ以上をさらに含む。
【００３４】
ある態様では、コンテキストデータは、検体データが得られた１つ以上の物理的位置、受容体と物理的位置との間の関係、物理的位置を訪れる頻度、摂取した食事、運動の種類及び強度、投与されたインスリンの種類及び量、ならびに検体データが得られたときに受容体が睡眠中または覚醒中である可能性を示すデータを含み得る。
【００３５】
別の態様では、検体濃度値の配列のグラフィックを生成することは、ユーザの所望のグラフィック表示を含むユーザの入力を受信することと、表示構成データを受信することと、自己参照データセットが所望のグラフィック表示を形成するためのデータを含まないときに自己参照データセットを再生成することと、ユーザの入力及び表示構成データに基づいて、自己参照データセットを再フォーマットすることと、をさらに含む。
【００３６】
別の態様では、検体データにおける１つ以上のパターンを示すようにグラフィックを修正することは、閾値フラグについて自己参照データセットを走査することと、閾値フラグに基づいて、グラフィックを修正することと、統計分析フラグについて自己参照データセットを走査することと、統計分析フラグに基づいて、グラフィックを修正することと、検体のコンテキストデータフラグについて自己参照データセットを走査することと、コンテキストデータフラグに基づいて、グラフィックを修正することと、を含み得る。
【００３７】
一態様では、グラフィックを修正することは、色、色もしくは陰影の勾配、透明度、不透明度、緩衝領域、グラフィックアイコン、矢印、アニメーション、テキスト、数字及び段階的フェーディングのうちの１つ以上を導入もしくは使用することを含む。
【００３８】
一態様では、配列は、検体濃度値が、第１の時間スケールに従って第１の方向に沿って、かつ第２の時間スケールに従って第２の方向に沿って位置付けられる検体濃度値の空間時間的編成を含み、検体濃度値の検体レベルは、検体レベルの大きさに基づく形状、色、陰影、またはサイズのうちの１つ以上によって構成される。
【００３９】
一態様では、第１の方向及び第２の方向は、直線方向である。
【００４０】
別の態様では、第１の方向は、湾曲方向であり、第２の方向は、径方向である。
【００４１】
一態様では、第１の時間スケールは、毎時であり、第２の時間スケールは、毎日である。
【００４２】
別の態様では、第１の時間スケールは、毎時であり、第２の時間スケールは、毎日であり、修正されたグラフィックは、より高い検体レベルがグラフィックの外側曲線領域に近く、より低い検体レベルがグラフィックの内側湾曲した領域に近いか、またはその逆であるように、修正されたグラフィックにわたって重ねられた検体レベルトレースを含む。
【００４３】
一態様では、より高い検体レベルは、第１の色であり、より低い検体レベルは、第２の色であり、より高い検体レベルとより低い検体レベルとの間の検体レベルは、第３の色である。
【００４４】
一態様では、検体レベルトレースは、１日の検体濃度値の平均検体レベルを含む。
【００４５】
別の態様では、検体レベルトレースは、毎時の時間スケールにわたる現在の検体レベルを含む。
【００４６】
いくつかの態様では、グラフィックを修正することは、複数の時間間隔にわたって検体濃度値の配列を修正する、色のクラスタリング、色もしくは陰影の勾配、領域の整列、または重複領域のより明るいもしくはより暗い陰影を含み得る。
【００４７】
いくつかの態様では、１つ以上のパターンは、受容体の高検体レベル閾値及び低検体レベル閾値に関する検体濃度値を示す。
【００４８】
一態様では、複数の時間間隔は、７日間にわたる２４時間の期間を含む。
【００４９】
一態様では、グラフィックは、７日間にわたる２４時間の期間にわたってプロットされた等尺性グラフを含む。
【００５０】
別の態様では、等尺性グラフは、３次元図で表示可能である。
【００５１】
一態様では、グラフィックは、同心リングを含む。
【００５２】
一態様では、グラフィックは、扇形のグラフを含む。
【００５３】
別の態様では、グラフィックは、１つ以上の折れ線グラフを含む。
【００５４】
別の実施形態は、システムを含み、システムは、受容体のグルコースデータを得るように構成された連続的検体センサと、連続的検体センサからグルコースデータを受信すること、及び処理モジュールにグルコースデータを送信すること、を行うように構成された無線送信器と、を含み、処理モジュールは、受容体のインスリンデータ、受容体のグルコースデータ、及び受容体のイベントデータを受信するように、かつモバイルコンピューティングデバイス上にグラフィカル表示を生成するようにさらに構成されており、処理モジュールは、グラフィック表示をさらに修正して、インスリンデータ、グルコースデータ、イベントデータの、相互のもしくは時間との１つ以上の関係を示す視覚表現を表示する。
【００５５】
一態様では、イベントデータは、インスリン投与、炭水化物摂取量、または運動のうちの１つ以上を含む。
【００５６】
一態様では、インスリンデータは、残存インスリンの値を含み、視覚表現は、残存インスリンを示す色付けされたリングと、残存インスリンについての残りの推定時間と、を含む。
【００５７】
一態様では、視覚表現は、グルコースデータの傾向グラフと、ユーザがグラフィック表示上の傾向グラフの領域もしくは特徴を選択したときに提示される、傾向グラフの領域もしくは特徴と関連付けられた相互作用型コールアウトウィンドウと、を含み、提示されたコールアウトウィンドウは、インスリンデータ及び／もしくはイベントデータのうちの少なくともいくつかを含む。
【００５８】
別の態様では、提示されたコールアウトウィンドウは、ボーラスまたは基礎量のインスリン、ボーラスインスリンの投与時間、基礎インスリンの投与時間、または残存インスリンの値のうちの１つ以上を含む、インスリンデータのグラフィック配列を表示するように構成されている。
【００５９】
一態様では、提示されたコールアウトウィンドウは、炭水化物摂取量、運動に費やされた時間量、燃焼されたカロリー量、またはそれらと関連付けられた閾値もしくは時間に到達する心拍数のうちの１つ以上を含む、イベントデータのグラフィック配列を表示するように構成されている。
【００６０】
一態様では、視覚表現は、インスリンデータに対応する矢印と、グルコースデータに対応するグルコース傾向を含むグルコース読み取り値と、を含み、矢印は、傾向グラフに近接して表示され、かつグルコースデータに対するインスリンデータの効果を示すように修正される。
【００６１】
いくつかの態様では、視覚表現は、過去のグルコースデータ及び将来のグルコースデータの傾向グラフを含み、将来のグルコースデータは、インスリンデータ及び受容体の動作データに基づいて判定される。
【００６２】
別の態様では、視覚表現は、グルコースデータの現在の値及びグルコースデータの将来の傾向の指標を図示する第１のグラフィック表示と、インスリンの量を表す第２のグラフィック表示と、を含み、第２のグラフィック表示は、グルコースデータの将来の傾向の指標に対するインスリンの量の可能性のある影響を図示するための第１のグラフィック表示と相互作用し得る。
【００６３】
一態様では、処理モジュールは、受容体の動作及び受容体の動作に基づくグルコースデータ傾向の予測に各々基づく１つ以上のデータセットを生成するようにさらに構成されており、視覚表現は、１つ以上のデータセットに各々基づく１つ以上の修正されたグラフを含むスクロール可能なリストを含む。
【００６４】
別の態様では、処理モジュールは、現在のグルコース値を、高グルコース閾値及び低グルコース閾値と比較し、かつグルコーススコアを生成することと、現在の残存インスリンを、高インスリン閾値及び低インスリン閾値と比較し、かつＩＯＢスコアを生成することと、グルコーススコアとＩＯＢスコアとを乗算することによってインスリン状態を生成することと、複数のカテゴリのうちの１つにおいてインスリンスコアをンク付けすることと、を行うようにさらに構成されている。
【００６５】
一態様では、複数のカテゴリには、良い、注意、及び悪いを含む。
【００６６】
一態様では、視覚表現は、色付けされた表示を含み、各複数のカテゴリは、異なる色と関連付けられ、ランク付けされたインスリンスコアと関連付けられた色が、図示される。
【００６７】
別の態様では、インスリン状態を生成することは、傾向値を乗算することをさらに含む。
【００６８】
一態様では、インスリン状態を生成することは、位置、食物摂取量、及び運動に基づく１つ以上のスコアを乗算することをさらに含む。
【００６９】
一態様では、視覚表現は、現在のグルコース値の数値表示と、グルコース値の将来の傾向の予測を表すグラフィックと、を含む。
【００７０】
いくつかの態様では、システムは、将来のイベントデータと関連する受容体の入力データを受信するように構成された先読みモジュールを含み、視覚表現は、グルコース傾向グラフを含み、入力データを修正するときに、視覚表現は、それに従って修正される。
【００７１】
いくつかの態様では、視覚表現は、傾向グラフと高グルコース閾値との間の領域が第１の色であり、傾向グラフと低い閾値との間の領域が第２色である、グルコースの傾向グラフを含む。
【００７２】
システムのいくつかの態様では、処理モジュールは、インスリンデータ、グルコースデータ、及びイベントデータのうちの少なくともいくつかを含む１つ以上のデータセットを形成することと、追加情報にフラグを立てるか、もしくは追加情報を１つ以上のデータセットのうちの少なくともいくつかへと埋め込んで、自己参照データセットを生成することと、データにおける１つ以上の特徴を示すようにグラフィック的に修正された配列におけるグラフィック表示を生成することと、によって、グラフィック表示を生成するように構成されている。
【００７３】
一実施形態は、グルコースモニタリングデバイスによって、受容体のグルコースデータを得ることと、無線送信器によって、受容体のグルコースデータを送信することと、受容体のインスリンデータ、受容体のグルコースデータ、及び受容体のイベントデータを受信することと、モバイルコンピューティングデバイス上にグラフィック表示を生成することであって、グラフィック表示が、インスリンデータ、グルコースデータまたはイベントデータのうちの１つ以上の表示を含む、生成することと、インスリンデータ、グルコースデータ、もしくはイベントデータの、相互のもしくは時間との１つ以上の関係を示す視覚表現を表示するように、グラフィック表示を修正することと、を含み、視覚表現が、インスリンデータもしくはグルコースデータもしくはイベントデータの表示を不明瞭にしないように成形及び構成もしくはスケールされ、視覚表現が、インスリンデータ、グルコースデータもしくはイベントデータの表示内に全体として表示される、コンピュータによって実行される方法を含む。
【００７４】
いくつかの態様では、イベントデータは、インスリン投薬、炭水化物摂取量、または運動の１つ以上を含む。
【００７５】
一態様では、インスリンデータは、残存インスリンの値を含み、視覚表現は、残存インスリンを示す色付けされたリングと、残存インスリンについての残りの推定時間と、を含む。
【００７６】
いくつかの態様では、視覚表現は、グルコースデータの傾向グラフと、ユーザがグラフィック表示上の傾向グラフの領域もしくは特徴を選択したときに提示される、傾向グラフの領域もしくは特徴と関連付けられた相互作用型コールアウトウィンドウと、を含み、提示されたコールアウトウィンドウは、インスリンデータ及び／もしくはイベントデータのうちの少なくともいくつかを含む。
【００７７】
別の態様では、提示されたコールアウトウィンドウは、ボーラスもしくは基礎量のインスリン、ボーラスインスリンの投与時間、基礎インスリンの投与時間、または残存インスリンの値のうちの１つ以上を含むインスリンデータのグラフィック配列を含む。
【００７８】
一態様では、提示されたコールアウトウィンドウは、炭水化物摂取量、運動に費やされた時間量、燃焼されたカロリー量、またはそれらと関連付けられた閾値もしくは時間に到達する心拍数のうちの１つ以上を含む、イベントデータのグラフィック配列を含む。
【００７９】
いくつかの態様では、視覚表現は、インスリンデータに対応する矢印と、グルコースデータに対応するグルコース傾向を含むグルコース読み取り値と、を含み、矢印は、傾向グラフに近接して表示され、かつグルコースデータに対するインスリンデータの効果を示すように修正される。
【００８０】
一態様では、視覚表現は、過去のグルコースデータ及び将来のグルコースデータの傾向グラフを含み、将来のグルコースデータは、受容体のインスリンデータ及び動作データに基づいて判定される。
【００８１】
別の態様では、視覚表現は、グルコースデータの現在の値及びグルコースデータの将来の傾向の指標を図示する第１のグラフィック表示と、インスリンの量を表す第２のグラフィック表示と、を含み、第２のグラフィック表示は、グルコースデータの将来の傾向の指標に対するインスリンの量の可能性のある影響を図示するための第１のグラフィック表示と相互作用し得る。
【００８２】
いくつかの態様では、本方法は、受容体の動作と、受容体の動作に基づくグルコースデータ傾向の予測と、に各々基づいて、１つ以上のデータセットを生成することをさらに含み、視覚表現は、１つ以上のデータセットに各々基づく１つ以上の修正されたグラフを含むスクロール可能なリストを含む。
【００８３】
他の態様では、本方法は、現在のグルコース値を、高グルコース閾値及び低グルコース閾値と比較し、かつグルコーススコアを生成することと、現在の残存インスリンを、高インスリン閾値及び低インスリン閾値と比較し、かつＩＯＢスコアを生成することと、グルコーススコアとＩＯＢスコアとを乗算することによって、インスリン状態を生成することと、インスリンスコアを、複数のカテゴリのうちの１つにランク付けすることと、をさらに含む。
【００８４】
一態様では、複数のカテゴリには、良い、注意、及び悪いを含む。
【００８５】
別の態様では、視覚表現は、色付けされた表示を含み、各複数のカテゴリは、異なる色と関連付けられ、ランク付けされたインスリンスコアと関連付けられた色が、図示される。
【００８６】
一態様では、インスリン状態を生成することは、傾向値を乗算することをさらに含む。
【００８７】
別の態様では、インスリン状態を生成することは、位置、食物摂取量、及び運動に基づく１つ以上のスコアを乗算することをさらに含む。
【００８８】
別の態様では、視覚表現は、現在のグルコース値の数値表示と、グルコース値の将来の傾向の予測を表すグラフィックと、を含む。
【００８９】
一態様では、本方法は、将来のイベントデータと関連する受容体の入力データを受信することをさらに含み、視覚表現は、グルコース傾向グラフを含み、入力データを修正したときに、視覚表現は、それに従って修正される。
【００９０】
一態様では、視覚表現は、傾向グラフと高グルコース閾値との間の領域が第１の色であり、傾向グラフと低い閾値との間の領域が第２色である、グルコースの傾向グラフを含む。
【００９１】
本方法のいくつかの態様では、グラフィック表示を生成することは、インスリンデータ、グルコースデータ、及びイベントデータのうちの少なくともいくつかを含む１つ以上のデータセットを形成することと、追加情報にフラグを立てるか、もしくは追加情報を１つ以上のデータセットのうちの少なくともいくつかへと埋め込んで、自己参照データセットを生成することと、データにおける１つ以上の特徴を示すようにグラフィック的に修正された配列内にグラフィック表示を生成することと、を含む。
【００９２】
一態様では、処理モジュールは、受容体の糖尿病関連データを受信することと、モバイルコンピューティングデバイス上に相互作用型グラフィック表示を生成することと、を行うようにさらに構成されており、視認者は、相互作用型グラフィック表示と相互作用することができる。
【００９３】
一態様では、相互作用型グラフィック表示は、高い閾値を超過する領域及び低い閾値を超過する領域について異なる色を有する、傾向グラフとグルコース閾値との間の領域を有するグルコースデータの傾向グラフを含み、高い閾値及び低い閾値は、視認者の相互作用型グラフィック表示との相互作用によって調節可能である。
【００９４】
別の態様では、視認者は、縮小可能な設計レイアウトを介して、相互作用型グラフィック表示と相互作用することができる。
【００９５】
いくつかの態様では、相互作用型グラフィック表示は、情報を伝達するための１つ以上のアニメーションをさらに含む。
【００９６】
別の態様では、視認者は、パーソナライズされた背景画像を選択することによって、相互作用型グラフィック表示と相互作用することができる。
【００９７】
いくつかの実施形態では、視認者は、グラフィックスクロールホイールを介して数値を入力することによって、相互作用型グラフィック表示と相互作用することができる。
【００９８】
一態様では、本方法は、受容体の糖尿病関連データを受信することと、モバイルコンピューティングデバイス上に相互作用型グラフィック表示を生成することと、を含み、視認者は、相互作用型グラフィック表示と相互作用することができる。
【００９９】
一態様では、相互作用型グラフィック表示は、高い閾値を超過する領域及び低い閾値を超過する領域について異なる色を有する、傾向グラフとグルコース閾値との間の領域を有するグルコースデータの傾向グラフを含み、高い閾値及び低い閾値は、視認者の相互作用型グラフィック表示との相互作用によって調節可能である。
【０１００】
別の態様では、視認者は、縮小可能な設計レイアウトを介して、相互作用型グラフィック表示と相互作用することができる。
【０１０１】
ある態様では、相互作用型グラフィック表示は、情報を伝達するための１つ以上のアニメーションをさらに含む。
【０１０２】
一態様では、視認者は、パーソナライズされた背景画像を選択することによって、相互作用型グラフィック表示と相互作用することができる。
【０１０３】
一態様では、視認者は、グラフィックスクロールホイールを介して数値を入力することによって、相互作用型グラフィック表示と相互作用することができる。
【０１０４】
システムの一態様では、グラフィック表示は、検体測定が行われる受容体の指標をさらに含む。
【０１０５】
一実施形態は、受容体の検体測定値を得るように構成された連続的検体センサと、連続的検体センサから検体測定値を受信するように構成された無線送信器と、無線送信器と無線通信するモバイルコンピューティングデバイス上で動作可能な検体データ処理モジュールと、を含み、検体データ処理モジュールが、検体測定値の少なくとも一部分を受信することと、検体測定値に部分的に基づく自己参照データセットを生成することと、自己参照データセットに基づく１つ以上のグラフィック表示を生成することと、自己参照データセットを修正することと、修正された自己参照データセットに基づいて、１つ以上の修正されたグラフィック表示を表示することと、を行うように構成されている、システムを含む。
【０１０６】
一態様では、検体データ処理モジュールは、受容体から得られた健康データ、検体測定値の統計分析、検体測定値に関連するコンテキストデータ、受容体のプロファイルから導き出された健康データ、もしくは１つ以上の健康データデータベースから得られた健康データのうちの１つ以上に部分的に基づいて、受容体における検体濃度の高い閾値もしくは低い閾値を生成することと、受容体の検体測定値が高い閾値もしくは低い閾値に到達するまでの時間を判定することと、時間が所定の安全時間以下であるときに、高い閾値もしくは低い閾値のうちの１つ以上を修正することと、自己参照データセットを再生成して、閾値の変化を示すアニメーションを表示することと、を行うようにさらに構成されている。
【０１０７】
一態様では、修正されたグラフィック表示は、検体測定値対時間のグラフィックを含み、アニメーションは、点滅閾値線を、受容体の第１の値から現在の検体値に移動させることを含む。
【０１０８】
一態様では、所望のグラフィック表示のうちの１つ以上は、検体測定値対時間の折れ線グラフを含み、検体データ処理モジュールは、検体値の１つ以上の予想範囲を判定することと、予想される検体値の範囲に基づく検体測定値を表示するように、自己参照データセットを修正することと、を行うようにさらに構成されている。
【０１０９】
ある態様では、検体値の予想範囲は、受容体からの入力、検体測定値と関連するコンテキストデータ、または医療機関もしくは医療当局からの健康データのうちの１つ以上に基づいている。
【０１１０】
いくつかの態様では、自己参照データセットは、色、線スタイル、アニメーション、陰影、勾配、または予想範囲と関連する検体測定値を表示するための他の視覚表現的差別化要因を使用するように修正される。
【０１１１】
一態様では、検体値の予想範囲は、標的範囲、注意範囲、及び標的範囲外を含む。
【０１１２】
別の態様では、自己参照データセットは、標的範囲内の検体値を減算し、かつ注意範囲及び標的範囲外の検体値のみを表示するように修正される。
【０１１３】
いくつかの態様では、検体値の予想範囲は、受容体から得られたイベントデータに基づいて修正される。
【０１１４】
いくつかの態様では、修正されたグラフィック表示のうちの１つ以上は、検体測定値の現在値の数値表示、検体測定値の将来の傾向の予測の指標、検体測定値の現在の状態及び将来の予測を示すテキストフレーズ、検体測定値対時間のグラフ、受容体における検体濃度の高い閾値及び低い閾値を示す１つ以上の線、ならびに検体測定値の現在の値を示す検体のグラフ上のグラフィック表現を含む。
【０１１５】
一態様では、自己参照データセットは、検体測定値に基づいて動的に修正され、自己参照データセットは、受容体における検体濃度値の閾値に到達するか、または超過する、現在の検体測定値を示すようにさらに修正され、検体測定値の将来の傾向の予測の指標、到達もしくは超過する閾値と関連付けられた閾値線、及び検体グラフに対する現在の検体値のグラフィック表現は、スタイルを変化させ、かつ一斉に振動する。
【０１１６】
別の態様では、検体データ処理モジュールは、検体閾値に到達したときまたはそれを超過したときに、１つ以上の聴覚表現アラームを生成するようにさらに構成されている。
【０１１７】
一態様では、自己参照データセットは、１つ以上のシステム状態メッセージを表示するように修正される。
【０１１８】
別の態様では、自己参照データセットは、暗い背景を表示するように修正される。
【０１１９】
本開示のさらなる態様は、添付の図面と併せて以下に記載される様々な開示される実施形態の詳細な説明を検討することにより、より容易に理解されるであろう。
【図面の簡単な説明】
【０１２０】
【図１Ａ】本開示の実施形態を実装することと関連して使用され得る例示的なシステムの態様を例証する。
【図１Ｂ】本開示の実施形態を実装することと関連して使用され得る例示的なシステムの態様を例証する。
【図２Ａ】検体センサシステムの実施形態を実装することと関連して使用され得る例示的な筐体の斜視図である。
【図２Ｂ】検体センサシステムの実施形態を実装することと関連して使用され得る例示的な筐体の側面図である。
【図３Ａ】本開示の実施形態を実装することと関連して使用され得る例示的なシステムの態様を例証する。
【図３Ｂ】本開示の実施形態を実装することと関連して使用され得る例示的なシステムの態様を例証する。
【図４Ａ】検体濃度値が複数の時間間隔にわたって配列及び提示される修正されたグラフィック表示の例証である。
【図４Ｂ】図４Ａのグラフィックの空中図から構成される修正されたグラフィック表現である。
【図５】検体濃度値がリング形状のグラフに複数の時間間隔にわたって配列及び提示される例示的なグラフィック表示の例証である。
【図６】時間間隔にわたる検体濃度値のデータ構造及び配列に対応する修正されたグラフィック表示を例証する。
【図７】複数の時間間隔にわたる検体データのデータ構造及び配列によって生成される修正されたグラフィック表示の例証である。
【図８】複数の時間間隔にわたる検体データのデータ構造及び配列によって生成される修正されたグラフィック表示の例証である。
【図９】複数の時間間隔にわたる検体データのデータ構造及び配列によって生成される修正されたグラフィック表示の例証である。
【図１０】図９の修正されたグラフィック表示の例証である。
【図１１】検体値の毎日の分析結果を提供する図１０の修正されたグラフィック表示である。
【図１２】検体濃度値がクロックダイヤルグラフィック上に示される例示的なグラフィック表示の例証である。
【図１３Ａ】開示されたシステムが修正されたグラフィック表示を生成及び表示することができる例示的な方法のフローチャートを例証する。
【図１３Ｂ】図１３Ａのプロセスにおいて識別されたプロセスを実装するための例示的な方法のフローチャートを例証する。
【図１３Ｃ】図１３Ａのプロセスにおいて識別されたプロセスを実装するための例示的な方法のフローチャートを例証する。
【図１３Ｄ】図１３Ａのプロセスにおいて識別されたプロセスを実装するための例示的な方法のフローチャートを例証する。
【図１４】データ構造及びインスリンデータの配列から生成される修正されたグラフィック表示の例証である。
【図１５】インスリンデータ、検体データ、及びイベントデータと、相互及び／もしくは期間との、もしくは期間と関連する１つ以上の関係を示す視覚表現を含む修正されたグラフィック表示を例証する。
【図１６】インスリンデータ、検体データ、及びイベントデータと、相互及び／もしくは期間との、もしくは期間と関連する１つ以上の関係を示す視覚表現を含む修正されたグラフィック表示を例証する。
【図１７】図１５及び図１６のインスリンキーチャートを例証する。
【図１８】検体データの傾向グラフの修正されたグラフィック表示を例証する。
【図１９Ａ】履歴検体値、現在の検体値、及び予測された検体値に基づいて修正されたグラフィック表示を例証する。
【図１９Ｂ】履歴検体値、現在の検体値、及び予測された検体値に基づいて修正されたグラフィック表示を例証する。
【図２０】検体データに対するインスリン用量の効果が示されている、修正されたグラフィック表示を例証する。
【図２１】ユーザの動作データのスクロール可能なリスト及び将来の検体値の傾向が図示されている、修正されたグラフィック表示を例証する。
【図２２】検体データ傾向及びユーザ動作と関連する複数の変数間の関係を図示する、修正されたグラフィック表示を例証する。
【図２３】高い閾値及び低い閾値以外の逸脱が視覚表現的に区別される、グルコース傾向グラフを例証する。
【図２４Ａ】縮小可能なデザインレイアウトが利用される、修正されたグラフィック表示を例証する。
【図２４Ｂ】ユーザが表示画面と相互作用することに基づいて修正可能なグラフィックを提示する表示画面を例証する。
【図２４Ｃ】ユーザが表示画面と相互作用することに基づいて修正可能なグラフィックを提示する表示画面を例証する。
【図２５】アニメーションを使用して健康関連情報を伝達することができる、修正されたグラフィック表示を例証する。
【図２６】ユーザが背景画像をカスタマイズすることができる、修正されたグラフィック表示を例証する。
【図２７】ユーザがスクロールホイールを使用して数値データを入力することを可能にする、修正されたグラフィック表示を例証する。
【図２８】ユーザの識別子が修正されたディスプレイ内に組み込まれている、例示的な修正されたディスプレイを例証する。
【図２９】アニメーションを介した検体閾値の変化を伝達するディスプレイを例証する。
【図３０】検体値の予想範囲に関連する検体測定値を図示する検体グラフを例証する。
【図３１】受容体における検体値の濃度、閾値、関連する検体グラフ、及び／または検体モニタリングシステムの状態及び報告についての情報を伝達する例示的な修正されたグラフィック表示を例証する。
【発明を実施するための形態】
【０１２１】
図は、以下の説明及び実施例においてより詳細に記載されており、例証のみを目的として提供されており、本開示の典型的または例示的な実施形態を単に図示している。図は、網羅的であるか、または開示された正確な形態への開示を制限することを意図するものではない。本開示は、修正または改変を伴って実施され得、かつ本開示は、特許請求の範囲及びそれらの等価物によってのみ限定され得ることも理解されるべきである。
【０１２２】
本開示の実施形態は、動的データ構造及びグラフィック表示を生成するためのシステム、方法、及びデバイスを対象とする。本明細書に記載される様々な配列において、検体データは、表示デバイス等に接続するように構成された検体センサシステムによって生成されたグルコースデータである。本明細書に詳細に記載されているように、本開示の態様を実装することにより、検体データにおけるパターンを簡便かつ効率的に示す方法で、検体データのグラフィック表示を修正することができる。さらに、本開示の態様を実装することにより、グルコースデータ、インスリンデータ、及びユーザの動作の間の１つ以上の関係を簡便に示すこともできる。具体的には、本開示のこのような態様は、例えば、自己参照データ構造を生成すること、及び糖尿病の管理と関連する情報を伝達するために、そのデータ構造に基づいてグラフィック表示を修正すること、に関する。
【０１２３】
本開示のシステム、方法、及びデバイスのいくつかの例示的な実施形態の詳細は、この説明及び場合によっては、本開示の他の部分に記載される。本開示の他の特徴、目的、及び利点は、本開示、説明、図、実施例、及び特許請求の範囲を検討すれば当業者には明らかであろう。全てのこのような追加のシステム、方法、デバイス、特徴、及び利点は、（明示的にまたは参照により）この説明内に含まれ、本開示の範囲内であり、かつ添付の請求項のうちの１つ以上によって保護されることを意図している。
【０１２４】
概要
いくつかの実施形態では、受容体における検体の連続的測定のためのシステムを提供する。システムは、受容体における検体の濃度を連続的に測定するように構成された連続的検体センサと、センサ使用中に連続的検体センサに物理的に接続されたセンサ電子機器モジュールと、を含み得る。特定の実施形態では、センサ電子回路モジュールは、例えば、生のセンサデータ、変換センサデータ、及び／または任意の他のセンサデータを含むセンサ情報を生成するために、連続的検体センサによって測定された検体濃度と関連付けられたデータストリームを処理するように構成された電子機器を含む。センサ電子機器モジュールは、異なる表示デバイスが異なるセンサ情報を受信することができるように、それぞれの表示デバイス用にカスタマイズされたセンサ情報を生成するようにさらに構成されてもよい。
【０１２５】
本明細書で使用される場合、「検体」という用語は、広義の用語であり、当業者にその通常のかつ慣例的な意味を与えられるべきであり（かつ特別なもしくはカスタマイズされた意味に限定されず）、さらに、限定しないが、分析することができる生物学的液体（例えば、血液、間質液、脳脊髄液、リンパ液、尿、汗、唾液等）中の物質もしくは化学成分を指す。検体は、天然に存在する物質、人工物質、代謝産物、及び／または反応生成物を含むことができる。いくつかの実装では、方法またはデバイスによる測定のための検体は、グルコースである。しかしながら、限定されないが、以下：アカルボキシプロトロンビン；アセト酢酸；アセトン；アセチルＣｏＡ；アシルカルニチン；アデニンホスホリボシルトランスフェラーゼ；アデノシンデアミナーゼ；アルブミン；α−フェトプロテイン；アミノ酸プロファイル（アルギニン（クレブスサイクル）、ヒスチジン／ウロカニン酸、ホモシステイン、フェニルアラニン／チロシン、トリプトファン）；アンドレノステネンジオン；アンチピリン；アラビニトールエナンチオマー；アルギナーゼ；ベンゾイルエクゴニン（コカイン）；ビオチニダーゼ；ビオプテリン；ｃ−反応性タンパク質；カルニチン；カルノシナーゼ；ＣＤ４；セルロプラスミン；ケノデオキシコール酸；クロロキン；コレステロール；コリンエステラーゼ；β共役１−ヒドロキシコール酸；コルチゾール；クレアチンキナーゼ；クレアチンキナーゼＭＭアイソザイム；シクロスポリンＡ；ｄ−ペニシラミン；デーエチルクロロキン；デヒドロエピアンドロステロンスルフェート；ＤＮＡ（アセチル化剤多型、アルコールデヒドロゲナーゼ、α１−アンチトリプシン、嚢胞性線維症、Ｄｕｃｈｅｎｎｅ／Ｂｅｃｋｅｒ筋ジストロフィー、グルコース−６−リン酸デヒドロゲナーゼ、ヘモグロビンＡ、ヘモグロビンＳ、ヘモグロビンＣ、ヘモグロビンＤ、ヘモグロビンＥ、ヘモグロビンＦ、Ｄ−パンジャブ、β−サラセミア、Ｂ型肝炎ウイルス、ＨＣＭＶ、ＨＩＶ−１、ＨＴＬＶ−１、レーバー遺伝性視神経障害、ＭＣＡＤ、ＲＮＡ、ＰＫＵ、三日熱マラリア原虫、性腺分化、２１−デオキシコルチゾール）；デスブチルハロファントリン；ジヒドロプテリジン還元酵素；ジフテリア／破傷風抗毒素；赤血球アルギナーゼ；赤血球プロトポルフィリン；エステラーゼＤ；脂肪酸／アシルグリシン；トリグリセリド；グリセロール；遊離β−ヒト絨毛性ゴナドトロピン；遊離赤血球ポルフィリン；遊離チロキシン（ＦＴ４）；遊離トリヨードチロニン（ＦＴ３）；フマリルアセトアセタート；ガラクトース／ガル−１−リン酸塩；ガラクトース−１−リン酸ウリジルトランスフェラーゼ；ゲンタマイシン；グルコース−６−リン酸デヒドロゲナーゼ；グルタチオン；グルタチオンペルオキシダーゼ；グリココール酸；グリコシル化ヘモグロビン；ハロファントリン；ヘモグロビン変異体；ヘキソサミニダーゼＡ；ヒト赤血球炭酸脱水酵素Ｉ；１７−α−ヒドロキシプロゲステロン；ヒポキサンチンホスホリボシルトランスフェラーゼ；免疫反応性トリプシン；ケトン体；乳酸塩；鉛；リポタンパク質（（ａ）、Ｂ／Ａ−１、β）；リゾチーム；メフロキン；ネチルミシン；フェノバルビトン；フェニトイン；フィタン酸���プリスタン酸；プロゲステロン；プロラクチン；プロリダーゼ；プリンヌクレオシドホスホリラーゼ；キニーネ；逆トリヨードチロニン（ｒＴ３）；セレン；血清膵リパーゼ；シソマイシン；ソマトメジンＣ；特異的抗体（アデノウイルス、抗核抗体、抗ゼータ抗体、アルボウイルス、オーエスキー病ウイルス、メジナ虫、単包条虫、赤痢アメーバ、エンテロウイルス、ランブル鞭毛虫、ピロリ菌、Ｂ型肝炎ウイルス、ヘルペスウイルス、ＨＩＶ−１、ＩｇＥ（アトピー性疾患）、インフルエンザウイルス、イソプレン（２−メチル−１、３−ブタジエン）、リーシュマニアドノバニ、レプトスピラ、麻疹／おたふく風疹／風疹、ハンセン菌、マイコプラズマ肺炎菌、ミオグロビン、回旋糸状虫、パラインフルエンザウイルス、熱帯熱マラリア原虫、ポリオウイルス、緑膿菌、呼吸器合胞体ウイルス、リケッチア（スクラブチフス）、マンソン住血吸虫、トキソプラズマ原虫、梅毒トレポネーマ、クルーズトリパノソーマ／ランゲル、水疱性口炎ウイルス、バンクロフト糸状虫症、フラビウイルス（例えば、シカのダニ、デング熱、ポーワッサン、ウエストナイル、黄熱、またはジカウイルス）；特異的抗原（Ｂ型肝炎ウイルス、ＨＩＶ−１）、スクシニルアセトン、スルファドキシン、テオフィリン、サイロトロピン（ＴＳＨ）、チロキシン（Ｔ４）、チロキシン結合グロブリン、微量元素、トランスフェリン；ＵＤＰ−ガラクトース−４−エピメラーゼ；尿素；ウロポルフィリノーゲンＩシンターゼ；ビタミンＡ；白血球；及び亜鉛プロトポルフィリンを含む他の検体も同様に考えられる。血中または間質液中に天然に存在する塩、砂糖、タンパク質、脂肪、ビタミン、及びホルモンもまた、特定の実装において検体を構成することができる。検体は、生体液、例えば、代謝産物、ホルモン、抗原、抗体中等に自然に存在し得る。代替的に、検体は、体内もしくは外因性、例えば、撮像用造影剤、放射性同位体、化学薬剤、フルオロカーボン系合成血液、または限定されないが、インスリン；グルカゴン、エタノール；大麻（マリファナ、テトラヒドロカンナビノール、ハシッシュ）；吸入剤（亜酸化窒素、亜硝酸アミル、亜硝酸ブチル、クロロ炭化水素、炭化水素）；コカイン（クラックコカイン）；刺激剤（アンフェタミン、メタンフェタミン、リタリン、シラート、プレリュジン、ディレックス、プレステート、ボラニル、サンドレックス、プレギーン）；抑制剤（バルビツール酸塩、メタクアロン、バリウム、リブリウム、ミルタウン、セラックス、エクアニル、トランキネン等の精神安定剤）；幻覚剤（フェンシクリジン、リゼルギン酸、メスカリン、ペヨーテ、サイロシビン）；麻薬（ヘロイン、コデイン、モルヒネ、アヘン、メペリジン、ペルコセット、ペルコダン、タッシオネックス、フェンタニル、ダルボン、タルウィン、ロモチル）；合成麻薬（フェンタニル、メペリジン、アンフェタミン、メタンフェタミン、フェンシクリジンの類似体、例えば、エクスタシー）；アナボリックステロイド；及びニコチンを含む、薬物もしくは医薬組成物内に導入することができる。薬物及び医薬組成物の代謝産物もまた、考えられる検体である。例えば、アスコルビン酸、尿酸、ドーパミン、ノルアドレナリン、３−���トキシチラミン（３ＭＴ）、３、４−ジヒドロキシフェニル酢酸（ＤＯＰＡＣ）、ホモバニリン酸（ＨＶＡ）、５−ヒドロキシトリプタミン（５ＨＴ）、及び５−ヒドロキシインドール酢酸（ＦＨＩＡＡ）、ならびにクエン酸サイクル中の中間体等の、体内で生成された神経化学物質及び他の化学物質等の検体も分析することができる。
【０１２６】
アラート
特定の実施形態では、１つ以上のアラートが、センサ電子機器モジュールと関連付けられる。例えば、各アラートは、それぞれのアラートがいつトリガされたかを示す、１つ以上のアラート条件を含み得る。例えば、低血糖のアラートは、最低血糖値を示すアラート条件を含み得る。アラート条件はまた、傾向データ及び／または複数の異なるセンサからのセンサデータ等の変換されたセンサデータに基づき得る（例えば、アラートは、グルコースセンサ及び温度センサの両方からのセンサデータに基づき得る）。例えば、低血糖のアラートは、アラートをトリガする前に存在しなければならない受容体の血糖値における最低要求傾向を示すアラート条件を含み得る。本明細書で使用される場合、「傾向」という用語は、概して、例えば、連続的グルコースセンサからの較正またはフィルタリングされたデータ等、経時的に取得されるデータのいくつかの属性を示すデータを指す。傾向は、変形されたまたは生のセンサデータを含む、センサデータ等のデータの振幅、変化率、加速度、方向等を示し得る。
【０１２７】
特定の実施形態では、アラートの各々は、アラートのトリガに応答して実行されるべき１つ以上の動作と関連付けられる。アラーム動作は、例えば、センサ電子機器モジュールのディスプレイ上に情報を表示することか、またはセンサ電子機器モジュールに連結された聴覚表現もしくは振動アラームを作動させること、及び／またはデータを、センサ電子機器モジュールの外部の１つ以上の外部表示デバイスに送信すること等、アラームを作動させることを含み得る。トリガされたアラートと関連付けられた任意の配信動作について、１つ以上の配信オプションは、送信されるべきデータの内容及び／もしくはフォーマット、データが送信されるべきデバイス、いつデータが送信されるべきか、及び／またはデータの配信のための通信プロトコルを定義する。
【０１２８】
特定の実施形態では、複数の配信動作（例えば、それぞれの配信オプションを有する）は、単一のアラートと関連付けられてもよく、異なるコンテンツ及びフォーマットを有する表示可能なセンサ情報が、例えば、単一のアラートのトリガに応答してそれぞれの表示デバイスに送信されるようになっている。例えば、携帯電話は、デスクトップコンピュータが、共通のアラートのトリガに応答してセンサ電子機器モジュールによって生成される表示可能なセンサ情報の大部分（または全て）を含むデータパッケージを受信し得る間に、最小限の表示可能なセンサ情報（携帯電話上に表示するために特にフォーマットされてもよい）を含むデータパッケージを受信し得る。有益なことに、センサ電子機器モジュールは、単一の表示デバイスに結合されるのではなく、むしろ、複数の異なる表示デバイスと、直接、体系的に、同時に（例えば、放送を介して）、定期的に、周期的に、無作為に、要求に応じて、照会に応答して、アラートもしくはアラームに基づいて、及び／または同様のもので、通信するように構成されている。
【０１２９】
いくつかの実施形態では、より大きな正確性、保留中の危険のより迅速なタイミング、誤ったアラームの回避、患者に対する、より小さい煩わしさを有する、現在もしくは予測された危険を推定する知的かつ動的な推定アルゴリズムを組み合わせるアラート条件を含む、臨床的リスクアラートを提供する。概して、臨床的リスクアラートは、検体値、変化率、加速度、臨床的リスク、統計確率、既知の生理学的制約、及び／または個々の生理学的パターンに基づく動的及び知的な推定アルゴリズムを含み、それにより適切な、臨床的に安全な、かつ患者に優しいアラームを提供する。参照によりその全体が本明細書に組み込まれる米国特許公開第２００７／０２０８２４６号は、本明細書に記載される臨床的リスクアラート（またはアラーム）と関連付けられた、いくつかのシステム及び方法を記載する。いくつかの実施形態では、ユーザが彼／彼女の状態に対応することを可能にするために、所定の期間、臨床的リスクアラートをトリガすることができる。さらに、臨床的リスクアラートは、患者の状態が改善しているときに、繰り返しの臨床アラーム（例えば、視覚表現、聴覚表現、または振動）によって患者を悩まさないように、臨床的リスク領域を離れるときに作動停止することができる。いくつかの実施形態では、動的かつ知的な推定は、検体濃度、変化率、及び動的かつ知的な推定アルゴリズムの他の態様に基づいて、患者が臨床的リスクを回避する可能性を判定する。臨床的リスクを回避する可能性が最小限であるか、または可能性がない場合、臨床的リスクアラートがトリガされるだろう。しかしながら、臨床的リスクを回避する可能性がある場合、システムは、所定の時間量、待機することと、臨床的リスクを回避する可能性を再分析することと、を行うように構成されている。いくつかの実施形態では、臨床的リスクを回避する可能性がある場合、システムは、患者が臨床的リスクを積極的に回避するのを助けることができる、標的、治療推奨、または他の情報を提供するようにさらに構成されている。
【０１３０】
いくつかの実施形態では、センサ電子機器モジュールは、センサ電子機器モジュールの通信範囲内の１つ以上の表示デバイスを検索することと、センサ情報（例えば、表示可能なセンサ情報、１つ以上のアラーム状態、及び／または他のアラーム情報を含むデータパッケージ）を無線通信することと、を行うように構成されている。したがって、表示デバイスは、センサ情報のうちの少なくともいくつかを表示すること、及び／または受容体（及び／または介護士）にアラームすること、を行うように構成されており、アラーム機構は、表示デバイス上に配置される。
【０１３１】
いくつかの実施形態では、センサ電子機器モジュールは、センサ電子機器モジュールを介して、かつ／またはアラームが１つ以上の表示デバイスによって開始されるべきである（例えば、順次及び／または同時に）ことを示すデータパッケージの送信を介して、１つ以上の異なるアラームを提供するように構成されている。特定の実施形態では、センサ電子機器モジュールは、アラーム状態が存在することを示すデータフィールドを単に提供するものであり、表示デバイスは、アラーム状態の存在を示すデータフィールドを読み取る際に、アラームをトリガすることを決定し得る。いくつかの実施形態では、センサ電子機器モジュールは、トリガされる１つ以上のアラートに基づいて、１つ以上のアラームのうちのどれをトリガするかを判定する。例えば、アラートトリガが重度の低血糖を示す場合、センサ電子機器モジュールは、センサ電子機器モジュール上のアラームを作動させること、データパッケージを、ディスプレイ上のアラームの作動を示すモニタリングデバイスに送信すること、及びケア提供者へのテキストメッセージとしてデータパッケージを送信すること等、複数の動作を実行することができる。一例として、テキストメッセージは、受容体の状態（例えば、「重度の低血糖」）を示す表示可能なセンサ情報を含むカスタムモニタリングデバイス、携帯電話、ページャデバイス、及び／または同様のものに現れ得る。
【０１３２】
いくつかの実施形態では、センサ電子機器モジュールは、受容体がトリガされたアラートに応答する期間を待つように構成されており（例えば、センサ電子機器モジュール及び／もしくは表示デバイス上のスヌーズ及び／もしくはオフ機能及び／もしくはボタンを押下もしくは選択することによって）、その後、１つ以上のアラートが応答されるまで、追加のアラートがトリガされる（例えば、エスカレーション方式で）。いくつかの実施形態では、センサ電子機器モジュールは、インスリンポンプ等のアラーム状態（例えば、低血糖症）と関連付けられた医療デバイスに制御信号（例えば、停止信号）を送信するように構成されており、停止アラートは、ポンプを介したインスリン送達の停止をトリガする。
【０１３３】
いくつかの実施形態では、センサ電子機器モジュールは、アラートもしくはアラームに基づいて（表示デバイスからの）クエリに応答して、直接、体系的に、同時に（例えば、放送を介して）、定期的に、周期的に、無作為に、要求に応じて、照会に応答して（表示デバイスからの）、アラートもしくはアラームに基づいて、及び／または同様のもので、アラーム情報を送信するように構成されている。いくつかの実施形態では、システムは、センサ電子機器モジュールの無線通信距離を、例えば、１０、２０、３０、５０、７５、１００、１５０、または２００メートル以上、増加させることができるようなリピータをさらに含み、リピータは、センサ電子機器モジュールから、センサ電子機器モジュールから遠隔に配置される表示デバイスへの無線通信を繰り返すように構成されている。リピータは、糖尿病の子どもを持つ家族にとって有用であり得る。例えば、親が子どもからある距離で睡眠している大きな家の中等の表示デバイスを、親が携帯するか、または静止位置に置くことができるようにする。
【０１３４】
表示デバイス
いくつかの実施形態では、センサ電子機器モジュールは、表示デバイスのリストから表示デバイスとの無線通信を検索及び／または試行するように構成されている。いくつかの実施形態では、センサ電子機器モジュールは、例えば、所定のかつ／もしくはプログラム可能な順序（例えば、等級付け及び／もしくはエスカレーション）で表示デバイスのリストを用いて無線通信を検索及び／または試行するように構成されており、第１の表示デバイスとの通信及び／もしくはアラームの試行の失敗が、第２の表示デバイスとの通信及び／もしくはアラームの試行をトリガする等である。例示的な一実施形態では、センサ電子機器モジュールは、（１）デフォルト表示デバイスもしくはカスタム検体モニタリングデバイス、（２）受容体及び／もしくはケア提供者へのテキストメッセージ、受容体及び／もしくはケア提供者への音声メッセージ、及び／または９１１）のような聴覚及び／もしくは視覚表現方法を介した携帯電話、（３）錠剤、（４）スマート時計もしくはブレスレット、ならびに／または（５）スマートメガネもしくは他の着用可能な表示デバイス等の表示デバイスのリストを順次使用して、受容体もしくはケア提供者を検索し、かつアラームを試行するように構成されている。
【０１３５】
実施例によっては、センサ電子機器モジュールからデータパッケージを受信する１つ以上の表示デバイスは、「ダミーディスプレイ」であり、追加の処理を伴わずにセンサ電子機器モジュールから受信した表示可能なセンサ情報を表示する（例えば、センサ情報の実時間表示のために必要な将来のアルゴリズムの処理）。いくつかの実施形態では、表示可能なセンサ情報は、表示可能なセンサ情報の表示前に表示デバイスによる処理を必要としない変換されたセンサデータを含む。いくつかの表示デバイスは、表示可能なセンサ情報の表示を可能にするように構成された表示命令を含むソフトウェア（表示可能なセンサ情報を表示することと、任意選択的にセンサ電子機器モジュールに照会して、表示可能なセンサ情報を得ることと、を行うように構成された命令を含むソフトウェアプログラミング）を含み得る。いくつかの実施形態では、表示デバイスは、製造者の表示命令でプログラムされ、かつ表示デバイスの盗用を回避するためのセキュリティ及び／または認証を含み得る。いくつかの実施形態では、表示デバイスは、ダウンロード可能なプログラムを介して表示可能なセンサ情報（例えば、インターネットを介してダウンロード可能なＪａｖａ（登録商標）Ｓｃｒｉｐｔ）を表示するように構成されているため、プログラムのダウンロードを支援する任意の表示デバイス（例えば、Ｊａｖａ（登録商標）アプレットを支援する任意の表示デバイス）は、表示可能なセンサ情報（例えば、携帯電話、タブレット、ＰＤＡ、ＰＣ等）を表示するように構成することができる。
【０１３６】
いくつかの実施形態では、特定の表示デバイスは、センサ電子機器モジュールと直接無線通信することができるが、中間ネットワークハードウェア、ファームウェア、及び／またはソフトウェアを直接無線通信内に含めることができる。いくつかの実施形態では、リピータ（例えば、Ｂｌｕｅｔｏｏｔｈ（登録商標）リピータ）を使用して、送信された表示可能なセンサ情報を、センサ電子機器モジュールのテレメトリモジュールの直近の範囲よりもさらに離れた場所に再送信することができ、リピータは、表示可能なセンサ情報の実質的な処理が行われないときに直接無線通信を可能にする。いくつかの実施形態では、受信器（例えば、Ｂｌｕｅｔｏｏｔｈ（登録商標）受信器）を使用して、送信された表示可能なセンサ情報を、可能であればテキストメッセージのような異なるフォーマットでＴＶ画面上に再送信することができ、受信器は、センサ情報の実質的な処理が行われないときに直接無線通信を可能にする。ある実施形態では、センサ電子機器モジュールは、センサ電子機器モジュールから送信された表示可能なセンサ情報が表示可能なセンサ情報の中間処理を伴わずに表示デバイスによって受信されるように、表示可能なセンサ情報を１つ以上の表示デバイスに直接無線送信する。
【０１３７】
特定の実施形態では、１つ以上の表示デバイスは、センサ電子機器モジュールと表示デバイスとの間の通信に認証が必要とされる、内蔵型認証メカニズムを含む。いくつかの実施形態では、センサ電子機器モジュールと表示デバイスとの間のデータ通信を認証するために、パスワード認証等のチャレンジレスポンスプロトコルが提供され、チャレンジはパスワードの要求であり、有効な応答は正しいパスワードであり、センサ電子機器モジュールと表示デバイスとのペアリングが、ユーザ及び／または製造者によってパスワードを介して達成され得るようになっている。これは、場合によっては、双方向認証と称され得る。
【０１３８】
いくつかの実施形態では、１つ以上の表示デバイスは、センサ電子機器モジュールに表示可能なセンサ情報について照会するように構成されており、表示デバイスは、要求に応じて、例えば、照会に応答して、センサ電子機器モジュール（例えば、スレーブデバイス）からセンサ情報を要求するマスタデバイスとして機能する。いくつかの実施形態では、センサ電子機器モジュールは、センサ情報を１つ以上の表示デバイスに、周期的、体系的、定期的、かつ／または周期的に（例えば、１、２、５、または１０分以上毎に）送信するように構成されている。いくつかの実施形態では、センサ電子機器モジュールは、トリガされたアラート（例えば、１つ以上のアラート条件によってトリガされた）と関連付けられたデータパッケージを送信するように構成されている。しかしながら、上に記載されるデータ送信の状態の任意の組み合わせは、対になっているセンサ電子機器モジュールと表示デバイス（複数可）との任意の組み合わせを用いて実装することができる。例えば、１つ以上の表示デバイスは、センサ電子機器モジュールデータベースを照会することと、１つ以上のアラーム状態が満たされることによってトリガされるアラーム情報を受信することと、を行うように構成され得る。さらに、センサ電子機器モジュールは、センサ情報を１つ以上の表示デバイス（前の例に記載されるものと同じまたは異なる表示デバイス）に周期的に送信するように構成することができ、システムは、センサ情報が得られる方法に関して異なるように機能する表示デバイスを含み得る。
【０１３９】
いくつかの実施形態では、表示デバイスは、センサ電子機器モジュールのメモリ内のデータベースへの直接の照会、及び／またはそこからのデータコンテンツの構成されたもしくは構成可能なパッケージについての要求を含む、特定の種類のデータコンテンツについてセンサ電子機器モジュール内のデータ保存メモリに照会するように構成されており、すなわち、センサ電子機器モジュール内に保存されたデータが、センサ電子機器モジュールが通信している表示デバイスに基づいて、構成可能であり、検索可能であり、予め判定されており、かつ／または予めパッケージされている。いくつかのさらなるまたは代替の実施形態では、センサ電子機器モジュールは、どの表示デバイスが特定の送信を受信するべきかに関するその知識に基づいて、表示可能なセンサ情報を生成する。加えて、いくつかの表示デバイスは、較正情報を得ることと、較正情報の自動入力、較正情報の自動配信、及び／または表示デバイスに組み込まれた一体型基準検体モニタ等を通して、較正情報をセンサ電子機器モジュールに無線送信することと、を行うことができる。米国特許公開第２００６／０２２２５６６号、同第２００７／０２０３９６６号、同第２００７／０２０８２４５号、及び同第２００５／０１５４２７１号は、それらの全てが、それらの全体が参照により本明細書に組み込まれ、表示デバイスに組み込まれた一体型基準検体モニタ及び／または本明細書に開示される実施形態を用いて実装することができる他の較正方法を提供するためのシステム及び方法を記載している。
【０１４０】
概して、複数の表示デバイス（例えば、カスタム検体モニタリングデバイス（検体表示デバイスとも称され得る）、携帯電話、タブレット、スマート時計、基準検体モニタ、薬剤送達デバイス、医療デバイス、及びパーソナルコンピュータ）は、センサ電子機器モジュールと無線通信するように構成することができる。複数の表示デバイスは、センサ電子機器モジュールから無線通信された表示可能なセンサ情報のうちの少なくともいくつかを表示するように構成することができる。表示可能なセンサ情報は、例えば、検体濃度値、変化率情報、傾向情報、アラート情報、センサ診断情報、及び／もしくは較正情報等の生のデータ及び／もしくは変換されたセンサデータ等のセンサデータを含み得る。
【０１４１】
検体センサ
図１Ａを参照すると、いくつかの実施形態では、検体センサ１０は、連続的検体センサ、例えば、皮下、経皮的（例えば、経皮）、または血管内デバイスを含む。いくつかの実施形態では、このようなセンサまたはデバイスは、複数の断続的な血液サンプルを分析することができる。本開示は、グルコースセンサの実施形態を含むが、このような実施形態は、他の検体にも同様に使用され得る。グルコースセンサは、酵素的、化学的、物理的、電気化学的、分光光度的、偏光測定的、熱量測定的、イオントフォレシス的、ラジオメトリック的、免疫化学的等を含むグルコース測定の任意の方法を使用することができる。
【０１４２】
グルコースセンサは、侵襲的、最小侵襲的、かつ非侵襲的な検知技術（例えば、蛍光モニタリング）を含む任意の既知の方法を使用して、受容体内のグルコース濃度を示すデータストリームを提供することができる。データストリームは、典型的には、患者もしくは介護者等のユーザ（例えば、親、親族、保護者、教師、医者、看護師、もしくは受容体の福祉に関心を持つ他の個人）に有用なグルコース値を提供するために使用される、較正及び／もしくはフィルタリングされたデータストリームへと変換される生のデータ信号である。
【０１４３】
グルコースセンサは、グルコースの濃度を測定することができる任意のデバイスであり得る。以下に記載される例示的な一実施形態によると、移植可能なグルコースセンサを使用し得る。しかしながら、本明細書に記載されるデバイス及び方法は、グルコースの濃度を検出することと、グルコースの濃度を表す出力信号を提供する（例えば、検体データの形態として）ことと、を行うことができる任意のデバイスに適用され得ることが理解されるべきである。
【０１４４】
特定の実施形態では、検体センサ１０は、米国特許第６，００１，０６７号及び米国特許公開第ＵＳ−２００５−００２７４６３−Ａ１号を参照して記載されているような移植可能なグルコースセンサである。実施形態では、検体センサ１０は、米国特許公開第ＵＳ−２００６−００２０１８７−Ａ１号を参照して記載されているような経皮グルコースセンサである。実施形態では、検体センサ１０は、２００６年１０月４日に出願された、米国特許公開第ＵＳ−２００７−００２７３８５−Ａ１号、同時係属中の米国特許公開第ＵＳ−２００８−０１１９７０３ーＡ１号、２００７年３月２６日に出願された、米国特許公開第ＵＳ−２００８−０１０８９４２−Ａ１号、及び２００７年２月１４日に出願された、米国特許出願第ＵＳ−２００７−０１９７８９０ーＡ１号に記載されているように、受容体の管内に、または体外に移植されるように構成されている。実施形態では、連続的グルコースセンサは、例えば、Ｓａｙらの米国特許第６，５６５，５０９号に記載されているような経皮センサを含む。実施形態では、検体センサ１０は、Ｂｏｎｎｅｃａｚｅらの米国特許第６，５７９，６９０号またはＳａｙらの米国特許第６，４８４，０４６号を参照して記載されているような皮下センサを含む連続的グルコースセンサである。実施形態では、連続的グルコースセンサは、例えばＣｏｌｖｉｎらの米国特許第６，５１２，９３９号を参照して記載されているような再充填可能な皮下センサを含む。連続的グルコースセンサは、例えば、Ｓｃｈｕｌｍａｎらの米国特許第６，４７７，３９５号を参照して記載されているような血管内センサを含み得る。連続的グルコースセンサは、例えば、Ｍａｓｔｒｏｔｏｔａｒｏらの米国特許第６，４２４，８４７号を参照して記載されているような血管内センサを含み得る。
【０１４５】
図２Ａ及び２Ｂは、本開示の特定の態様による検体センサシステム８の実施形態の実装と関連して使用され得る筐体２００の斜視図及び側面図である。筐体２００は、特定の実施形態では、装着ユニット２１４と、それに取り付けられたセンサ電子機器モジュール１２と、を含む。筐体２００は、機能的位置に示されており、装着ユニット２１４と、内部に噛み合い係合されたセンサ電子機器モジュール１２と、を含む。いくつかの実施形態では、ハウジングもしくはセンサポッドとも称される装着ユニット２１４は、受容体もしくはユーザの皮膚に固定するように適合されたベース２３４を含む。ベース２３４は、様々な硬質材料または軟質材料から形成され得、使用中の受容体からのデバイスの突出部を最小限にするための低プロファイルを含み得る。いくつかの実施形態では、ベース２３４は、可撓性材料から少なくとも部分的に形成され、残念ながら、受容体が装置を使用しているときの受容体の動きと関連付けられた動作関連アーチファクトを被る可能性がある他の経皮センサを超える多数の利点を提供し得る。装着ユニット２１４及び／もしくはセンサ電子機器モジュール１２は、部位を保護し、かつ／または最小限のフットプリント（受容体の皮膚の表面領域の利用）を提供するように、センサ挿入部位にわたって配置され得る。
【０１４６】
いくつかの実施形態では、装着ユニット２１４とセンサ電子機器モジュール１２との間の着脱可能な接続が提供され、これは、生産性の改善を可能にし、すなわち、潜在的に相対的に安価な装着ユニット２１４は、検体センサシステム８を改造もしくはメンテナンスするときに処理することができ、相対的により高価なセンサ電子機器モジュール１２は、複数のセンサシステムを用いて再使用することができる。いくつかの実施形態では、センサ電子機器モジュール１２は、例えば、センサ情報の較正及び／もしくは表示に有用な他のアルゴリズムをフィルタリング、較正、及び／もしくは実行するように構成された信号処理（プログラミング）と共に構成されている。しかしながら、一体型（非着脱可能な）センサ電子機器モジュールを構成することができる。
【０１４７】
いくつかの実施形態では、接触子２３８は、接触子サブアセンブリ２３６が、装着ユニット２１４に対して第１の位置（挿入用）と第２の位置（使用用）との間で枢動することを可能にする、装着ユニット２１４及びヒンジ２４８のベース２３４内に嵌合するように構成された接触子サブアセンブリ２３６と以後称されるサブアセンブリ上に、または内に装着される。本明細書で使用される場合、「ヒンジ」という用語は、広義の用語であり、限定するものではないが、接着ヒンジ、スライド継手等の様々な枢動、関節運動、及び／もしくはヒンジ機構のうちのいずれかを含み、指すために、その通常の意味で使用され、ヒンジという用語は、必ずしも関節運動が起こる支点もしくは固定点を意味するものではない。いくつかの実施形態では、接触子２３８は、カーボンブラックエラストマー等の導電性エラストマー材料から形成され、それを通してセンサ１０が延在している。
【０１４８】
図２Ａ及び２Ｂをさらに参照すると、特定の実施形態では、装着ユニット２１４は、装着ユニットの背面上に配設された接着パッド２０８を備え、かつ剥離可能な裏当て層を含む。よって、裏当て層を除去し、最後に装着ユニット２１４のベース２３４の少なくとも一部分を受容体の皮膚に押し付けることにより、装着ユニット２１４を受容体の皮膚に接着させる。さらにもしくは代替的に、接着パッドは、センサの挿入が完了した後、接着を確実にし、かつ任意選択的に創傷出口部位（もしくはセンサ挿入部位）（図示せず）の周りに気密シールもしくは防水シールを固定するために、検体センサシステム８及び／もしくはセンサ１０の一部もしくは全部にわたって置かれ得る。適切な接着パッドは、領域（例えば、受容体の皮膚）を引き伸ばす、伸長させる、順応させる、かつ／または通気するように選択及び設計することができる。図２Ａ及び２Ｂを参照して記載される実施形態は、その全体が参照により本明細書に組み込まれる、米国特許第７，３１０，５４４号を参照してより詳細に記載されている。構成及び配列は、本明細書に記載される装着ユニット／センサ電子機器モジュールの実施形態と関連付けられた耐水性、防水性、及び／または密封特性を提供し得る。
【０１４９】
いくつかの実施形態の態様と併せて使用するのに好適な様々な方法及びデバイスが、全ての目的のためにその全体が参照により本明細書に組み込まれる、米国特許公開第ＵＳ−２００９−０２４０１２０−Ａ１号に開示されている。
【０１５０】
例示的な構成
再び図１Ａを参照すると、検体センサシステムの態様を実装することと関連して使用され得るシステム１００が図示されている。場合によっては、システム１００を使用して、本明細書に記載される様々なシステムを実装することができる。実施形態におけるシステム１００は、本開示の特定の態様による、検体センサシステム８と、表示デバイス１１０、１２０、１３０、及び１４０と、を含む。例証される実施形態における検体センサシステム８は、センサ電子機器モジュール１２と、センサ電子機器モジュール１２と関連付けられた連続的検体センサ１０と、を含む。センサ電子機器モジュール１２は、表示デバイス１１０、１２０、１３０、及び１４０のうちの１つ以上と無線通信（例えば、直接的または間接的に）し得る。実施形態では、システム１００は、医療デバイス１３６及びサーバシステム１３４も含む。センサ電子機器モジュール１２はまた、医療デバイス１３６及びサーバシステム１３４と無線通信（例えば、直接または間接的に）し得る。いくつかの例では、表示デバイス１１０〜１４０はまた、サーバシステム１３４及び／または医療デバイス１３６と無線通信し得る。
【０１５１】
特定の実施形態では、センサ電子機器モジュール１２は、センサデータの処理及び較正と関連付けられた将来のアルゴリズムを含む、連続的検体センサデータの測定及び処理と関連付けられた電子回路を含む。センサ電子機器モジュール１２は、連続的検体センサ１０に物理的に接続することができ、連続的検体センサ１０と一体化することができる（解放不能に取り付けられる）か、または解放可能に取り付けることができる。センサ電子機器モジュール１２は、グルコースセンサを介して検体のレベルの測定を可能にする、ハードウェア、ファームウェア、及び／またはソフトウェアを含み得る。例えば、センサ電子機器モジュール１２は、ポテンシオスタットと、センサに電力を供給するための電源と、信号処理及びデータ保存に有用な他の構成要素と、センサ電子機器モジュールから１つ以上の表示デバイスにデータを送信するテレメトリモジュールと、を含み得る。電子機器は、プリント回路基板（ＰＣＢ）等に固定され得、かつ様々な形態を採り得る。例えば、電子機器は、特定用途向け集積回路（ＡＳＩＣ）、マイクロコントローラ、及び／またはプロセッサ等の集積回路（ＩＣ）の形態を採ることができる。
【０１５２】
センサ電子機器モジュール１２は、センサデータ等のセンサ情報を処理することと、変換されたセンサデータ及び表示可能なセンサ情報を生成することと、を行うように構成されたセンサ電子機器を含み得る。センサ検体データを処理するためのシステム及び方法の例は、本明細書により詳細に、かつ米国特許第７，３１０，５４４号及び同第６，９３１，３２７号ならびに米国特許出願公開第２００５／００４３５９８号、同第２００７／００３２７０６号、同第２００７／００１６３８１号、同第２００８／００３３２５４号、同第２００５／０２０３３６０号、同第２００５／０１５４２７１、同第２００５／０１９２５５７、同第２００６／０２２２５６６、同第２００７／０２０３９６６、及び同第２００７／０２０８２４５に記載されており、それらの全ては、全ての目的のためにそれらの全体が参照により本明細書に組み込まれる。
【０１５３】
再び図１Ａを参照すると、表示デバイス１１０、１２０、１３０、及び／または１４０は、センサ電子機器モジュール１２によって送信され得る表示可能なセンサ情報（例えば、それらのそれぞれの選好に基づいて表示デバイスに送信されたカスタマイズされたデータパッケージにおける）を表示する（かつ／またはアラームする）ように構成されている。表示デバイス１１０、１２０、１３０、もしくは１４０の各々は、センサ情報及び／もしくは検体データをユーザに表示するための、かつ／もしくはユーザからの入力を受信するための、タッチ画面ディスプレイ１１２、１２２、１３２、及び／もしくは１４２等のディスプレイを含み得る。例えば、グラフィックユーザインターフェースは、そのような目的のためにユーザに提示されてもよい。いくつかの実施形態では、表示デバイスは、センサ情報を表示デバイスのユーザに通信するための、かつ／もしくはユーザ入力を受信するための、タッチ画面ディスプレイの代わりに、もしくはそれに加えて、音声ユーザインターフェース等の他の種類のユーザインターフェースを含み得る。いくつかの実施形態では、表示デバイスのうちの１つ、いくつか、もしくは全てが、センサデータの較正及び実時間表示に必要とされる、いかなる追加的な将来の処理も伴わずに、センサ電子機器モジュールから（例えば、それぞれの表示デバイスに送信されるデータパッケージにおける）センサ情報が通信されるときにセンサ情報を表示するか、もしくは別様に通信するように構成されている。
【０１５４】
医療デバイス１３６は、本開示の例示的な実施形態において受動デバイスであってもよい。例えば、医療デバイス１３６は、図１Ｂに示すように、インスリンを使用者に投与するためのインスリンポンプであってもよい。様々な理由から、このようなインスリンポンプが検体センサシステム８から送信されたグルコース値を受信及び追跡することが望ましい場合がある。１つの理由は、グルコース値が閾値を下回ったときに、インスリンポンプにインスリン投与を停止または作動させる能力を提供することである。受動デバイス（例えば、医療デバイス１３６）が検体センサシステム８に結合されることなく検体データ（例えば、グルコース値）を受信することを可能にする１つの解決策は、検体センサシステム８から送信された広告メッセージ内に検体データを含むことである。広告メッセージ内に含まれるデータは、検体センサシステム８と関連付けられた識別情報を有するデバイスのみが検体データをデコードすることができるように、エンコードすることができる。いくつかの実施形態では、医療デバイス１３６は、センサデータを処理し、かつ／もしくはセンサ装置１３６ａからのデータを表示し、かつ／もしくはセンサ装置及び／もしくはデータ処理の動作についての入力を受信するために、専用のモニタもしくは表示装置１３６ａとの有線もしくは無線通信において、例えば、ユーザによって取り付け可能もしくは着用可能なセンサ装置１３６ｂを含む。
【０１５５】
図１Ａをさらに参照すると、複数の表示デバイスは、センサ電子機器モジュール１２から受信した検体データと関連付けられた特定の種類の表示可能なセンサ情報（例えば、いくつかの実施形態では、数値及び矢印）を表示するように特に設計されたカスタム表示デバイスを含み得る。検体表示デバイス１１０は、このようなカスタムデバイスの一例である。いくつかの実施形態では、複数の表示デバイスのうちの１つは、Ａｎｄｒｏｉｄ、ｉＯＳもしくは他の動作システムに基づく携帯電話１２０等のスマートフォンであり、かつ連続的センサデータ（例えば、現在及び履歴データを含む）のグラフィック表現を表示するように構成されている。他の表示デバイスは、タブレット１３０、スマート時計１４０、医療デバイス１３６（例えば、インスリン送達デバイスもしくは血糖計）、及び／またはデスクトップもしくはラップトップコンピュータ等の他の手持ちデバイスを含み得る。
【０１５６】
異なる表示デバイスは異なるユーザインターフェースを提供するので、データパッケージの内容（例えば、量、フォーマット、及び／もしくは表示されるデータの種類、アラーム等）をカスタマイズする（例えば、製造業者及び／もしくはエンドユーザによって異なってプログラムする）ことができる。したがって、図１Ａの実施形態では、複数の異なる表示デバイスは、センサセッション中にセンサ電子機器モジュール（例えば、連続的検体センサ１０に物理的に接続された皮膚上センサ電子機器モジュール１２等）と直接無線通信して、本明細書の別の場所でより詳細に記載される、表示可能なセンサ情報と関連付けられた、複数の異なる種類及び／もしくはレベルの表示及び／もしくは機能を可能にすることができる。
【０１５７】
図１Ａにさらに例証されるように、システム１００はまた、検体センサシステム８、複数の表示デバイス、サーバシステム１３４、及び医療デバイス１３６のうちの１つ以上を相互に連結するために使用され得る無線アクセスポイント（ＷＡＰ）１３８も含み得る。例えば、ＷＡＰ１３８は、システム１００内でＷｉ−Ｆｉ及び／またはセルラ接続を提供し得る。近距離通信（ＮＦＣ）がまた、システム１００のデバイス間で使用されてもよい。サーバシステム１３４を使用して、検体センサシステム８及び／もしくは複数の表示デバイスから検体データを収集して、例えば、それに対する分析を実行し、血糖値及びプロファイルについての普遍的なもしくは個別化されたモデルを生成する等を行い得る。
【０１５８】
次に図３Ａを参照すると、システム３００を図示する。システム３００は、開示されたシステム、方法、及びデバイスの実施形態を実装することと関連して使用されてもよい。例として、図３Ａの様々な以下に記載される構成要素は、グルコースデータの無線通信を提供するために、例えば、図１Ａに示すもの等、検体センサシステムと、複数の表示デバイス、医療デバイス、サーバ等との間で、使用され得る。
【０１５９】
図３Ａに示すように、システム３００は、検体センサシステム３０８と、１つ以上の表示デバイス３１０と、を含み得る。さらに、例証される実施形態では、システム３００は、次にプロセッサ３３４ｃ及び保存装置３３４ｂに連結されるサーバ３３４ａを含む、サーバシステム３３４を含む。検体センサシステム３０８は、通信媒体３０５を介して表示デバイス３１０及び／またはサーバシステム３３４に連結されてもよい。
【０１６０】
本明細書で詳細に記載されるように、検体センサシステム３０８及び表示デバイス３１０は、通信媒体３０５を介してメッセージングを交換し得、通信媒体３０５はまた、検体データを表示デバイス３１０及び／またはサーバシステム３３４に配信するために使用され得る。上記で言及したように、表示デバイス３１０は、例えば、スマートフォン、タブレット、ラップトップ、着用可能なデバイス等の様々な電子コンピューティングデバイスを含み得る。表示デバイス３１０は、検体表示デバイス１１０及び医療デバイス１３６も含み得る。ここで、表示デバイス３１０のＧＵＩは、ユーザ入力を受け付け、メニュー、ならびに検体データから導き出される情報を表示する機能を実行することができることが留意されるだろう。ＧＵＩは、例えば、ｉＯＳ、Ａｎｄｒｏｉｄ、Ｗｉｎｄｏｗｓ  Ｍｏｂｉｌｅ、Ｗｉｎｄｏｗｓ、Ｍａｃ  ＯＳ、Ｃｈｒｏｍｅ  ＯＳ、Ｌｉｎｕｘ（登録商標）、Ｕｎｉｘ、ゲームプラットフォームＯＳ（例えば、Ｘｂｏｘ、ＰｌａｙＳｔａｔｉｏｎ、Ｗｉｉ）等の当該技術分野で知られている様々な動作システムによって提供され得る。様々な実施形態では、通信媒体３０５は、Ｂｌｕｅｔｏｏｔｈ（登録商標）、Ｂｌｕｅｔｏｏｔｈ（登録商標）  Ｌｏｗ  Ｅｎｅｒｇｙ（ＢＬＥ）、ＺｉｇＢｅｅ、Ｗｉ−Ｆｉ、８０２．１１プロトコル、赤外線（ＩＲ）、無線周波数（ＲＦ）、２Ｇ、３Ｇ、４Ｇ等、ならびに／または有線プロトコル及び媒体等の１つ以上の無線通信プロトコルに基づいている場合がある。
【０１６１】
様々な実施形態では、システム３００の要素は、本明細書に記載される様々なプロセスを実行するために使用されてもよく、かつ／または１つ以上の開示されたシステム及び方法に関して本明細書に記載される様々な動作を実行するために使用されてもよい。本開示を検討すると、当業者は、システム３００が複数の検体センサシステム、通信媒体３０５、及び／またはサーバシステム３３４を含み得ることを理解するであろう。
【０１６２】
上述したように、通信媒体３０５は、検体センサシステム３０８、表示デバイス３１０、及び／もしくはサーバシステム３３４を、相互にもしくはネットワークに接続もしくは通信可能に連結するために使用され得、通信媒体３０５は、様々な形態で実装され得る。例えば、通信媒体３０５は、ローカルエリアネットワーク（ＬＡＮ）、ワイドエリアネットワーク（ＷＡＮ）、光ファイバネットワーク、電力線を介するインターネット、有線接続（例えば、バス）等、または任意の他の種類のネットワーク接続等のインターネット接続を含み得る。通信媒体３０５は、ルータ、ケーブル、モデム、スイッチ、光ファイバ、ワイヤ、ラジオ（例えば、マイクロ波／ＲＦリンク）等の任意の組み合わせを使用して実装され得る。さらに、通信媒体３０５は、Ｂｌｕｅｔｏｏｔｈ（登録商標）、ＢＬＥ、Ｗｉ−Ｆｉ、３ＧＰＰ標準（例えば、２Ｇ  ＧＳＭ（登録商標）／ＧＰＲＳ／ＥＤＧＥ、３Ｇ  ＵＭＴＳ／ＣＤＭＡ２０００、または４Ｇ  ＬＴＥ／ＬＴＥ−Ｕ）等の様々な無線標準を使用して実装され得る。本開示を読めば、当業者は、通信目的のために通信媒体３０５を実装するための他の方法を認識するであろう。
【０１６３】
サーバ３３４ａは、検体データに応答可能な入力、または検体センサシステムもしくは表示デバイス３１０上で稼働する検体モニタリングアプリケーションと関連して受信される入力等、検体データ及び関連情報を含む情報を、検体センサシステム３０８及び／もしくは表示デバイス３１０から受信、収集、もしくはモニタリングすることができる。そのような場合、サーバ３３４ａは、通信媒体３０５を介してそのような情報を受信するように構成され得る。この情報は、保存装置３３４ｂ内に保存されてもよく、プロセッサ３３４ｃによって処理されてもよい。例えば、プロセッサ３３４ｃは、サーバ３３４ａが通信媒体３０５を介して収集、受信等した情報に対する分析を実行することができる分析エンジンを含み得る。実施形態では、サーバ３３４ａ、保存装置３３４ｂ、及び／もしくはプロセッサ３３４ｃは、Ｈａｄｏｏｐ（登録商標）ネットワーク等の分散コンピューティングネットワークとして、もしくはリレーショナルデータベース等として実装され得る。
【０１６４】
サーバ３３４ａは、例えば、インターネットサーバ、ルータ、デスクトップもしくはラップトップコンピュータ、スマートフォン、タブレット、プロセッサ、モジュール等を含むことができ、かつ例えば、集積回路もしくはその集合体、プリント回路基板もしくはその集合体、または別個のハウジング／パッケージ／ラックもしくはそれらの複数体を含む、様々な形態で実装され得る。実施形態では、サーバ３３４ａは、通信媒体３０５を介して行われる通信を少なくとも部分的に指示する。このような通信は、配信及び／またはメッセージング（例えば、広告、命令、または他のメッセージング）及び検体データを含む。例えば、サーバ３３４ａは、周波数帯域、送信のタイミング、セキュリティ、アラーム等に関連する、検体センサシステム３０８と表示デバイス３１０との間のメッセージを処理及び交換し得る。サーバ３３４ａは、例えば、そこにアプリケーションを配信することによって、検体センサシステム３０８及び／または表示デバイス３１０上に保存された情報を更新し得る。サーバ３３４ａは、検体センサシステム３０８及び／もしくは表示デバイス３１０に／から、実時間もしくは散発的に、情報を送信／受信し得る。さらに、サーバ３３４ａは、検体センサシステム３０８及び／または表示デバイス３１０のためのクラウドコンピューティング能力を実装し得る。
【０１６５】
図３Ｂは、検体センサシステムを実装することに関連して使用され得る、本開示の追加の態様の例を含むシステム３０２を図示する。例証されるように、システム３０２は、検体センサシステム３０８を含み得る。示すように、検体センサシステム３０８は、センサデータを処理及び管理するためにセンサ測定回路３７０に連結された検体センサ３７５（例えば、図１Ａの数字１０でも指定され得る）を含み得る。センサ測定回路３７０は、プロセッサ／マイクロプロセッサ３８０（例えば、図１Ａの項目１２の一部であってもよい）に連結され得る。いくつかの実施形態では、プロセッサ３８０は、センサ３７５からセンサ測定値を取得及び処理するために、センサ測定回路３７０の機能の一部または全部を実行し得る。プロセッサ３８０は、センサデータを送信し、かつセンサデータ（もしくは検体データ）をユーザに表示するか、もしくは別様に提供するために使用され得る表示デバイス３１０等の外部デバイスから要求及び命令を受信するために、無線ユニットもしくは送受信器３２０（例えば、図１Ａの項目１２の一部であってもよい）にさらに連結され得る。本明細書で使用される場合、「無線ユニット」及び「送受信器」という用語は、交換可能に使用され、一般に、データを無線送信及び受信することができるデバイスを指す。検体センサシステム３０８は、センサデータを保存及び追跡するための保存装置３６５（例えば、図１Ａの項目１２の一部であり得る）及び実時間クロック（ＲＴＣ）３８０（例えば、図１Ａの項目１２の一部であり得る）をさらに含み得る。
【０１６６】
上記で言及したように、無線通信プロトコルは、通信媒体３０５を介して、検体センサシステム３０８と表示デバイス３１０との間でデータを送受信するために使用され得る。そのような無線プロトコルは、近距離での複数のデバイス（例えば、パーソナルエリアネットワーク（ＰＡＮ））への、かつそこからの周期的かつ小データ送信（必要ならば低速で送信され得る）に対して最適化された無線ネットワークで使用するように設計され得る。例えば、そのようなプロトコルの１つは、短い間隔でデータを送信し、次に、長い間隔で低電力モードに入るように送受信器を構成することができる周期的なデータ転送に対して最適化され得る。このプロトコルは、消費電力を低減するために、通常のデータ送信と、通信チャネルの初期設定（例えば、オーバーヘッドの低減による）との両方のための低オーバーヘッド要件を有し得る。いくつかの実施形態では、バーストブロードキャスト方式（例えば、一方向通信）を使用し得る。これにより、確認信号に必要なオーバーヘッドがなくなり、消費電力の少ない周期的な送信が可能になり得る。
【０１６７】
プロトコルは、干渉回避方式を実装しながら、複数のデバイスとの通信チャネルを確立するようにさらに構成され得る。いくつかの実施形態では、プロトコルは、いくつかのデバイスとの通信のための様々なタイムスロット及び周波数帯域を定義する適応アイソクロナスネットワークトポロジを利用し得る。よって、プロトコルは、干渉に応答して、かつ複数のデバイスとの通信を支援するように、送信ウィンドウ及び周波数を修正し得る。したがって、無線プロトコルは、時間及び周波数分割多重（ＴＤＭＡ）に基づく方式を使用すし得る。無線プロトコルはまた、直接シーケンス拡散スペクトル（ＤＳＳＳ）及び周波数ホッピングスペクトル拡散方式を使用してもよい。様々なネットワークトポロジを使用して、Ｗｉ−Ｆｉ、Ｂｌｕｅｔｏｏｔｈ（登録商標）、及びＢｌｕｅｔｏｏｔｈ（登録商標）低エネルギー（ＢＬＥ）等のピアツーピア、スタート、ツリー、もしくはメッシュネットワークトポロジ等の近距離及び／もしくは低電力無線通信を支援し得る。無線プロトコルは、２．４ＧＨｚ等のオープンＩＳＭ帯域のような様々な周波数帯域で動作し得る。さらに、電力使用を低減するために、無線プロトコルは、消費電力に応じてデータ速度を適応的に構成し得る。
【０１６８】
図３Ｂをさらに参照すると、システム３０２は、通信媒体３０５を介して検体センサシステム３０８に通信可能に連結された表示デバイス３１０を含み得る。例証される実施形態では、表示デバイス３１０は、接続インターフェース３１５（次に送受信器３２０を含む）、保存装置３２５（次に検体センサアプリケーション３３０及び／または追加のアプリケーションを保存する）、プロセッサ／マイクロプロセッサ３３５、表示デバイス３１０のディスプレイ３４５を使用して提示され得るグラフィックユーザインターフェース（ＧＵＩ）３４０、ならびに実時間クロック（ＲＴＣ）３５０を含む。バス（本明細書に図示せず）を使用して、表示デバイス３１０の様々な要素を相互接続し、かつこれらの要素間でデータを転送し得る。
【０１６９】
表示デバイス３１０は、センサ情報または検体データをアラートし、かつユーザに提供するために使用することができ、センサデータを処理及び管理するためのプロセッサ／マイクロプロセッサ３３５を含み得る。表示デバイス３１０は、ディスプレイ３４５、保存装置３２５、検体センサアプリケーション３３０、ならびにセンサデータを表示、保存、及び追跡するための実時間クロック３５０を含み得る。表示デバイス３１０は、接続インターフェース３１５及び／もしくはバスを介して表示デバイス３１０の他の要素に連結された無線ユニットもしくは送受信器３２０をさらに含み得る。送受信器３２０は、センサデータを受信し、要求、命令、及び／もしくはデータを検体センサシステム３０８に送信するために使用され得る。送受信器３２０は、通信プロトコルをさらに使用し得る。保存装置３２５はまた、表示デバイス３１０のための動作システム及び／または送受信器と表示デバイス３１０との間の無線データ通信のために設計されたカスタム（例えば、専有）アプリケーションを保存するために使用されてもよい。保存装置３２５は、単一のメモリデバイスもしくは複数のメモリデバイスであってもよく、ソフトウェアプログラム及びアプリケーションのためのデータ及び／もしくは命令を保存するための揮発性もしくは不揮発性メモリであってもよい。命令は、送受信器３２０を制御及び管理するためにプロセッサ３３５によって実行され得る。
【０１７０】
いくつかの実施形態では、標準化された通信プロトコルが使用される場合、データエンコード、送信周波数、ハンドシェイクプロトコル等の管理のような低レベルのデータ通信機能を処理するための処理回路を組み込む市販の送受信器回路を利用することができる。これらの実施形態では、プロセッサ３３５、３８０は、これらの活動を管理する必要はなく、むしろ送信のための所望のデータ値を提供し、パワーアップまたはパワーダウン等の高レベル機能を管理し、メッセージが送信される速度を設定する等を行う。これらの高レベル機能を実行するための命令及びデータ値は、送受信器３２０、３６０の製造者によって確立されたデータバス及び転送プロトコルを介して、送受信器回路に提供され得る。
【０１７１】
検体センサシステム３０８の構成要素は、周期的に交換する必要があり得る。例えば、検体センサシステム３０８は、センサ測定回路３７０、プロセッサ３８０、保存装置３６５、及び送受信器３６０、ならびにバッテリ（図示せず）を含むセンサ電子機器モジュールに取り付けられ得る移植可能なセンサ３７５を含み得る。センサ３７５は、周期的な交換（例えば、７〜３０日毎）を必要とする場合がある。センサ電子機器モジュールは、バッテリ交換の必要があるまで、センサ３７５よりもはるかに長い間（例えば、３〜６ヶ月以上）電力供給され、かつ機能するように構成され得る。これらの構成要素を交換するのは困難な場合があり、訓練を受けた人員の支援が必要である。そのような構成要素、特にバッテリを交換する必要性を低減することは、ユーザを含む検体センサシステム３０８を使用する利便性及びコストを大幅に改善する。いくつかの実施形態では、センサ電子機器モジュールが最初に使用される（または、いったんバッテリがいくつかの場合に交換されると、再起動される）ときに、センサ３７５に接続され得、センサセッションが確立され得る。以下にさらに記載するように、モジュールが最初に使用されるか、または再起動されるとき（例えば、電池が交換されるとき）に、表示デバイス３１０とセンサ電子機器モジュールとの間の通信を最初に確立するプロセスが存在し得る。いったん表示デバイス３１０及びセンサ電子機器モジュールが通信を確立すると、表示デバイス３１０とセンサ電子機器モジュールは、例えば、バッテリ交換の必要があるまで、いくつかのセンサ３７５の寿命にわたって周期的及び／または連続的に通信することができる。センサ３７５が交換される度に、新しいセンサセッションが確立され得る。新しいセンサセッションは、表示デバイス３１０を使用して完了されるプロセスを介して開始されてもよく、プロセスは、センサセッションにわたって持続し得る、センサ電子機器モジュールと表示デバイス３１０との間の通信を介して、新しいセンサの通知によってトリガされ得る。
【０１７２】
検体センサシステム３０８は、典型的には、センサ３７５から検体データを集約し、これを表示デバイス３１０に送信する。検体値に関するデータ点は、センサ３７５の寿命にわたって（例えば、１日〜３０日以上の範囲内で）集約及び送信され得る。血糖値を十分にモニタリングするのに十分な頻度で、新しい測定値を送信し得る。検体センサシステム３０８及び表示デバイス３１０を連続的に通信させる、検体センサシステム３０８及び表示デバイス３１０の各々の送信回路及び受信回路を有するのではなくむしろ、検体センサシステム３０８及び表示デバイス３１０は、それらの間に通信チャネルを定期的及び／または周期的に確立し得る。よって、検体センサシステム３０８は、場合によっては、所定の時間間隔で、表示デバイス３１０（例えば、手持ちコンピューティングデバイス、医療デバイス、またはプロプライエタリデバイス）と無線送信を介して通信することができる。所定の時間間隔の持続時間は、検体センサシステム３０８が、必要以上に頻繁にデータを送信することによって、あまりにも多くの電力を消費しないように、十分に長く選択され得るが、表示デバイス３１０を表示して（例えば、ディスプレイ３４５を介して）ユーザに出力するための実質的に実時間のセンサ情報（例えば、値または検体データ）を提供するのに十分な頻度であるように選択され得る。所定の時間間隔は、いくつかの実施形態では５分毎であるが、この時間間隔は任意の所望の時間長さであるように修正することができることが理解される。
【０１７３】
図３Ｂを続けて参照すると、接続インターフェース３１５は、表示デバイス３１０が通信媒体３０５を介して検体センサシステム３０８に通信可能に連結され得るように、表示デバイス３１０を通信媒体３０５にインターフェースする。接続インターフェース３１５の送受信器３２０は、異なる無線標準で動作可能な複数の送受信器モジュールを含み得る。送受信器３２０は、検体センサシステム３０８から、検体データならびに関連する命令及びメッセージを受信するために使用され得る。さらに、接続インターフェース３１５は、場合によっては、ベースバンド及び／もしくはイーサネット（登録商標）モデム、オーディオ／ビデオコーデック等の無線及び／もしくは有線接続を制御するための追加の構成要素を含み得る。
【０１７４】
保存装置３２５は、揮発性メモリ（例えば、ＲＡＭ）及び／もしくは不揮発性メモリ（例えば、フラシュ保存装置）を含み得、ＥＰＲＯＭ、ＥＥＰＲＯＭ、キャッシュのうちのいずれかを含み得、またはそのいくつかの組み合わせ／変形を含み得る。様々な実施形態では、保存装置３２５は、表示デバイス３１０によって収集されたユーザ入力データ及び／または他のデータ（例えば、検体センサアプリケーション３３０を介して集約された他のユーザからの入力）を保存し得る。保存装置３２５はまた、例えば、傾向を判定し、アラートをトリガするために、後で検索して使用するための、検体センサシステム３０８から受信された大量の検体データを保存するために使用されてもよい。さらに、保存装置３２５は、本明細書でさらに詳細に記載されるように、例えば、プロセッサ３３５を使用して実行されたときに（例えば、従来のハード／ソフトキーもしくはタッチ画面、音声検出、または他の入力メカニズムによって）入力を受信し、かつユーザがＧＵＩ３４０を介して検体データ及び関連するコンテンツと相互作用することを可能にする、検体センサアプリケーション３３０を保存し得る。
【０１７５】
様々な実施形態では、ユーザは、表示デバイス３１０のディスプレイ３４５によって提供され得る、ＧＵＩ３４０を介して検体センサアプリケーション３３０と相互作用し得る。例として、ディスプレイ３４５は、様々な手のジェスチャを入力として受信する、タッチ画面ディスプレイであってもよい。アプリケーション３３０は、本明細書に記載される様々な動作に従って、表示デバイス３１０によって受信された検体関連データを処理及び／または提示し、そのようなデータをディスプレイ３４５を介して提示することができる。さらに、アプリケーション３３０を使用して、本明細書でさらに詳細に記載されるように、検体センサシステム３０８と関連付けられた検体データならびに関連するメッセージング及びプロセスを取得、アクセス、表示、制御、及び／またはインターフェースすることができる。
【０１７６】
アプリケーション３３０は、表示デバイス３１０上でダウンロード、インストール、及び最初に設定／セットアップされてもよい。例えば、表示デバイス３１０は、アプリケーション３３０をサーバシステム３３４から、またはアプリケーションストア等のような通信媒体（例えば、通信媒体３０５）を介してアクセスされる別のソースから、得ることができる。インストール及びセットアップ後、アプリケーション３３０を使用して、検体データ（例えば、サーバシステム３３４上、保存装置３２５かローカルに、もしくは検体センサシステム３０８から、保存されているかどうか）にアクセス及び／もしくはインターフェースすることができる。例証のために、アプリケーション３３０は、検体センサシステム３０８及び１つ以上の表示デバイス３１０の動作と関連して実行され得る、様々な制御または命令を含むメニューを提示し得る。アプリケーション３３０はまた、本明細書に記載されるように、例えば、他の表示デバイス３１０に直接検体データを受信／送信すること、及び／もしくは検体センサシステム３０８及び接続されるべき他の表示デバイス３１０に対する命令を送信すること等によることを含む、例えば、検体データを配信するか、もしくは入手可能にするために、他の表示デバイス３１０とインターフェースするか、もしくは他の表示デバイス３１０を制御するために使用され得る。いくつかの実装では、アプリケーション３３０は、表示デバイスの他のアプリケーション（複数可）と相互作用して、例えば、他の健康データ等の関連データを検索または提供し得る。
【０１７７】
検体センサアプリケーション３３０は、本明細書の様々な機能（例えば、開示された方法と関連する）の説明に照らして明らかになるように、例えば、表示モジュール、メニューモジュール、リストモジュール等の様々なコード／機能モジュールを含み得る。これらのモジュールは、別々にまたは組み合わせて実装することができる。各モジュールは、コンピュータ可読媒体を含み得、そのコードがプロセッサ３３５に動作可能に連結され、かつ／またはプロセッサ３３５によって実行されて（例えば、そのような実行のための回路を含み得る）、検体データとインターフェースし、かつそれらに関連するタスクを実行することに関する特定の機能を実行し得るように（例えば、様々な動作及びフローチャート等に関して本明細書に記載されるように）、それら上に保存されたコンピュータ実行可能なコードを有し得る。以下でさらに記載されるように、ディスプレイモジュールは、アプリケーション３３０によって提供される情報のグラフィック表現を含む画面と共に、（例えば、ディスプレイ３４５を介して）様々な画面をユーザに提示することができる。さらなる実施形態では、アプリケーション３３０を使用して、検体センサシステム３０８に接続可能であり得る様々な表示デバイス、ならびに検体センサシステム３０８自体を見て、それらと相互作用するための環境をユーザに表示することができる。センサアプリケーション３３０は、本明細書に記載される機能／特徴を実行するために、（例えば、動作システムに応じて）ソフトウェア設計キットを用いて修正されたネイティブアプリケーションを含み得る。
【０１７８】
再び図３Ｂを参照すると、表示デバイス３１０は、プロセッサ３３５も含む。プロセッサ３３５は、例えば、表示デバイス３１０の他の要素（例えば、接続インターフェース３１５、アプリケーション３３０、ＧＵＩ３４０、ディスプレイ３４５、ＲＴＣ３５０等）とインターフェースし、かつ／またはこれらを制御する、アプリケーションプロセッサを含むプロセッササブモジュールを含み得る。プロセッサ３３５は、例えば、利用可能なもしくは先に対になっているデバイスのリスト、測定値と関連する情報、ネットワーク条件と関連する情報（例えば、リンク品質等）、検体センサシステム３０８と表示デバイス３１０との間で交換されるメッセージのタイミング、種類、及び／もしくは構造に関連する情報等のデバイス管理と関連する様々な制御（例えば、ボタン及びスイッチによるインターフェース）を提供するコントローラ及び／もしくはマイクロコントローラを含み得る。さらに、コントローラは、例えば、ユーザの指紋（例えば、データへのユーザのアクセスを認証するためか、または検体データを含むデータの認証／暗号化に使用するため等）等のユーザ入力、ならびに検体データの集約と関連する様々な制御を含み得る。
【０１７９】
プロセッサ３３５は、論理回路、メモリ、バッテリ、及び電力回路、ならびに周辺構成要素及びオーディオ構成要素用の他の回路ドライバ等の回路を含み得る。プロセッサ３３５及びその任意のサブプロセッサは、受信されたデータ及び／もしくは表示デバイス３１０への入力、ならびに表示デバイス３１０によって送信もしくは配信されるべきデータを受信、処理、及び／もしくは保存するための論理回路を含み得る。プロセッサ３３５は、バスによってディスプレイ３４５ならびに接続インターフェース３１５及び保存装置３２５（アプリケーション３３０を含む）に連結されてもよい。したがって、プロセッサ３３５は、これらのそれぞれの要素によって生成された電気信号を受信及び処理し、よって様々な機能を実行することができる。例として、プロセッサ３３５は、アプリケーション３３０の方向で保存装置３２５から保存されたコンテンツにアクセスし、ディスプレイ３４５によって表示及び／または出力するために保存されたコンテンツを処理し得る。さらに、プロセッサ３３５は、接続インターフェース３１５及び通信媒体３０５を介して、他の表示デバイス３１０、検体センサシステム３０８、またはサーバシステム３３４に送信するために、保存されたコンテンツを処理し得る。表示デバイス３１０は、図３Ｂに詳細に示されていない、他の周辺構成要素を含み得る。
【０１８０】
さらなる実施形態では、プロセッサ３３５は、ディスプレイ３４５もしくはＧＵＩ３４０を介して、ユーザによって入力されたデータ、または検体センサシステム３０８（例えば、検体センサデータもしくは関連するメッセージ）から受信されたデータを、一定期間にわたって、さらに取得、検出、計算、及び／もしくは保存し得る。プロセッサ３３５は、この入力を使用して、データ及び／もしくは他の要因（例えば、時刻、場所等）に応答するユーザの身体的及び／もしくは精神的応答を測定することができる。様々な実施形態では、ユーザの応答もしくは他の要因は、本明細書でさらに詳細に記載されるように、特定の条件下での特定の表示デバイス３１０の使用に関する好み、及び／もしくは様々な条件下での特定の接続／送信方式の使用を示し得る。
【０１８１】
表示デバイス３１０と検体センサシステム３０８との間の同様の名称の要素は、同様の特徴、構造、及び／または能力を含み得ることが、現時点では留意されるべきである。したがって、そのような要素に関して、上の表示デバイス３１０の説明は、場合によっては、検体センサシステム３０８に適用されてもよい。
【０１８２】
本開示のシステム、デバイス、及び方法によるいくつかの態様では、健康関連及び健康関連以外のデータが、システムのデバイス及び他のシステムのデバイスの新しい検体データ構造、表示、ならびに制御を含む出力を知的に生成するために、集約、構造化、及び／または変換される。このような健康関連情報は、グルコース及び関連データ（例えば、インスリン、食事、活動等）を含むことができ、健康関連以外のデータは、位置データ、ユーザの人口統計データ等を含むことができる。現在の技術のそのような態様による実装は、例えば、デバイス間のデータ処理及びデータ送信の複雑さを低減することと、データ量ならびに保存及び動作されるべき処理アルゴリズムを低減することと、それによって本明細書に記載されるようなシステムの性能を加速させることと、によって、システムの動作を改善することが認識されている。さらに、本技術のこのような態様による実装は、継続的な検体モニタリングを用いてユーザの糖尿病または他の疾患を管理するためのユーザの能力を改善することが想定されている。ユーザが自身の糖尿病の管理において十分な情報に基づく意思決定を行うのを助けるために、グルコース状態、傾向、履歴、コンテキスト、及び洞察に関係するそのような出力を生成するための技術及びツールの例を、以下に開示する。また、開示される技術、システム、デバイス、及びツールは、他の健康障害に適用することができる。
【０１８３】
糖尿病の管理において、ますます多くの糖尿病であるＣＧＭシステムのユーザは、自身の食事の習慣（一般的には、特定の食事に特有のもの）、自身の生活習慣（例えば、家庭または遊びでの就業日及び時間中）、身体活動等の間の血糖値がどのように変動するか等の自身の生活のコンテキスト内のより多くのグルコースデータを経時的に見ることを望んでいる。しかし、表示画面は、サイズ、解像度、及び他の技術的なパラメータにおいて制限されている。さらに、より大きな表示画面であっても、より多くのデータを画面上に詰め込んでも、データ表示の有効性が必ずしも改善されるとは限らないか、または画面上に提示されるデータを見るユーザの理解を助けるとは限らない。ＣＧＭシステムにおけるそのような制限に対処するために、データ表示は、データの誤解、混乱、情報の欠落等、またはさらに悪く不十分な意思決定につながる、情報の過負荷及び混乱を回避するように知的に設計及び構築されるべきである。例えば、不十分なデータ表示は、最終的に、ユーザによる不十分な意思決定につながる可能性があり、その結果、自身のグルコース管理及び健康に有害であり得る。
【０１８４】
さらに、よりコンテキスト的で意味のあるデータが要求されている一方、ＣＧＭシステムの製造者は、規制当局、例えば、ＦＤＡ（Ｆｅｄｅｒａｌ  Ｄｒｕｇ  Ａｄｍｉｎｉｓｔｒａｔｉｏｎ）によって規定される規制及び基準に留意しなければならない。場合によっては、実時間の３時間以内等の「実行可能な期間」内に表示されるデータに、ＣＧＭデバイス及び関連するソフトウェアアプリの分類に影響を与える可能性のある特定の制限または要件が適用される場合がある。これらの規制及び制限は、それらの対象製品、ソフトウェアまたはサービスのコストにも影響を与える。
【０１８５】
ＣＧＭデバイス及び関連ソフトウェアのユーザは、より意味のあるディスプレイ及びグラフィックを必要としており、自身の健康関連データを効率的かつ知的に提示して、自身のグルコース及び健康を管理するための安全かつ賢明な意思決定を可能にし得る。本明細書に記載されるようなデータ視覚表現化技術及び修正されたグラフィックを使用して、ユーザのグルコース状態、傾向、履歴、及び対応するコンテキストについての情報を知的に提示し、それにより技術的課題及び状況上の課題（例えば、法的または規制上の）を解消し、かつ直接的（意思決定の支援を提供する等）及び間接的（自身の糖尿病を管理している間、自身の日常生活においてユーザの時間を節約する等）の両方で、エンドユーザに利益をもたらすことができる。
【０１８６】
グルコースパターンの可視化
上で考察されるように、検体センサシステム３０８によって収集された検体データは、生のセンサデータを含み得る。膨大なまたは修正されていない生のセンサデータの混乱に埋もれた重要な情報を、ユーザが潜在的に見逃す可能性があるため、生のセンサデータの修正されていないグラフィック表現は、ユーザにとって価値がほとんどない可能性がある。結果として、本明細書に記載される実施形態は、その特徴が、ユーザの健康にとって価値のあるパターン及び／もしくは情報を簡便に示すために、修正されたグラフィック表現における検体データの表示を促進する、検体データのデータ構造もしくは配列を構築するためのシステム及び方法を含む。
【０１８７】
いくつかの実施形態では、検体センサシステム３０８は、１つ以上の時間間隔にわたって検体測定値に対応する検体データのうちの１つ以上のデータセットを生成することができる。例えば、いくつかの実施形態では、検体センサシステム３０８は、５分毎に検体の測定値に対応するデータセットを生成することができる。他の時間間隔も可能である。検体センサシステム３０８は、各検体データセットについて検体濃度値を生成することができる。表示デバイス３１０は、生の検体濃度値を受信し、かつ検体データのデータ構造または配列を生成することができ、検体データは、次に修正可能なグラフィック表示を生成し得る。修正可能なグラフィック表示は、パターンまたは他の価値のある健康情報を視認者に簡便に示すことができる、１つ以上の機能を修正するように効率的に調節することができる。
【０１８８】
いくつかの例示的な実装では、検体センサシステム３０８または表示デバイス３１０は、データセットを処理して、表示デバイス３１０上に表示可能なグラフィック表示を生成し、グラフィック表示は、例えば、検体データにおける１つ以上のパターンを示すための、グラフィック的に修正された複数の時間間隔にわたる検体濃度値の配列を含む。いくつかの例では、グラフィック表示についての検体濃度値の配列は、検体濃度値が第１の時間スケールに従って第１の方向に沿って、かつ第２の時間スケールに従って第２の方向に沿って位置付けられる、検体濃度値の空間時間的編成を含む。検体濃度値の検体レベルは、修正可能であり、形状、色、陰影、色もしくは陰影の勾配、異なる陰影、透明度、不透明度、緩衝領域、グラフィックアイコン、矢印、アニメーション、テキスト、数、もしくは様々な健康パラメータに基づく段階的フェーディングの様々な強度もしくはコントラスト、検体レベルの大きさ、及び／または検体レベルもしくは検体レベル群と関連付けられた統計メトリックを導入もしくは使用することによって、グラフィック表示における修正のうちの１つ以上によってグラフィック表示に表される。いくつかの実装では、表示デバイス３１０上で動作可能な検体アプリケーション３３０は、データセットを処理して、ディスプレイ３４５上に表示されるグラフィック表示を生成し、検体レベル（複数可）の大きさ及び／もしくはメトリックに従って修正もしくは調節することができる。
【０１８９】
図４Ａは、視認者が複数の時間間隔にわたって検体データにおけるパターンを簡単に検出することができるように、検体濃度値が複数の時間間隔にわたって配列及び提示される修正されたグラフィック表示の例証である。本明細書に記載される実施形態によって生成された検体データのデータ構造もしくは配列は、検体データにおける検出パターンを視認者にとってより容易に作製するために、色、形状、陰影、サイズ、または他の視覚表現を使用して、修正されたグラフィック表示を生成し得る。検体アプリケーション３３０は、生のデータセットに対応する断続的な検体濃度値を受信し、グラフ４００Ａ等の修正されたグラフィック表示を生成することができる検体データのデータ構造もしくは配列を生成することができる。グラフ４００Ａは、第１の時間スケールに従った第１の方向４０２にわたる検体濃度値を例証する。グラフ４００Ａはまた、第２の時間スケールに従った第２の方向４０４に沿った検体濃度値を例証する。図４Ａに示す例では、第１の時間スケールは、１日（２４時間）にわたる毎時の時間スケールであり、１日または複数日全体にわたる検体濃度値を毎日の時間スケールにわたって示す。第２の時間スケールは、１週間（７日間）にわたる毎日の時間スケールであり、１週間または複数の週全体にわたる検体濃度値を毎週の時間スケールにわたって示す。例示的なグラフ４００Ａでは、１週間にわたる２４時間の検体値の濃度が示されているが、他の時間間隔を使用することもできる。例えば、第１の方向４０２は、１日の期間にわたる毎時の時間スケールであり得、第２の方向４０４は、１ヶ月の期間（例えば、特定の月の数日）、平日の期間（例えば、月曜日〜金曜日の５日）、週末の期間、または表示デバイス３１０のユーザインターフェース上でユーザによって選択された期間を含む、他の選択期間であり得る。平均化もしくは他の数値／統計技術を使用して、追加データを拡張もしくは含むことができる。例えば、毎日のスケール４０４において、特定の期間にわたる特定の日の検体濃度値の平均値または他の統計的に駆動されるデータは、その日の検体濃度値（例えば、過去３ヶ月にわたる日曜日の検体濃度値）として表すことができる。このように、グラフ４００Ａもしくは他の７日／２４時間のグラフは、過去７日間の値のみに限定されるものではなく、ユーザもしくはシステムの選択の任意の期間にわたるデータの融合を使用して、本明細書に記載されるグラフ４００Ａ及び他のグラフィック表示を実装することができる。
【０１９０】
例示的なグラフ４００Ａは、検体濃度値の大きさが、第１及び第２の方向４０２及び４０４に対して垂直な垂直軸に沿った形状によって表される、等尺性グラフであり得る。各形状のサイズは、検体濃度値の大きさに対応し得る。いくつかの実装では、色を使用して、検体濃度値の大きさをさらに示すか、または検体データについての追加情報を伝達することができる。他の実施形態では、様々な陰影を使用して、検体濃度値の異なる大きさを識別することができる。例えば、陰影４０６、４０８、４１０、４１２、４１４、４１１６、４１８、または色が使用される場合、黄色を、検体濃度値が高い閾値を超過するグラフ４００Ａの領域に使用することができる。陰影４２０、４２２、４２４、及び４２６を使用して、検体濃度値が低い閾値を下回るグラフ４００Ａの領域を示すことができる。色が使用される場合、赤色を使用して、検体濃度値が低い閾値を下回る領域を示すことができる。例示的なグラフ４００Ａにおける検体濃度値の配列では、視認者は、データにおけるピークを観察することによって検体濃度値が高い閾値を超過する時間を一目で判定することができ、または色が使用される場合、視認者は、黄色の領域を観察して、検体濃度値が高い閾値を超過する時間を迅速に判定することができる。例示的なグラフ４００Ａに示されるような検体データの配列は、視認者が検体データにおけるパターンを簡単に観察することを可能にする。例えば、例示的なグラフ４００Ａでは、午後６時頃の検体濃度値に対応する領域４０６、４０８、４１０、４１２、４１４、４１６、及び４１８は、ピークを示すか、または陰影が使用される場合、領域４０６、４０８、４１０、４１２、４１４、４１６、及び４１８は、（他の領域に対して）より暗い色で示され、検体濃度値が示された期間の間午後６時頃に上昇する傾向があることを示し得る。色が使用される場合、同様のパターンを観察することができる。検体濃度値におけるこのようなパターンを観察することにより、患者または患者の介護者は、患者の健康管理において、より良い意思決定を行うことができる。
【０１９１】
図４Ｂは、グラフ４００Ｂとして示される、グラフ４００Ａの空中図から構成されるグラフィック表現である。グラフ４００Ｂを使用して、ユーザは、検体データにおけるパターンを容易に観察することができる。いくつかの実装では、グラフ４００Ａは、グラフ４００Ａの視認を操作するために、表示されたグラフ４００Ａを回転、ひねり、ヨーイング、及び／またはズームインまたはズームインすることを可能にする相互作用的な方法でディスプレイ３４５上に表示され得る。これに関して、ディスプレイ３４５は、グラフ４００Ａを提示し、かつユーザがグラフ４００Ｂへの表示を変更することを可能にする。グラフ４００Ａにおけるように、グラフ４００Ｂは、特定の時刻における各日のプロットの拡大幅によって例証される高検体濃度レベル、及び特定の時刻における各日のプロットの縮小幅によって例証される低検体濃度レベル等の検体データにおける特徴を識別するために、平面グラフ上の形状によって（例えば、第１及び第２の方向４０２及び４０４の一方または両方に沿って）検体濃度値の大きさを表すように修正される。グラフ４００Ａと同様に、グラフ４００Ｂはまた、例えば、視認者が、データ内のグラフィック表示の修正を観察することによって、検体濃度値が高い閾値もしくは低い閾値を超過するか、もしくは下回る時間を一目で判定することを可能にする効果を生成する、特徴と関連付けられた陰影もしくは他の視覚表現を提示するように修正され得る。
【０１９２】
図５は、検体濃度値がリング形状のグラフ５００において複数の時間間隔にわたって配列及び提示される、例示的なグラフィック表示の例証である。そのような実装では、視認者は、グラフ５００によって生成された特徴に基づいて、複数の時間間隔にわたって、検体データにおける１つ以上のパターンを容易かつ簡単に検出することができる。グラフ５００は、同心リングを含み、各リングは、第１の時間スケールに従った第１の方向５０２にわたる検体濃度値を表す。グラフ５００の同心リング形状の構造は、第２の時間スケールに従った径方向５０４に沿った検体濃度値の例証を可能にする。図５に示すグラフ５００の例では、第１の方向５０２に沿った第１の時間スケールは、例えば、毎時の検体濃度値を示すことができる、１日（２４時間）にわたる毎時の時間スケールであり、第２の第２の時間方向５０４に沿った第２の時間スケールは、例えば、毎日の検体濃度値を示すことができる、１週間（７日間）にわたる毎日の時間スケールである。例示的なグラフ５００では、１週間にわたる２４時間の検体濃度値が、示されている。他の時間間隔を使用することもできる。
【０１９３】
例示的なグラフ５００では、各リングを陰影付けすることができ、または色が使用される場合、高い閾値、低い閾値、及び標的領域に関する検体濃度値の大きさを表すために色分けすることができる。例えば、日曜日（またはいくつかの実施形態では、ある期間にわたる日曜日の融合）の２４時間の検体濃度値の例示的な表示を表すリング５０６については、第１の陰影５０６−１を使用して、検体濃度値が低い閾値を下回った時間を示すことができ、第２の陰影５０６−２を使用して、検体濃度値が標的範囲内にあった時間を示すことができ、第３の陰影５０６−３を使用して、検体濃度値が高い閾値を超過した時間を示すことができる。いくつかの実装では、陰影５０６−１、５０６−２、及び５０６−３に加えてまたはそれらの代わりに、色を使用することができる。例えば、赤色は、検体濃度値が低い閾値を下回る時間を示すことができ、白色は、検体濃度値が標的範囲内にある時間を示すことができ、黄色は、検体濃度値が高い閾値を超過する時間を示すことができる。いくつかの実施形態では、信頼性のないデータまたは仮のデータの存在を示すために、グラフ５００の表示に１つ以上の破線を使用することができる。
【０１９４】
例示的なグラフ５００に示されるような検体データの配列は、視認者が検体データにおけるパターンを観察することを可能にする。例えば、例示的なグラフ５００を一見することによって、視認者は、一週間内の数日間、検体濃度値が午前１２時頃に高い閾値を超過することを迅速に観察することができる。
【０１９５】
いくつかの実施形態では、検体濃度値のデータ構造または配列は、グラフ５００の中央領域５０８に修正されたグラフィック表示を生成するように構成され得る。例えば、データが昼または夜の時間に対応するかどうかを示すために、１つ以上の追加の視覚表現を中央領域５０８内に含み得る。上に記載されるように、表示デバイス３１０のＧＵＩ３４０は、例えば、タッチセンシティブディスプレイを介して、システム３０２のユーザからの入力を受信するように構成され得る。そのような入力が存在する場合、ユーザは、グラフ５００における同心リングのいずれかの点にタッチするか、またはそれを示すことができる。続いて、タッチされた点に対応する検体濃度値の測定値を、中央領域５０８に表示することができる。いくつかの実施形態では、ユーザからの入力データが受信されない場合、グラフ５００に示される全期間に対応する平均値または他の統計的に駆動される代表データ値を、中央領域５０８に表示することができる。例えば、ユーザがグラフ５００上の点を示さない場合、検体濃度値の週平均を示し得る。いくつかの例では、グラフ５００に表された検体濃度値についての追加情報を示すために、中央領域５０８に１つ以上の追加のグラフィックアイコンを示すことができる。グラフィックアイコンは、データが昼間、夜間、週末、就業日、またはグラフ化されたデータの他の時間的指標と関連するかどうかを示し得る。
【０１９６】
いくつかの実施形態では、ユーザは、例えば、グラフ５００のリングのうちの１つにタッチすることによって、検体センサアプリ３３０に入力を提供することによって、所与の日についての追加情報を得ることができる。グラフ５００の代わりに、またはグラフ５００に加えて、タッチされたリングに対応する日のより詳細を示す追加のグラフを示し得る。図６は、時間間隔にわたる検体濃度値のデータ構造及び配列に対応する修正されたグラフィック表示を例証する。検体濃度値のデータ構造及び配列は、検体濃度値が高い閾値及び低い閾値ならびに標的領域に関する形状で示される、グラフ６００Ａまたは６００Ｂを生成し得る。グラフ６００Ａまたは６００Ｂに示される時間間隔は、グラフ５００におけるタッチされたリングに対応する２４時間の期間であり得る。他の時間間隔を使用することもできる。グラフ６００Ａもしくは６００Ｂは、ユーザがグラフ５００上の点を示したときに、グラフ５００と平行して、その代わりに、もしくは併せて、表示され得る。さらに、ユーザは、ポインティングデバイスまたはタッチ画面を用いてグラフ６００Ａに沿った異なる点を示すことができ、グラフ６００Ａは、グラフ６００Ａの中央領域６１４内のユーザの示された点に対応する検体データを表示するように更新及び修正することができる。更新された検体データは、ユーザによって示された点に対応する、検体濃度値、時間、及び日付を含み得る。グラフ６００Ａに示される例では、ユーザは、タッチディスプレイにタッチすることによって、またはグラフ６００Ａのディスプレイ上の点６１６を回転させることによって、６月２４日の午前５時に対応する検体データを見たいという欲求を示している。グラフ６００Ｂは、ユーザが６月２４日の午前９時に対応する検体データ値を見たいという欲求を示している、修正されたグラフ６００Ａである。検体濃度値及び対応する時間は、それに応じて修正され、中央領域６１４において更新される。
【０１９７】
グラフ６００Ａもしくは６００Ｂでは、高い閾値を超過する検体濃度値は、グラフ６００Ａもしくは６００Ｂのリングの外周から外方に延在する突出部によって示され得る。高い閾値突出部のいくつかの例は、外方突出部６０２、６０４及び６０６を含み得る。低い閾値を下回る検体濃度値は、グラフ６００Ａまたは６００Ｂの内周から内方に延在する突出部によって示され得る。低い閾値突出部のいくつかの例は、内側突出部６０８、６１０及び６１２を含み得る。上に記載されるように、いくつかの実施形態では、ユーザは、リング形状のグラフ６００Ａ上のまたはそれに沿った点６１６にタッチすることができ、タッチされた点に対応する検体濃度値の測定値を、グラフ６００Ａの中央領域６１４に示すことができる。
【０１９８】
いくつかの実施形態では、グラフ６００Ａもしくは６００Ｂは、検体濃度値の大きさに対応する陰影、勾配、もしくは色を利用し得る。例えば、検体濃度値を示すために、陰影の様々な強度及び／もしくはコントラストを利用するように、グラフ６００Ａまたは６００Ｂを生成もしくは修正することができる。陰影６０２、６０４、６０６及び同様の陰影を使用して、検体濃度値が高い閾値を超過する場所を示すことができる。陰影の強度は、検体濃度値の大きさに対応し得る。陰影６０８、６１０、６１２及び同様の陰影は、検体濃度値が低い閾値を下回る、グラフ６００Ａまたは６００Ｂの領域内で使用され得る。ニュートラル陰影、例えば、陰影６１８は、標的範囲内の検体濃度値を示すために使用され得る。当業者であれば、上に記載されるような陰影は、例示的なものであり、他の陰影、テクスチャ、勾配、及び／または色を含む他の視覚表現を使用し得ることを理解することができる。
【０１９９】
図７は、複数の時間間隔にわたる検体データのデータ構造及び配列によって生成された、修正されたグラフィック表示の例証である。検体濃度値のデータ構造及び配列は、検体濃度値が１つ以上のセクションにおいて湾曲方向及び径方向に示される、断面グラフ７００を生成し得る。そのような実装では、視認者は、グラフ７００によって生成される特徴に基づいて、複数の時間間隔にわたって検体データ内の１つ以上のパターンを容易かつ簡単に検出することができる。グラフ７００は、第１の方向７０２にわたる検体濃度値を例証する。第１の方向７０２は、第１の時間スケールに従った湾曲方向であり得る。グラフ７００はまた、第２の時間スケールに従った第２の方向７０４に沿った検体濃度値を例証する。第２の方向７０４は、径方向であり得る。
【０２００】
図７のグラフ７００の例では、第１の時間スケールは、例えば、７つのセクションで毎日の検体濃度値を示すことができる、１週間（７日間）にわたる第１の方向７０２に沿った毎日の時間スケールである。第２の時間スケールは、例えば、毎時の検体濃度値を示すことができる、１日（２４時間）にわたる毎時の時間スケールである。他の時間間隔を使用することもできる。グラフ７００の各セクションは、それに隣接して示される他の２４時間の検体濃度値を用いて、２４時間にわたる毎時の検体濃度値を表し得る。いくつかの実施形態では、グラフ７００のセクションは、任意選択的に、１つ以上の緩衝領域７０６によって分離され得る。グラフ７００に表される検体データは、７日間にわたる検体データに限定される必要はない。表示される各日に対する検体データの融合もまた、グラフ７００を生成するために使用され得る。
【０２０１】
グラフ７００は、検体濃度値についての追加情報を伝達するために、図５及び６の実施形態と関連して上に記載されるように、陰影付けまたは色分けされ得る。
【０２０２】
ユーザは、グラフ７００のいずれかのセクションをクリックして、そのセクションに対応する時間間隔の排他的な図を得ることができる。いくつかの実施形態では、セクションの選択時に、グラフィック表示７００を修正して、残りのセクションが選択されたセクションへと縮小することを示すことができ、選択されたセクションのみが、その後に、選択されたセクションに焦点を当てたグラフィック表示を提供するように修正される。残りのセクションが縮小の動きにある間に、高い閾値及び低い閾値に関する検体データに対応する高いグラフ及び低いグラフを、グラフ７００と併せて表示することもできる。
【０２０３】
図８は、複数の時間間隔にわたる検体データのデータ構造及び配列によって生成される、修正されたグラフィック表示の例証である。検体濃度値のデータ構造及び配列は、検体濃度値が時間スケール８０２にわたる複数の時間間隔にわたって示されるグラフ８００を生成し得る。検体濃度値の大きさは、垂直軸８０４上に表され得る。時間スケール８０２は、２４時間の期間を表し得る。しかしながら、他の時間の期間を構成及び表示してもよい。各折れ線グラフ８０６、８０８、８１０等は、異なる２４時間にわたる検体濃度値を表す。例えば、１週間にわたる検体濃度値は、折れ線グラフ８０６、８０８、８１０等で表され得る。表示される各日に対する検体データの融合がまた、折れ線グラフ８０６、８０８、８１０等を生成するために使用され得る。各線グラフは、異なる不透明度で陰影付けされた曲線の下の領域を利用して、異なる時間間隔の検体濃度値を視覚表現的に区別することができる。ユーザは、ポインティングデバイスによって、またはタッチ画面を介して、グラフ８００上の点を指示すことができ、グラフ８００上の選択された点に対応する検体濃度値の測定値を含む、コールアウトウィンドウ８１２を示すことができる。
【０２０４】
いくつかの実施形態では、１つ以上の側部タブを利用して、検体データを視覚表現的に分離し、より焦点を当てた図を提示することができる。例えば、折れ線グラフ８０６、８０８、８１０等が検体データの１週間を表す場合、側部タブもしくはボタン８０６−１、８０８−１、．．．、８１０−１の集合を使用することができ、側部タブもしくはボタン８０６−１の作動は、折れ線グラフ８０６及びその対応する領域を、他の表示された検体データに関する曲線及び不透明度の下で、より目立つように表示する。選択されていない検体データは、より目立たない陰影で表示され得る。側部タブまたはボタン８１４は、全ての検体データを作動させ、かつ目立つように表示し得る。
【０２０５】
いくつかの実施形態では、１つ以上のボタンまたはアイコンを使用して、高い閾値及び低い閾値に対して検体データを分離し得る。例えば、グラフ８００では、ユーザは、ポインティングデバイスを介して、またはタッチ画面にタッチすることによって、高い閾値ボタン８１６を指すことができる。グラフ８００は、１つ以上の高い閾値よりも高い大きさを有する検体データの領域を視覚表現的に区別するように修正され得る。視覚表現的区別は、異なる陰影、勾配を使用することによって、または色が使用される場合、色の異なる強度もしくは勾配を使用することによって、生成され得る。同様に、ユーザは、ポインティングデバイスを介して、またはタッチ画面にタッチすることによって、低い閾値ボタン８１８を指すことができる。グラフ８００は、１つ以上の低い閾値よりも小さい大きさを有する検体データの領域を視覚表現的に区別するように修正され得る。ボタンもしくはアイコン８１６及び８１８は、押下されたときに表示され、それによりそれらの対応するディスプレイを作動させ得るか、または押下されないときに表示され、それによりそれらの対応するディスプレイを作動停止させ得る。いくつかの実施形態では、グラフ８００によって取り込まれた検体データに対応する検体データについての累積情報を示し得る。例えば、高い閾値を超過する、低い閾値を下回る、かつ高い閾値及び低い閾値内の、検体データのパーセンテージを示す１つ以上のアイコンまたは視覚表現を、それぞれ、示し得る。パーセンテージアイコンは、対応する高いまたは低い閾値ボタンが押下されたときに、同時に示され得る。一実施形態では、パーセンテージアイコンは、円形の中心に示されたパーセンテージに基づいて、円の厚さ、色の強度、または不透明度が判定される、円形の形状であり得る。
【０２０６】
高い閾値もしくは低い閾値は、ユーザによって入力され得るか、またはシステム３０２が利用可能な患者データもしくは複数の患者データから導き出され得る。異なる時間間隔、時間の期間、もしくは日付について、複数の閾値を入力、定義、もしくは導き出すことができる。グラフ８００は、図５及び６の実施形態と関連して上に記載されるように、色でレンダリングすることができる。
【０２０７】
図９は、複数の時間間隔にわたる検体データのデータ構造及び配列によって生成される、修正されたグラフィック表示の例証である。検体濃度値のデータ構造及び配列は、検体濃度値が時間スケール９０２にわたる複数の時間間隔にわたって示される、グラフ９００を生成し得る。検体濃度値の大きさは、垂直軸９０４上に表され得る。時間スケール９０２は、２４時間の期間を表し得る。しかしながら、他の時間の期間を構成及び表示してもよい。例示的な折れ線グラフ９０６、９０８、９１０等の各々は、異なる２４時間の期間にわたる検体濃度値を表す。例えば、１週間にわたる検体濃度値は、折れ線グラフ９０６、９０８、９１０等によって表され得る。ユーザは、例えば、マウスポインタをグラフ９００にわたって動かすことによって、またはグラフ９００を表示するタッチ画面のディスプレイにタッチすることによって、ポインティングデバイスを介してグラフ９００の任意の部分を指すことができる。アイコンもしくはオーバーレイグラフィック表示、コールアウトウィンドウ９１２等を、ユーザが指したグラフ９００上に示すことができ、コールアウトウィンドウは、ユーザが選択した点に対応する検体データの測定値を表示し得る。重複もしくは将来のデータが検出されたグラフ９００の一部分をユーザがクリックもしくは指す場合、グラフィック表示９１４がグラフ９００の領域内に現れ、ユーザにさらなる情報をクリックさせるように指示し得る。ユーザがグラフィック表示９１４をクリックすると、追加のグラフィック表示、例えば、テキストボックス９１６がグラフ９００の領域内に現れ、ユーザに追加情報を提供し得る。
【０２０８】
いくつかの実施形態では、折れ線グラフ９０６、９０８、９１０等は、それらが表す基礎となる検体データの信頼度に応じて、異なる線形またはスタイルでレンダリングすることができる。例えば、破線のスタイルは、不確実な検体データを示し得る。連続した線は、信頼可能に追跡された検体データを示し得る。点線９２４は、予測される将来の検体データを示し得る。各折れ線グラフスタイルの説明と共に、グラフ９００の表示にグラフキー９１８を含み得る。
【０２０９】
いくつかの実施形態では、１つ以上のボタンまたはアイコンを使用して、高い閾値及び低い閾値に対して検体データを分離し得る。例えば、グラフ９００では、ユーザは、ポインティングデバイスを介して、またはタッチ画面にタッチすることによって、高い閾値ボタンもしくは他の仮想メニューもしくはボタンオプションを指すことができる。グラフ９００は、１つ以上の高い閾値よりも高い大きさを有する検体データの領域９２０を視覚表現的に区別するように修正され得る。視覚表現的区別は、異なる陰影、勾配を使用することによって、または色が使用される場合、色の異なる強度もしくは勾配を使用することによって、生成され得る。同様に、ユーザは、ポインティングデバイスを介して、またはタッチ画面にタッチすることによって、低い閾値ボタンもしくは他の仮想メニューもしくはボタンオプションを指すことができる。グラフ９００は、１つ以上の低い閾値よりも小さい大きさを有する検体データの領域９２２を視覚表現的に区別するように修正され得る。ボタンもしくはアイコンは、押下されたときに表示され得、それによりそれらの対応するディスプレイを作動させ得るか、または押下されないときに表示され、それによりそれらの対応するディスプレイを作動停止させ得る。
【０２１０】
図１０は、図９の修正されたグラフィック表示の例証である。グラフィック１０００は、閾値視認ボタンもしくは他の仮想メニューもしくはボタンオプションが押下もしくは作動される、グラフ９００と同様である。１つ以上の高い閾値１００２及び１００４を超過する領域は、検体データ値が高い閾値１００２及び１００４を超過した時間を示すように、第１のスタイルの陰影によって視覚表現的に区別される。１つ以上の低い閾値１００６及び１００８を下回る領域は、検体データ値が低い閾値１００６及び１００８を下回った時間を示すように、第２のスタイルの陰影によって視覚表現的に区別される。図９と関連して上で考察されるように、検体データの高い逸脱と低い逸脱とを視覚表現的に区別する他の手段を使用し得る。例えば、色が使用される場合、色の勾配または色の異なる強度を使用し得る。
【０２１１】
図１１に示すような例示的なグラフ１１００を使用して、グラフ９００から折れ線グラフ９０６、９０８、９１０等のうちのいずれかを、また同様に、グラフ６００Ａまたは６００Ｂから特徴６０２、６０４、６０６、６０８等の毎日の分析を、提供し得る。代替的に、他の時間間隔を使用することもできる。例示的なグラフ１１００では、検体データの毎日の分析を見るために、棒グラフを使用する。軸１１０２は、時間を示す。検体濃度値の大きさは、垂直軸１１０４上に表され得る。ユーザは、ポインティングデバイスを介して、またはタッチ画面にタッチすることによって、特定の折れ線グラフ９０６、９０８もしくは９１０を指示することによって、グラフ１１００の表示をトリガし得る。１つ以上の線は、グラフ１１００及び／または閾値レベルを生成するために使用される、基礎となる検体データの平均検体濃度値の範囲を示し得る。図１１に示す例では、高い閾値レベル１００２及び１００４ならびに低い閾値レベル１００６及び１００８が、グラフ１１００上に表示されている。
【０２１２】
図１２は、検体濃度値が複数の時間間隔にわたって配列及び提示され、かつクロックダイヤルグラフ１２００上に示されている、例示的なグラフィック表示の例証であり、視認者は、検体データにおける１つ以上のパターンを複数の時間間隔にわたって簡単に検出することができるようになっている。一実装では、グラフ１２００は、高い閾値を超過する、低い閾値を下回る、または標的値内の検体濃度値に各々対応する、異なる陰影を利用し得る。いくつかの時間間隔（例えば、数日間）の検体濃度値を重ね合わせて、グラフ１２００を構成し得る。このシナリオでは、勾配を生成して、グラフ１２００に図示されている複数の時間間隔にわたるパターンを示すことができる。例えば、暗い陰影１２０８を使用して、低い閾値を下回る検体濃度値を示し、７日間に対する午前１２時から午後１２時の間の検体濃度値を重ね合わせて、グラフ１２００を構成し、午前３時から午前６時の間の時間に対する陰影１２０８の勾配は、７日間にわたるその時間中の検体値の低下を示し得る。ユーザは、このパターンを７日間にわたる検体データに簡便に配列し、自身の健康管理をより良く行うための適切な処置を取ることができる。いくつかの実施形態では、検体傾向値グラフィックがまた、折れ線グラフ１２０２を用いて検体濃度値の変化を示すグラフ１２００に含まれ得る。
【０２１３】
いくつかの実装では、折れ線グラフ１２０２は、より高い被検体レベルがグラフ１２００の外側湾曲した領域により近く、より低い被検体レベルがグラフ１２００の内側湾曲領域により近いか、またはその逆であるように、クロックダイヤルグラフ１２００上に重ねられた検体レベルトレースであり得る。記載されるように、グラフ１２００では、様々な勾配及び／または対照的な陰影を使用して、様々な検体レベル値を表し得る。より高い検体レベルは、第１の陰影１２０６にあり得、低い検体レベルは、第２の陰影１２０４にあり得、より高い検体レベルとより低い検体レベルとの間の検体レベルは、第３の陰影１２０８にあり得る。検体レベルトレース１２０２は、毎日の検体濃度値の平均検体レベル、または代替的に、毎時の時間スケールにわたる現在の検体レベルを含み得る。
【０２１４】
いくつかの実装では、最も直近に検出された検体濃度値または検体濃度値の平均値を、グラフ１２００の中央１２０４に表示することができる。いくつかの実装では、追加のアイコンが、グラフ１２００に図示されたデータが昼または夜の時間の値に対応するかどうかを示し得る。
【０２１５】
いくつかの実施形態では、実装されたグラフィック表示１２００を、ディスプレイ３４５上でレンダリングすることができる。表示デバイス３１０は、ユーザからの入力（例えば、タッチ画面３４５上でのタップ）を受信し、グラフ１２００を反転させて、ユーザが高い閾値を超過する、低い閾値を下回る、またはグラフ１２００に図示された時間の期間に対する２つの閾値内の検体濃度値を経験した時間のパーセンテージを図示する表示グラフィックを示すことができる。
【０２１６】
図１３Ａは、システム３０２が、いくつかの実施形態による修正されたグラフィック表示４００Ａ、４００Ｂ、５００、６００、７００、８００、９００、１０００、１１００、及び１２００を生成及び表示することができる、例示的な方法のフローチャート１３００を例証する。プロセス１３００は、ブロック１３０２で始まる。ブロック１３０４において、検体センサアプリケーション３３０は、連続的検体センサデバイス３７５から、またはセンサ測定回路３７０から得られた検体データを、表示デバイス３１０で受信し得る。検体センサアプリケーション３３０で受信された検体データは、ある期間中の検体測定値と関連付けられた検体濃度値を含み得る。ブロック１３０６において、検体センサアプリケーション３３０は、プロセッサ３３５に、複数の時間間隔にわたって検体濃度値の配列を生成するように、検体濃度値を表示デバイス３１０で処理させることができる。ブロック１３０８において、検体センサアプリケーション３３０は、プロセッサ３３５に、検体濃度値の配列のグラフィックを生成させることができる。ブロック１３１０において、検体センサアプリケーション３３０は、プロセッサ３３５に、検体濃度値の１つ以上の特徴を示すように、グラフィックを修正させることができる。例えば、検体濃度値における１つ以上の特徴を示すようにグラフィックを修正することにより、検体濃度値の１つ以上のパターンを示すようにグラフィックを修正することができる。ブロック１３１２において、検体センサアプリケーション３３０は、プロセッサ３３５に、修正されたグラフィックを表示デバイス３１０のディスプレイ３４５に表示させることができる。本方法は、ブロック１３１４で終了する。
【０２１７】
図１３Ｂは、図１３Ａのブロック１３０６で識別されたプロセスを実装して、検体濃度値等の検体データを処理し、複数の時間にわたって検体濃度値の配列を生成するための例示的な方法のフローチャート１３０６を例証する。表示デバイス３１０のプロセッサ３３５が本方法を実装する、この例示的な方法が記載されているが、システムの他のデバイスが、本方法を実装するように構成され得ることが理解される。プロセス１３０６は、ブロック１３１６で始まる。いくつかの実装では、ブロック１３１８において、プロセッサ３３５は、ある時間に対するそれらの時間値に基づいて、検体濃度値群を集約する。例えば、検体データの日、週、月、もしくは他の期間は、例えば、午後１２時、午後１２時１０分、午後１２時２０分、午後１２時３０分等に群化された検体濃度値等、１日を通じて５、１０、１５、もしくは他の時点に基づいて集計することができる。場合によっては、検体濃度値は、午後１２時、午後１２時０１分、午後１１時５９分等、同じ時刻の時刻値と全てが一致しない場合もある。そのような場合、プロセッサ３３５は、ある範囲、例えば、±５分以内にある全ての値について、検体濃度値を特定の時点（例えば、午後１２時）と関連付けることができる。
【０２１８】
ブロック１３２０において、プロセッサ３３５は、図１３Ａのブロック１３０８でグラフィックを生成するために、もしくはブロック１３１０で修正されたグラフィックを生成するために使用される追加のデータを用いて検体データにフラグを立てるか、もしくはこれを埋め込むことができる。グラフィックは、他のグラフィックの中でも特に、グラフ４００Ａ、４００Ｂ、５００、６００、７００、８００、９００、１０００、１１００、及び１２００と関連する、上に記載されたグラフィック表示を含み得る。追加データは、１つ以上の時間スケール、受容体もしくは受容体群における検体データの高い閾値及び低い閾値の１つ以上のセットとタグ付けもしくは表化された検体データとの関係、ブロック１３１８で収集される集約された検体データと関連するコンテキスト情報、及び上に記載されたグラフのグラフィック表示を生成もしくは修正するために、後で呼び出され得るか、または別様に使用され得る任意の他の情報に基づいて、検体データにフラグを立てるか、もしくは検体データを集計することを含み得る。いくつかの実装では、ブロック１３２２に示すように、データを分析した後に、検体データを用いて追加データにフラグを立てるか、または追加データを埋め込むプロセスを実行する。
【０２１９】
ブロック１３２２において、プロセッサ３３５は、群化された検体濃度値を分析する。いくつかの実装では、プロセッサ３３５は、群化された値の最大値及び／または最小値（複数可）を判定し得る。いくつかの実装では、プロセッサ３３５は、群化された値の平均値、中央値、標準偏差値、または他の統計メトリックを判定し得る。さらに、プロセッサ３３５は、例えば、図１３Ａのブロック１３１０において、検体データにおけるパターンを示す修正されたグラフィック表示を形成するのを助けるように、群化された検体濃度値に対してフーリエ変換、ラプラス変換、及び／またはサンプリング技術を実行することができる。いくつかの実装では、ブロック１３２０におけるプロセスは、ブロック１３２２後の検体濃度値の分析群に対して実行され、検体濃度値の分析群は、ブロック１３１０におけるグラフィックを修正する際に使用するための追加データにフラグを立てるか、または追加データを埋め込むことができる。例えば、分析された検体濃度値群は、所定の閾値を超過するか、もしくは所定の範囲外である、平均値、中央値、標準偏差値等を有してもよく、かつ追加データにフラグを立てるか、もしくは追加データを埋め込むことができる。
【０２２０】
ブロック１３２４において、プロセッサ３３５は、グラフ４００Ａ、４００Ｂ、５００、６００、７００、８００、９００、１０００、１１００、及び１２００と関連する、上に記載されるような修正されたグラフィックの種類と関連付けられた空間的または時間的パラメータに基づいて、検体濃度値の分析群を配列する。例えば、グラフィックが第２の時間スケールを含む場合、プロセッサ３３５は、検体濃度値の分析群を、１週間の数日、１ヶ月の数日、期間の選択された数日（就業日、休暇日、もしくは他のユーザ選択時間枠等）等の第２の時間スケールに対する昼の時間の値のそれらの時間に従って配列し得る。
【０２２１】
ブロック１３２６において、プロセッサ３３５は、検体データの配列された分析群のデータセットを形成する。データセットは、例えば、図１３Ａのブロック１３０８において、ディスプレイ３４５上に表示可能なグラフィック表示を形成するための基礎として、プロセッサ３３５によって処理され得るように構成されている。上に記載されるように、ブロック１３２６で生成されたデータセットは、自己参照型であり、図１３Ａのブロック１３０８におけるグラフィックまたは図１３Ａのブロック１３１０における修正されたグラフィックを生成するための情報を含む。
【０２２２】
本方法及びシステムのいくつかの利点は、下記を含み得る。ブロック１３２６で生成された自己参照データセット（ＳＲＤＳ）は、プロセッサ３３５が、ブロック１３０８及び１３１０のグラフィックを生成するために、システム３０２の様々な部分から必要な情報を検索及び呼び出す必要をなくす。別様に、例えば、ブロック１３２６で生成された自己参照データセットがなければ、プロセッサ３３５は、ユーザが異なるグラフィックを要求する度に、もしくは表示されたグラフィックの修正を要求する度に、システム３０２の様々な部分を検索、照会、及び／もしくは呼び出さなければならないだろう。このように、ブロック１３２６で生成された自己参照データセットは、システム３０２の様々な部分の間のデータ処理及びデータ送信における複雑さを低減することによって、システム３０２の動作を改善する。例えば、ＳＲＤＳを使用すると、システムは、パターン情報をユーザに伝達するためのディスプレイ等の出力を生成するために、例えば、パターン認識アルゴリズム等の追加のアルゴリズムを保存または処理する必要がなくなる。さらに、ブロック１３２６で生成された自己参照データセットは、図１３Ａのブロック１３０８及び１３１０のグラフィック表示を生成する目的で送信されるべきデータの量及び頻度を低減し得る。したがって、保存及び動作されるべき関連する処理アルゴリズムまたはグラフィック化アルゴリズムもまた、低減され、システム３０２の性能が、向上する。
【０２２３】
プロセス１３０６は、ブロック１３２８で終了し、さらなる処理は、図１３Ａのブロック１３０８に引き継がれる。
【０２２４】
図１３Ｃは、図１３Ａのブロック１３０８で識別されたプロセスを実装して、検体濃度値の配列のグラフィックを生成するための例示的な方法のフローチャート１３０８を例証する。表示デバイス３１０のプロセッサ３３５が本方法を実装する、この例示的な方法が記載されているが、システムの他のデバイスが、本方法を実装するように構成され得ることが理解される。プロセス１３０８は、ブロック１３３０で始まる。ブロック１３３２において、プロセッサ３３５は、ユーザの所望のグラフィック表示と関連するユーザの入力データを受信する。これらは、所望されるグラフィック表示の種類（例えば、テキスト、バー、パイ、もしくは他のチャート等のチャート、及び／もしくは４００Ａ、４００Ｂ、５００、６００、７００、８００、９００、１０００、１１００、及び１２００等のグラフィック表示、もしくは他のグラフィック表示）、及び／またはプロセス１３０６のデータセットが形成されている１つ以上の時間スケールに関するグラフィック表示をユーザが見ることを所望する範囲を含み得る。
【０２２５】
ブロック１３３４において、プロセッサ３３５は、表示デバイス３１０もしくはディスプレイ３４５と関連するハードウェアもしくはソフトウェアデータを受信し得る。表示データは、例えば、利用可能な視認領域、利用可能な配向、及び利用可能な入力デバイスのサイズ、寸法、または解像度を含み得る。ブロック１３３６において、プロセッサ３３５は、ブロック１３２６で形成された自己参照データセットが、ユーザの所望のグラフィックを生成するために必要な全ての情報を含むかどうかを判定することができる。一例として、ユーザは、自己参照データセット内に取り込まれた範囲外にある検体データの表示を要求している可能性がある。これらの場合、プロセス１３０６を繰り返すことができ、より包括的な自己参照データセットを形成することができる。しかしながら、ほとんどの場合、自己参照データセットは、ユーザの所望のグラフを生成するために必要な情報及びデータを全て含むような方法で形成される。
【０２２６】
ブロック１３３８で、プロセッサ３３５は、ユーザの入力データ及び表示デバイスデータに基づいて、自己参照データセットを再フォーマットし、かつフォーマットされた自己参照データセットを生成する。例えば、ユーザの所望の表示範囲が自己参照データセット内に取り込まれたデータの範囲よりも小さい場合、ブロック１３３８におけるプロセッサ３３５は、自己参照データセットからそのデータを消去することによって、所望されないまたは範囲外のデータをフィルタリングすることができる。ブロック１３４０において、プロセッサ３３５は、フォーマットされた自己参照データセットに基づいて、検体濃度値の配列のグラフィックを生成する。ブロック１３４０に関与する処理は、ユーザによって選択されたグラフィック及び表示デバイスのデータの種類に依存し得る。例えば、ユーザが図４Ａと関連して上に記載されるようなグラフ４００Ａを所望する場合、プロセッサ３３５は、利用可能な視認領域及び表示デバイス３４５の配向に基づいて、グラフ４００Ａを生成するための正しいスケールを判定することができる。
【０２２７】
プロセス１３０８は、ブロック１３４２で終了し、さらなる処理は、図１３Ａのブロック１３１０に引き継がれる。
【０２２８】
図１３Ｄは、図１３Ａのブロック１３１０において識別されたプロセスを実装して、検体濃度値における１つ以上の特徴を示すようにグラフィックを修正するための例示的な方法のフローチャート１３１０を例証する。表示デバイス３１０のプロセッサ３３５が本方法を実装する、この例示的な方法が記載されているが、システムの他のデバイスが、本方法を実装するように構成され得ることが理解される。ユーザによって選択されたグラフィック表示に応じて、プロセッサ３３５は、プロセス１３０８によって生成されたグラフィックを修正して、検体データにおける１つ以上の特徴及び／またはパターンを示すことができる。さらに、修正されたグラフィックは、提示されたデータの情報の過負荷及び可能なユーザによる誤解を低減する形態で、データを提示することができる。例えば、ユーザが３次元グラフ、例えば、グラフィック表示４００Ａを選択した場合、グラフ化された検体データの特定の部分は、グラフ化されたデータの他の部分をブロックし得る。プロセス１３１０は、そのような例を検出し、例えば、グラフ化された検体データの部分を重複領域で透明にすることによって、グラフ化されたデータをそれに応じて修正し得る。
【０２２９】
プロセス１３１０は、プロセス１３０８によって生成されたグラフィックを修正するために色を使用し得る。例えば、プロセス１３１０は、高い閾値及び低い閾値の１つ以上のセットと関連するグラフ化された検体データに様々な陰影の色を加えることができる。プロセス１３１０は、プロセス１３０６のブロック１３２０で得られた、フラグを立てたまたは追加の埋め込み情報を利用して、グラフ化されたデータを色分けすることができる。例えば、プロセッサ３３５は、高い閾値よりも２０％〜３０％高い検体値に対応するグラフ化されたデータの部分を検出し得る。黄色または陰影を使用して、これらの値を示すためにグラフ化された検体データを修正し得る。別の部分におけるグラフ化された検体データが高い閾値よりも４０％〜５０％高い場合、対照的な陰影（例えば、色が使用される場合、灰色の勾配のより暗い陰影、または黄色のより暗い陰影）を使用して、検体データのその部分を示すことができる。プロセッサ３３５は、自己参照データセットにおけるフラグまたは埋め込まれた追加データを参照して、高い閾値及び低い閾値と関連するグラフ化されたデータの部分を検出及び修正することができる。
【０２３０】
いくつかの例では、プロセス１３１０は、プロセス１３０６のブロック１３２２で得られた統計分析を利用して、プロセス１３０８によって生成されたグラフィックを修正することができる。例えば、自己参照データセット（ＳＲＤＳ）は、どの検体値が検体データの標準偏差値の許容可能な乗数の範囲外にあるか、またはどの検体値が統計的に信頼できないかを示すフラグもしくは埋め込みデータを含み得る。プロセッサ３３５は、ＳＲＤＳにおける統計的に導き出されたフラグに基づいて、グラフ化されたデータを修正することができる。
【０２３１】
いくつかの実装では、ＳＲＤＳは、検体データのコンテキストに基づくフラグまたは埋め込み情報を含み得る。検体データのコンテキストは、様々な源から得られ得るか、または導き出され得る。例えば、特定の曜日に得られた検体値がレストランで検出されるモバイル表示デバイス３１０と一致する場合、ＳＲＤＳは、この相関を示すフラグまたは埋め込み情報を含み得る。検体データとデータのコンテキストとの間の検出された相関の頻度も、ＳＲＤＳ内に含まれ得る。プロセッサ３３５は、ＳＲＤＳ内で見つかったコンテキストに基づくフラグに従った特徴を含むようにグラフ化されたデータを修正して、ある期間にわたる検体データに関連するユーザの挙動のパターンを視覚表現的に示すことができる。ユーザは、修正されたグラフ化された検体データ及び本明細書に記載される特徴に基づいて、部分的に健康または糖尿病と関連する意思決定を行うことができる。
【０２３２】
いくつかの実装では、プロセッサ３３５は、ＳＲＤＳにおけるフラグまたは埋め込み情報のパターンを検出することに基づいて修正が行われる、グラフ化されたデータを修正し得る。例えば、ＳＲＤＳは、検体データのピーク及び谷を示すフラグを含み得る。プロセッサ３３５は、多数の集中したピークを有する２次元グラフにおいて、グラフ化された検体データの異なるセクションが、視覚表現的に融合し、これらのピークの識別を視認者にとって困難なものにする可能性があることを検出し得る。そのような場合、プロセッサ３３５は、このシナリオを是正するために、グラフ化された検体データの様々なセクション間に緩衝領域を増加または導入し得る。プロセッサ３３５は、ＳＲＤＳにおけるフラグもしくは追加の埋め込みデータを参照して、データのピーク及び谷を検出し、ピークが過度に近くにグラフ化されているパターンが存在するかどうかを判定し、新規もしくは増加された緩衝領域を含むためにグラフ化されたデータを修正することにより、グラフ化されたデータの簡便な視覚表現的解釈を助け得るようになっている。
【０２３３】
プロセス１３１０は、ブロック１３４４で始まる。次に、プロセス１３１０は、検体データの特徴を示すためにグラフ化されたデータの修正が続く一連の意思決定に進む。例えば、検体濃度値における１つ以上の特徴を示すようにグラフィックを修正することにより、検体濃度値の１つ以上のパターンを示すようにグラフ化されたデータを修正し得る。当業者であれば、本発明の技術が本明細書に開示された一連の意思決定及び修正に限定されるものではなく、本発明の技術の趣旨から逸脱することなく、さらなる一連の意思決定及び修正が、考案及び実装され得ることを容易に認識するだろう。また、全ての実装において、開示された意思決定及び修正のステップの全てが必要なわけではない。ユーザの所望のグラフィック表示に応じて、１つ以上の意思決定及び修正ステップが削除されてもよく、または他のステップが追加されてもよい。
【０２３４】
意思決定ブロック１３４６において、プロセッサ３３５は、ＳＲＤＳを走査して、検体データと１つ以上の高い閾値及び低い閾値との間の関係と関連するフラグまたは埋め込まれた追加データが存在するかどうかを検出する。ＳＲＤＳには、このような様々なフラグまたは追加的に埋め込まれた情報が含まれている場合がある。例えば、ＳＲＤＳにおける検体データは、ＳＲＤＳの検体値内の異なる時間スケールがそれら自体の関連する閾値を有することができる閾値にフラグを立てるか、または相関させることができる。ＳＲＤＳにおける検体データは、検体データが高い閾値もしくは低い閾値を超過するか、または下回るパーセンテージまたは範囲に基づいて、フラグを立てることができる。ブロック１３４８において、閾値フラグの構成及びユーザによって要求されたグラフィックの種類に応じて、プロセッサ３３５は、検体データの特徴及び／またはパターンを示すようにグラフ化されたデータを修正する。
【０２３５】
いくつかの実装では、修正は、色、勾配の色、陰影、様々な程度の透明度もしくは不透明度を使用することと、重複及び基礎となる領域に基づいて、色、勾配、もしくは透明度を変化させて、修正されたグラフィック表示４００Ａ、４００Ｂ、５００、６００、７００、８００、９００、１０００、１１００、及び１２００と関連する、上に記載されるような検体データにおける特徴及び／もしくはパターンの視覚表現的検出を可能にすることと、を含み得る。
【０２３６】
ブロック１３５０において、プロセッサ３３５は、ＳＲＤＳを走査して、プロセス１３０６において実行される統計分析と関連するフラグまたは埋め込まれた追加データがＳＲＤＳ内に存在するかどうかを検出する。プロセッサ３３５は、ＳＲＤＳにおけるフラグもしくは埋め込まれた追加データに基づいて、グラフ化されたデータを修正することができ、フラグもしくは埋め込まれた追加データは、統計分析に基づいている。例えば、ＳＲＤＳにおける検体データは、検体データと、標準偏差値、平均値、分散値、または基礎となる検体データと関連する他の統計パラメータとの関係に基づいて、フラグを立てることができる。いくつかの実装では、ＳＲＤＳにおける検体データは、検体データの標準偏差値の許容可能な乗数の範囲外にある場合、ＳＲＤＳにおける検体データにフラグを立てることができる。グラフ化された検体データの対応するグラフィック修正は、これらのフラグに基づくことができる。または、検体データの標準偏差値の２つの乗数内の検体データにフラグを立てて、後で色を用いてグラフ化データを修正することができる。
【０２３７】
ＳＲＤＳが統計に基づくフラグまたは埋め込み情報ならびにそれらに対応するグラフィック修正を含む場合、ブロック１３５２において、プロセッサ３３５は、それに応じてグラフ化されたデータを修正し得る。いくつかの実装では、修正は、色、色の勾配、陰影、様々な程度の透明度もしくは不透明度を使用して、修正されたグラフィック表示４００Ａ、４００Ｂ、５００、６００、７００、８００、９００、１０００、１１００、及び１２００に関して上に記載されるような検体データにおける特徴及び／またはパターンの視覚表現的検出を可能にすることを含み得る。
【０２３８】
ブロック１３５４において、プロセッサ３３５は、ＳＲＤＳを走査して、フラグまたは検体データのコンテキストと関連する埋め込まれた追加データが存在するかどうかを検出することができる。検体データのコンテキストのいくつかの例は、検体データが収集されたときのユーザの位置に関するコンテキスト情報（例えば、ユーザがレストラン、ジム、自宅もしくは職場もしくは学校にいたかどうか、そこでユーザがこの位置に現れた頻度）、検体データとユーザの様々な活動との関係（例えば、ユーザが食事をしたばかりであるとき、もしくは運動に参加したとき、または覚醒中もしくは睡眠中であるときに、検体データが収集されたかどうか、インスリンを摂取したかどうか、及びどれくらい摂取したか）を含み得る。コンテキスト検体データは、ユーザの介入なしに自動的に得られ得、またはユーザによって入力され得る。
【０２３９】
コンテキスト検体データは、本明細書に列挙された実施例に限定されるものではなく、当業者であれば、ＳＲＤＳにおいてフラグを立て得るか、埋め込み得るか、または別様に参照し得る他のコンテキスト検体データを容易に判定することができる。ブロック１３５６において、プロセッサ３３５は、ＳＲＤＳにおけるコンテキストフラグまたは埋め込まれたデータに基づいて、グラフ化されたデータを修正することができる。様々なコンテキストに対応する様々なグラフィック修正を、プロセス１３１０においてプログラムすることができる。コンテキスト修正は、色、色の勾配、陰影、様々な程度の透明度もしくは不透明度を使用して、修正されたグラフィック表示４００Ａ、４００Ｂ、５００、６００、７００、８００、９００、１０００、１１００、及び１２００と関連する上に記載されるような検体データにおける特徴及び／もしくはパターンの視覚表現的検出を可能にすることを含み得る。
【０２４０】
プロセス１３１０のグラフィック修正は、上に列挙した実施例に限定されない。多様なグラフィックは、検体データにおける特徴、パターン、もしくは傾向を示し、かつ健康もしくは糖尿病関連データをユーザに簡便にアラートもしくは伝達するために、修正のために使用することができる。プロセッサ３３５は、グラフィックアイコン、アニメーション、テキストもしくはテキストボックス、フォント及び定型化されたテキストもしくは数字、矢印、段階的フェーディング、またはプロセス１３１０においてグラフ化されたデータを修正するための他の技術等のグラフィックもしくはグラフィック技術を使用することができる。
【０２４１】
ブロック１３５８において、プロセッサ３３５は、ＳＲＤＳにおけるフラグ及びプロセス１３０８によって生成されたグラフィックを走査して、グラフ化されたデータに対する他の修正が可読性をさらに改善し、混乱を低減し、かつ検体データにおける特徴及び／もしくはパターンをより良く示すことができるかどうかを判定し得る。例えば、上に記載されるように、プロセッサ３３５が、グラフ化されたデータの種類に基づいて、グラフ化されたデータにおける多数の集中したピーク及びＳＲＤＳにおける関連付けられたフラグを検出する場合、ブロック１３６０において、プロセッサ３３５は、１つ以上の緩衝領域を導入もしくは追加することによってグラフ化されたデータを修正して、可読性を改善し、かつ検体データにおける特徴及び／もしくはパターンをより良く示すことができる。プロセッサ３３５はまた、プロセス１３０８によって生成されたグラフ化されたデータ及びＳＲＤＳにおけるフラグを立てられたデータを分析して、グラフ化されたデータにおける情報の伝達が低減される方法で重複領域がレンダリングされるかどうかを検出することもできる。ブロック１３６０において、プロセッサ３３５は、重複領域内の色、陰影、勾配、間隔、もしくは透明度を修正して、重複領域を視覚表現的に区別し、かつ検体データにおける特徴、パターン、もしくは傾向を伝達するためのグラフ化されたデータの能力を改善することができる。当業者であれば、健康または糖尿病関連データの伝達を改善するために、フラグ及びグラフ化されたデータならびにそれらと関連付けられた修正の追加の分析を容易に判定することができる。プロセス１３１０は、ブロック１３６２で終了し、さらなる処理は、図１３Ａのブロック１３１２に引き継がれる。
【０２４２】
いくつかの実装では、ＳＲＤＳを生成するプロセス、グラフ化されたデータ、及び修正されたグラフ化されたデータが、過去もしくは収集された検体データと関連して記載されているが、本発明の技術のシステム及び方法は、将来もしくは予測される検体データ、または過去の収集された及び将来の検体データの組み合わせと共に使用され得る。
【０２４３】
インスリンの可視化
本明細書に記載される実施形態は、検体データに基づいてデータ構造を生成することに限定されない。患者の健康と関連する他の化合物についての生のデータも受信することができ、システムは、そのようなデータに基づいて修正されたグラフィック表示を生成することができるデータ構造及びデータ配列を生成することができる。例えば、システムは、患者の残存インスリン（ＩＯＢ）レベルに対応するデータを受信し、かつ患者の健康についての有益な情報を簡便に示すために、修正されたグラフィック表示を生成することができるデータ構造またはデータ配列を生成することができる。図１３Ａ〜１３Ｄと関連付けられた方法は、インスリンデータと関連付けられた修正されたグラフィック表示を生成するために実装され得る。
【０２４４】
図１４は、データ構造及びインスリンデータの配列から生成される、修正されたグラフィック表示１４００の例証である。ディスプレイ１４００は、リング１４０２を含み得、完全な円リングは、インスリン作用の持続時間（ＤＩＡ）を表し得る。オーバーレイリング１４０４は、残存インスリンの量に対する残り時間を表し得る。オーバーレイリング１４０４のサイズは、完全円ＤＩＡの断片として判定され得る。例えば、４時間のＤＩＡのうちの１時間が残っている場合、残りの時間は、合計ＤＩＡのうちの４分の１になるだろう。この場合、オーバーレイリング１４０４は、リング１４０２の４分の１のみ重なり得る。ユーザがある用量のインスリンを摂取すると、オーバーレイリング１４０４は、リング１４０２全体に重なる。時間が経過して、インスリンが代謝されると、オーバーレイリング１４０４は、徐々に減少する。いくつかの実施形態では、リング１４０２及びオーバーレイリング１４０４は、２つを視覚表現的により良く区別するために、異なる陰影で各々レンダリングされ得る。いくつかの実施形態では、２つを視覚表現的に区別するために、色を使用する。残りの時間に対応するグラフィック表現１４０６は、リング１４０２の中心に示され得る。いくつかの実施形態では、グラフィック表現１４０６は、残存インスリン量を表す数字を含む。
【０２４５】
オーバーレイリング１４０４が長期間にわたって徐々に減少される場合、徐々に減少することが、一部の視認者にとっては識別し難い場合がある。いくつかの実施形態では、グラフィック表示１４００が生成されると、オーバーレイリング１４０４は、最初にリング１４０２と完全に重なるように示され、グラフィック表現１４０６は、ＤＩＡに対応するように示される。短い時間にわたって、オーバーレイリング１４０４は、残存インスリンの現在の量に対する残りの時間に対応するように、サイズが迅速に低減される。同じ時間量にわたって、グラフィック表現１４０６は、残存インスリンの現在の量に定着するように減少するように示され得る。例えば、グラフィック表示１４０６に対して数字が使用される場合、数字は、迅速なカウンタ計数ダウンと同様に減少し得、かつ残存インスリンの現在の量に定着し得る。オーバーレイリング１４０４及びグラフィック表現１４０６に対するそのようなグラフィックを短時間にわたって示すことにより、グラフィック表示１４００がどの情報を伝達するかを視認者が識別するのを助け得る。
【０２４６】
インスリンデータに基づいて生成されたＳＲＤＳは、プロセス１３０６のいくつかの実施形態によると、上に記載されるような、アニメーション、オーバーレイグラフ、及びテキスト情報に対する適切なトリガを含むようにフラグを立てることができる。いくつかの実装では、グラフィック表示１４００が開始されると、プロセス１３０８及び１３１０は、グラフィック１４００の生成と関連するフラグについてＳＲＤＳを解析し、かつプロセス１３０８によって生成されたグラフィックを修正して、修正されたグラフィック１４００を生成する。
【０２４７】
いくつかの実施形態では、検体センサアプリ３３０は、イベントデータを受信するように構成することができ、イベントデータは、健康管理または糖尿病と関連するユーザの動作及び活動についての情報を含み得る。例えば、イベントデータは、摂取した食事、運動の種類、持続時間及び強度、ならびに採られたインスリンの量及び種類を含み得る。検体センサアプリ３３０は、検体データ、インスリンデータ、及びイベントデータの、相互とのかつ／もしくはある期間とのもしくはある期間に関連する１つ以上の関係を視覚表現的に表すことができる修正されたグラフィック表示を次に生成することができる、検体データのデータ構造及び配列を生成するように構成され得る。例えば、ＳＲＤＳから生成された視覚表現的構成に基づいて、システム３０２のユーザは、健康関連の意思決定を簡便に行うことができ、または過度の精神的活動を伴わずに特徴及び／もしくはパターンを検出することができる。
【０２４８】
図１５及び１６は、グラフィック表示１５００及び１６００がインスリンデータ、検体データ、及びイベントの、相互とのかつ／もしくはある期間とのもしくはある期間に関連する１つ以上の関係を示す視覚表現を含む、実施形態によるデータ構造及びデータの配列から生成される、修正されたグラフィック表示１５００及び１６００を例証する。修正されたグラフィック表示１５００及び１６００の様々な実装では、ディスプレイは、インスリンデータ、検体データ、もしくはイベントデータのうちの１つ以上のディスプレイを含むことができ、これらのディスプレイは、インスリンデータ、検体データ、もしくはイベントデータの、相互とのもしくはある期間との１つ以上の関連を示す視覚表現をさらに表示するように修正され得る。視覚表現は、インスリンデータ、検体データ、もしくはイベントデータのディスプレイを不明瞭にしないように、視覚表現を成形及び構成もしくはスケールされ得る。さらに、視覚表現は、インスリンデータ、グルコースデータ、またはイベントデータのディスプレイ内にその全体として表示することができる。
【０２４９】
グラフィック表示１５００は、検体傾向グラフ１５０２を含み得る。水平軸１５０４上に、時間が表されている。垂直軸１５０６上に、検体データの大きさが表されている。検体傾向グラフ１５０２は、高い閾値及び低い閾値１５０８及び１５１０と関連して表すことができる。全ての実施形態が示されているわけではないが、検体傾向グラフ１５０２は、検体データと高い閾値及び低い閾値１５０８及び１５１０との間の関係を視覚表現的に示すために、高い閾値及び低い閾値１５０８及び１５１０と関連する様々な色、線スタイル、または陰影でレンダリングすることができる。グラフィック表示１５００は、イベントデータ表示領域１５１２をさらに含み得る。図１５の例では、イベントデータ表示領域１５１２にはイベントデータは示されていないが、そこに表示することもできる。イベントデータの例は、後で図１６に示され、イベントデータ表示領域１６１２には、様々なアイコン及びグラフィック表示が示される。図１５に戻って参照すると、グラフィック表示１５００は、インスリンデータ１５１４のグラフをさらに含み得る。水平軸１５１６は、時間を表し得る。垂直軸１５１８は、インスリンデータの大きさを表し得る。ユーザは、検体傾向グラフ１５０２及びインスリングラフ１５１４が異なる時間タブ１５２０を介して表示される期間を拡大または縮小することができる。グラフィック表示もしくはアイコン１５２２は、モバイルコンピューティングデバイスの配向をポートレートから風景に、もしくはその逆に、変更することによって、ユーザが検体データ、インスリンデータと、イベントデータと、時間との間の関係の異なる視覚表現を得ることができることをユーザに示すことができる。イベント表示領域１５１２は、炭水化物摂取量、運動に費やされた時間量、燃焼されたカロリー量、またはそれらの閾値もしくは時間に到達する心拍数のうちの１つ以上を含む、イベントデータのグラフィック配列のディスプレイを含み得る。
【０２５０】
図１６を参照すると、グラフィック表示１６００は、グラフィック表示１５００と同様である。イベントデータ表示領域１６１２は、ユーザがユーザの糖尿病の管理と関連して検討され得る動作を取ったときのインジケータに簡単にアクセスすることを可能にし得る。例えば、食事の摂取は、ラベルもしくはグラフィックアイコン１６１６で示すことができ、または運動セッションは、ラベルもしくはグラフィックアイコン１６１８によって示すことができる。イベント表示領域１６１２は、糖尿病の管理と関連する患者の動作に迅速にアクセスするために生成され得、かつ患者の介護者に示され得る。いくつかの実装では、糖尿病の管理と関連する可能性のある動作の一連のグラフィックアイコンをユーザに提示することができ、ユーザは、検体傾向グラフ１６０２またはイベント表示領域１６１２上にそれらをドラッグ及びドロップして、ユーザがそれらの動作を取ったときを示すことができる。例えば、ユーザは、食事イベントグラフィックアイコン１６１６をドラッグして、午後１２時頃に検体傾向グラフ１６０２上にそのアイコンをドロップすることができる。イベント表示領域１６１２は、その後、ユーザが午後１２時頃に食事を取ったことに対応するグラフィックアイコン１６１６を示すように更新され得る。同様に、ユーザは、午後６時３０分頃に運動アイコンを追加し得る。いくつかの実施形態では、ユーザは、音声認識またはキーボード入力を介してイベント情報を入力することもでき、イベント表示領域１６１２は、食事アイコン１６１６及び運動アイコン１６１８等の関連するアイコンを示すユーザの入力に基づいて自動的に更新し得る。
【０２５１】
ユーザは、ポインティングデバイスもしくはタッチ画面を利用して、検体傾向グラフ１６０２上の点を指すか、もしくはタッチし、コールアウトウィンドウ１６２０を作動させることもできる。コールアウトウィンドウ１６２０は、イベントデータ表示領域１６１２に表示されたイベントデータに関連する、より詳細な情報を含み得る。コールアウトウィンドウ１６２０は、例えば、タイムスタンプ、ユーザが摂取した食事の種類もしくは量、ユーザが実行した任意の運動の種類、強度、及び持続時間、ユーザの一般的な感情の何らかの指標、ならびにユーザが摂取したインスリンの種類及び量を含み得る。コールアウトウィンドウ１６２０は、インスリンデータ、例えば、ボーラスもしくは基礎量のインスリン、ボーラスインスリンの投与時間、基礎インスリンの投与時間、または残存インスリンの値のうちの１つ以上を含むインスリンデータのグラフィック配列を含み得る。
【０２５２】
グラフィック表示１５００または１６００のいくつかの実装は、チャートキーを含み得る。図１７は、グラフィック表示１５００または１６００と共に任意選択的に生成及び表示され得るインスリンチャートキー１７００の例を例証する。チャートキー１７００は、ユーザが取り得る異なる種類のインスリンに対応するグラフィック表示１７０２、１７０４、１７０６、１７０８、及び１７１０を含むことができ、これらは、例えば、基礎体温、ボーラス、拡張ボーラス、コンボボーラス、及び基礎を含み得る。
【０２５３】
図１８は、グラフィック表示１８００がインスリンデータ及び検体データの１つ以上の関係を示す視覚表現を含む実施形態による、データ構造及びデータの配列から生成される、修正されたグラフィック表示１８００を例証する。修正されたグラフィック表示１８００は、検体傾向グラフ１８０２を含み得る。水平軸１８０４上に、時間が表される。垂直軸１８０６上に、検体データの大きさが表されている。１つ以上の残存インスリン（ＩＯＢ）データの量は、１つ以上の矢印１８０８及び１８１０を利用することによって、検体傾向グラフ１８０２の上または上に表すことができ、矢印１８０８及び１８１０のサイズは、残存インスリン（ＩＯＢ）の量に対応する。任意選択的に、残存インスリン（ＩＯＢ）の量の１つ以上の数値表現を、例えば、テキストとして、矢印１８０８及び１８１０上またはその上に表示することができる。
【０２５４】
修正されたグラフィック表示１８００の使用の例証的な例では、データセット構造は、それが含み、かつ表示するＩＯＢデータの意味または効果の直感的な視覚表現化を可能にするように形成され得る。例えば、単なる数字の代わりに、残存インスリンは、グルコース傾向チャートの上に下向き矢印として視覚表現化される。生理学的には、インスリンがグルコースを押し下げることが理解されているので、これは、直観的である可能性がある。残存インスリンが多くなればなるほど、矢印は、大きくなる（押す力がより大きくなる）。ユニットの数は、任意選択的に、矢印で表示することもできる。ユーザが食事をしてインスリンを摂取した例示的使用の場合に、ユーザは、インスリンが作用しなかったために、より多くのインスリンを再び摂取する必要は必ずしもなく、次にインスリンの積み重ねを防止し得ることは、有用な注意事項となり得る。反対の使用の場合に、例えば、ユーザがインスリンを摂取し忘れた場合、矢印の欠如（または小矢印）が、忘れていることを思い出させる注意事項となり得る。
【０２５５】
アルゴリズムの可視化及び意思判定支援
糖尿病は、患者が常に頻繁に治療の意思決定を行わなければならない複雑な疾患であり得る。このように、糖尿病を管理する上での精神的な要求及びストレスは、患者への重い負担となっている可能性がある。システム３０２は、利用可能なデータを利用して、患者の分析及び健康管理を助けるための、検体データと、ユーザの過去、現在、及び将来の動作との間の１つ以上の関係を図示するグラフィック表示を提示することができる。
【０２５６】
図１９Ａ及び１９Ｂは、グラフィック表示１９００Ａ及び１９００Ｂが、履歴、現在、及び予測される検体値に基づくインスリンデータ及び検体データの１つ以上の関係を示す視覚表現を含む実施形態による、データのデータ構造及び配列から生成される、修正されたグラフィック表示１９００Ａ及び１９００Ｂを例証する。修正されたグラフィック表示１９００Ａは、検体傾向グラフ１９０２を含み得る。水平軸上に、時間が表され、垂直軸上に、検体データの大きさが表される。グラフィック表示１９００Ａは、検体データ１９１２の現在の値を含み得る。グラフィック表示１９００Ａは、動作に基づく予測傾向グラフであり得、ユーザの動作に基づく１つ以上の予測グラフ線１９０４、１９０６、及び１９０８を含み得る。これらの動作は、例えば、食べること、運動すること、または動作を行わないことを含み得る。予測グラフ線１９０４、１９０６、及び１９０８は、ユーザがすでに行った動作に基づき得るか、またはユーザが検討している動作に基づき得る。代替的に、予測は、グラフィック表示１９００Ｂに例証されるような範囲１９１０として図示され得る。１つ以上の信頼度パラメータ、基礎となる予測アルゴリズムに応じて、グラフィック表示１９００Ａ及び１９００Ｂは、ハリケーン推定経路視覚表現化と同様の一般的な範囲予測として表示され得、またはグラフィック表示１９００Ａ及び１９００Ｂは、単一もしくは複数の線として表示され得る。グラフィック表示１９００Ａ及び１９００Ｂは、予測の確実度または信頼度と関連するパラメータに対応するＳＲＤＳにおけるフラグに基づいて、上に記載されるようなプロセス１３１０に従って修正され得る。修正は、１つ以上の確実度パラメータが低下する予測範囲をフェードアウトすることを含む場合がある。予測のグラフィック表示は、ユーザの動作と検体データに対するそれらの可能性のある効果との関係を視覚表現的に伝達し、それによって治療の意思決定を行う際の患者のストレスを軽減し得る。
【０２５７】
別の実装では、予測ボーラス計算器を使用して、受容体における検体値の将来の傾向に対するボーラスの投与の効果をユーザに視覚表現的に知らせることができる。図２０は、修正されたグラフィック表示２００２、２００４、及び２００６を含み得、推奨された（または、意図された）ボーラスの量が、グラフィック表示２００８によって表される。グラフィック表示２０１０は、検体データの現在の値及び検体データの将来の傾向の指標を図示し得る。グラフィック表示２００８とのユーザ相互作用を通して、またはシステム３０２の開始動作によって、グラフィック表示２００８及び２０１０は、相互作用することができる。グラフィック表示２０１０は、受容体における検体値の将来の傾向に対するボーラスの推奨された（または、意図された）量の効果に基づいて修正され得る。修正後、グラフィック表示２０１２は、推奨された（または、意図された）ボーラスの投与から生じる検体値の予測される傾向を図示し得る。グラフィック表示２００６では、グラフィック表示２０１４及び２０１６は、それぞれ、それらの以前の形状２００８及び２０１０に復元され得る。
【０２５８】
図２１は、ユーザの動作データのスクロール可能なリスト及び将来の検体価値の傾向が図示されている実施形態による、修正されたグラフィック表示２１００を例証する。いくつかの実装では、ユーザは、イベント（例えば、食事、ボーラス、運動、ストレス等を含む、ユーザが行った動作）の追加を可能にするためのボタン２１０２を含むグラフィックインターフェースモジュールをユーザに提供し得る。システム３０２は、現在の時間もしくは最近の時間枠に対する、入力されたイベント（例えば、食事イベント２１０４もしくは食事＋運動イベント２１０６）のスクロール可能なリスト図、及びイベント時間後の期間に対する検体傾向値２１０８及び２１１０の１つ以上のスナップショットを表示するように、修正されたグラフィック表示を生成し得る。ユーザは、自身の動作（入力されたイベント）と自身の検体レベルとの間の因果関係を視覚表現化し得る。ユーザの臨床チームは、パターンを認識し、それに応じて反応して、ユーザの健康をより良く管理することができる。任意選択的に、いくつかの実装では、アルゴリズムを使用して、将来の検体データの１つ以上の傾向を判定するために、検体データのパターンに従って、複数のイベントを推定もしくは自動的に示唆及び／もしくはリンクすることができる。
【０２５９】
図２２は、単純化されたディスプレイ２２００における多数の複雑な変数間の関係を図示する修正されたグラフィック表示を例証する。糖尿病患者は、多数の複雑な変数を検討し、かつ自身の糖尿病管理についての意思決定を行う際にそれらの関係を検討しなければならないことが多い。修正されたグラフィック表示２２００は、糖尿病患者の意思決定を知らせる複雑な多数の変数を分析することと関連付けられた精神的プロセスを単純化する。いくつかの実装では、現在の検体値を、高い閾値及び低い検体閾値と比較し、検体スコアを生成することができる。残存インスリン量を、高残存インスリン閾値及び低残存インスリン閾値と比較し、ＩＯＢスコアを生成することができる。インスリン状態スコアは、検体スコアとＩＯＢスコアとを乗算することによって生成され得る。いくつかの実装では、他の糖尿病パラメータを分析することができ、各々に対するスコアを判定することができる。スコアは、追加の乗数としてインスリン状態スコアの一部になり得る。これらの糖尿病パラメータスコアは、例えば、検体傾向スコア、ＧＰＳの位置に基づくスコア（例えば、過去のデータが検体値に対する位置の影響を示し得るバーもしくはレストランもしくは物理的な場所）、食品関連スコア、身体運動スコア、及び他を含み得る。
【０２６０】
インスリン状態スコアは、ランク付され、ランク付けされたスコアに基づいて分類され得る。いくつかの実装では、インスリン状態スコアの３つのカテゴリは、単に、良好（患者が糖尿病パラメータに関する限り良好な状態であることを示す）、注意（患者は注意深く進み、糖尿病パラメータをモニタリングし続け、適切な意思決定を行うべきであることを示す）、及び悪い（状況を改善するために是正処置が必要であり得ることを示す）である可能性がある。表示視覚表現２２００は、３つの円２２０２、２２０４、及び２２０６を含む、交通信号と同様の視覚表現的挙動を含み得る。各円は、他の円とは異なる色、陰影、または勾配で充填され得る。ランク付けされたインスリンスコアに応じて、交通信号２２００における陰影のうちの１つを、交通信号の動作と同様に、より目立つように図示することができる。例えば、信号機２２００における円２２０６内の陰影は、良好な状態を示し得、交通信号２２００における円２２０４内の陰影は、注意を示し得、交通信号２２００における円２２０２内の陰影は、悪い状態を示し得る。
【０２６１】
いくつかの実装では、先読みモジュールは、インスリン、運動（強度、種類等）、食物摂取量（組成、量等）、ストレス、または糖尿病患者の健康管理及びグルコース値に影響を与える他のパラメータの現在の量もしくは種類に関連するデータを、ユーザが選択的に増加もしくは減少させることを可能にする。例えば、ユーザは、タッチ画面上でスライド動作を使用し得るか、または別様に、入力された現在もしくは将来のイベント、活動もしくはグルコース関連パラメータにおける増加もしくは減少を示し得、かつ実時間でのグルコース傾向グラフに対する投陰効果を見ることができる。予測された効果は、患者の母群及びそれらのグルコース関連データに基づくモデルを使用して生成され得、かつ／または特定のユーザについての経時的な機械学習に基づき得る。先読みモジュールは、グルコース値に対する要因の組み合わせの累積効果に基づいて予測を観察することによって、ユーザがより良い糖尿病関連の意思決定を行うのを助ける。例えば、患者は、現在のグルコース値１００ｍｇ／ｄＬを観察して、スナックを食べるか、走りに行くか、または少用量のインスリンを摂取することを熟考することができる。先読みモジュールは、適切なグルコース制御のための望ましい組み合わせを見つけるために、スナックサイズ／内容、運動の種類、持続時間または強度、ならびにインスリン用量の種類及びサイズを用いてユーザが遊ぶことを可能にするだろう。先読みモジュールは、他のデバイスと組み合わせて稼働し得る。例えば、Ａｐｐｌｅ  Ｗａｔｃｈ上のＴｉｍｅ  Ｔｒａｖｅｌが、予測をトリガし得る。
【０２６２】
図２３は、ユーザの糖尿病関連データについての情報を効率的に提供する、修正されたグラフィック表示２３００の例を例証する。図２３は、検体傾向曲線２３０８の下の１つ以上の陰影付き領域２３１０及び２３１２を使用することによって、高い閾値及び低い閾値２３０４及び２３０６以外の逸脱が視覚表現的に区別される、グルコース傾向表示２３０２を例証する。異なる陰影、及び色が使用される場合、異なる色を使用して、高い閾値２３０４を超過する逸脱と、低い閾値２３０６を下回る逸脱とを区別し得る。
【０２６３】
いくつかの実装では、検体値２３０８の傾向グラフの代わりに、またはそれに加えて、現在及び将来の検体値２３１４のより単純なグラフィック表現を図示し得る。例えば、検体値における現在の検体値２３１６及び将来の傾向の予測のグラフィック２３１８の数値表示を図示し得る。いくつかの実装では、グラフィック２３１４は、涙滴の形状であり得る。予測を示すグラフィックは、三角形２３１８であり得る。三角形２３１８が指している方向または配向は、将来の検体値の予測に対応し得る。例えば、上方の方向を急に指している三角形２３１８は、検体の濃度における差し迫った上昇の予測を示し得る。上方の方向を適度に指している三角形２３１８は、検体の濃度の中程度の上昇の予測を示し得る。水平方向を指している三角形２３１８は、検体の濃度における有意な変化はないことを予測することを示し得る。適度に下方を指している三角形２３１８は、検体の濃度における適度な低下の予測を示し得る。急に下方を指している三角形２３１８は、検体の濃度における有意なまたは著しい低下の予測を示し得る。三角形２３１８の方向と検体の濃度の予測との間の、同じまたは同様の相関もまた、当業者によって想定され得る。
【０２６４】
検体傾向表示２３０４は、ユーザによって選択されるか、もしくはシステム３０２によって自動的に選択される、２４時間の期間もしくは他の時間間隔にわたって検体濃度値を伝達し得る。検体濃度値対時間の大きさの折れ線グラフを利用して、検体傾向グラフ２３２０を生成し得る。傾向グラフ２３２０は、高い閾値２３２１及び低い閾値２３２２と関連して図示され得る。高い閾値２３２１を超過する逸脱は、傾向グラフ２３２０と高い閾値線２３２１との間の曲線の下の領域を陰影付けすることによって図示され得る。ディスプレイ２３０４では、曲線の下の領域の超過する閾値の陰影の例は、領域２３２４及び２３２６を含む。低い閾値線２３２２を下回る逸脱は、傾向グラフ２３２０と低い閾値線２３２２との間の曲線の下の領域を陰影付けすることによって図示され得る。ディスプレイ２３０４では、曲線の下の領域の下回る閾値の陰影の例は、領域２３２８及び２３３０を含む。
【０２６５】
相互作用型ＵＩ表示
グルコース、インスリン、または糖尿病関連データを図示するいくつかのグラフィック表示は、科学的に見えるグラフィック及びディスプレイでは過度に混乱している可能性がある。本発明の技術は、優しく、整然とした、理解が簡単な修正されたグラフィック表示を想定している。
【０２６６】
図２４Ａは、ユーザがより詳細を見ることを望むときに、縮小可能な設計レイアウトが利用される、修正されたグラフィック表示を例証する。ユーザは、１つ以上の修正されたグラフィック表示を、必要に応じて一度に１回または一度に表示することができる。例えば、修正されたグラフィック表示２４０２は、３時間の検体傾向グラフ２４１０を拡大図で、ＩＯＢデータ２４１２を縮小図で、図示する。ユーザは、縮小されたＩＯＢ図２４１２をクリックまたはタッチして、修正されたディスプレイ２４０４において拡張されたＩＯＢ図２４１４を得ることができる。ユーザは、拡張された検体傾向グラフ２４１０をクリックもしくはタッチして、修正されたディスプレイ２４０６における縮小図２４１６を、もしくは修正されたディスプレイ２４０８における縮小図２４２０を、得ることができる。データのいくつかの図示は、複数の理解しやすいフォーマットで同じデータを図示するために、様々な表示形態を繰り返し得る。例えば、ユーザは、拡張されたＩＯＢ図２４１４をクリックして、修正されたグラフィック表示２４０８に示されるようなＩＯＢデータの異なるグラフィック表現２４１８を得ることができる。その後のユーザのクリックまたはタッチは、修正されたディスプレイ２４０２に示されるように、ＩＯＢ図２４１８をＩＯＢ図２４１２に戻して縮小することができる。
【０２６７】
図２４Ｂ及び２４Ｃは、開示された方法及びシステムの実施形態により生成及び修正され得るグラフィックを提示する、表示画面を例証する。図２４Ｂに示す例では、表示画面２４２２、２４２４、２４２６、及び２４２８は、現在のグルコース２４３０、グルコース傾向グラフ２４３４、または他の健康関連情報中の残存インスリン２４３２情報を提示する、例示的なグラフィック表示を含む。ディスプレイ２４２２の特徴は、ユーザ相互作用がユーザ入力（例えば、ディスプレイの特定のグラフィック特徴のタッチを通して）を受信し、選択される特徴に基づいて追加情報を生成することを可能にする。例えば、ユーザがＩＯＢ特徴２４３２を選択すべき場合、ディスプレイ２４２２は、ディスプレイ２４２８を生成するように修正することができ、ディスプレイ２４２８は、残存インスリンがどのようなものであり、どのような意味であるか、例えば、ユーザの現在のグルコース情報のコンテキスト内にあり得るかについての説明的な情報を含む、ＩＯＢデータの向上された図を提示する（例えば、いくつかの実装では異なってフォーマットされ、かつ／またはいくつかの実装では、拡大される）だろう。図２４Ｃに示す例では、グラフィック表示を含む表示画面は、ソフトウェアアプリケーションアイコン（例えば、アイコン２４３６）及び／またはモバイルコンピューティングデバイスの動作システムのイベントもしくは通知表示画面２４３８を介して動作可能であり得る。
【０２６８】
本発明の技術の修正されたグラフィック表示は、アニメーションを利用して、情報をより良く伝達することができる。いくつかの実装では、脈動及び点滅を含む様々なアニメーションを、上に記載されるようなグラフィック表示と組み合わせて使用することができる。図２５は、アニメーションを使用して、健康関連情報を伝達することができる、修正されたグラフィック表示を例証する。様々な速度及びスピードの脈動または点滅を使用して、異なる情報を伝達し得る。例えば、心拍のパターンでの脈動は、修正されたグラフィック表示が生のデータを図示していることを示し得る。このようなアニメーションを利用することにより、より動的で生き生きとした人間のような光の中にグラフィック表示を提示することができ、それによりグラフィック表示の誤解に起因するユーザエラーの可能性を排除または低減することができる。いくつかの実装では、マジックガラス２５０２を含む修正されたグラフィック表示における矢印（グルコース値の将来の傾向を指している円の円周内に小矢印を有する円の中心における現在のグルコース濃度値の数値）は、情報を示すために異なる速度のスピードで脈動し得る。例えば、高い速度での脈動は、緊急度を示し得る。いくつかの実装では、グルコース傾向グラフ２５０４、２５０６、及び２５０８上の様々な点は、追加情報を示す異なる速度で脈動し得る。例えば、傾向グラフ２５０４上の最新の点２５１０は、現在の値を示すように脈動し得る。脈動は、例えば、ユーザが睡眠中である夜に、より遅い速度で脈動する等、異なる時刻では異なっている可能性がある。グラフィック表示をアニメーションで修正することで、システムが稼働しており、モニタリングが最新であることをユーザに再確認させることもできる。代替的に、アニメーションの欠如は、システムがオフラインであることをユーザに示す可能性があるか、または例証されたデータが、古くなっている場合がある。
【０２６９】
修正されたグラフィック表示がユーザからのパーソナライズされたカスタマイズを含む場合、ユーザは、関心と注意を持って、修正されたグラフィック表示と相互作用する可能性がより高い。図２６は、ユーザが選択したテーマにおけるユーザの健康データを例証するために、グラフィック表示のうちの１つ以上の背景画像をユーザがカスタマイズすることができる、修正されたグラフィック表示２６０２、２６０４、２６０６、及び２６０８を例証する。ディスプレイ２６０２内の背景は、スターウォーズ（登録商標）のテーマの背景にカスタマイズされている。ディスプレイ２６０４内の背景は、自然、宗教、または動機付けのテーマにカスタマイズされている。ディスプレイ２６０６の背景は、ＳＡＴ試験の研究を反映または支援するように修正されている。ディスプレイ２６０８の背景は、レトロなルックアンドフィールを反映するようにカスタマイズされている。ＳＲＤＳは、カスタマイズされた背景画像または他のユーザのカスタマイズを用いて生成され得る。上に記載されるようなグラフィック表示のうちの１つ以上が修正されると、カスタマイズされた背景画像またはユーザの選択されたテーマを、修正されたグラフィック表示内に組み込み、かつユーザに提示することができる。
【０２７０】
ユーザがシステム内にデータを入力する能力を改善するために、様々なグラフィックユーザ入力インターフェースを使用し得る。いくつかの実装では、数値キーパッドを示すグラフィック２７０２を使用し得る。図２７は、ユーザがスクロールホイール２７０４を使用して、かつスクロールホイール２７０４と相互作用するジェスチャによって、数値データをシステム３０２内に入力することを可能にする、修正されたグラフィック表示を例証する。スクロールホイール２７０４は、許容可能な数値範囲のみを繰り返すようにプログラムされ得る。スクロールホイール２７０４上で時計回り方向２７０６にその指を動かすと、入力された数値を増加させることができ、スクロールホイール２７０４上で反時計回り２７０８にその指を動かすと、入力された数値を減少させることができる。
【０２７１】
複数の検体センサシステム３０８またはディスプレイ３１０が存在する家庭では、ユーザは、自身のそれぞれのデバイスを識別することができる必要がある。現在使用されているいくつかの糖尿病モニタリング及び管理システムは、異なるユニット間を区別するために異なる色付けされたケースを使用するようにその家庭に要求する以外に、視覚表現的支援を提供していない。本発明の技術は、収集された検体、グルコース、またはインスリンデータの源の指標が適切なＳＲＤＳにおいて生成され、かつフラグが立てられ得、その後、上に記載される修正されたグラフィック表示のうちの１つ以上の一部として組み込まれ、正しいユーザに提示される、修正されたグラフィック表示を可能にし得る。図２８は、ユーザのイニシャルをディスプレイに組み込んで、検体データの源を識別する、例示的な修正されたディスプレイを例証する。
【０２７２】
いくつかの実装では、新しい受信器または新しいユーザによって使用される受信器のためのセットアップ手順の一部として、ユーザは、イニシャル、画面背景、色テーマ、画面セーバ、アニメーション、または上記の組み合わせ等の固有の識別可能なマークを選択するように求められるだろう。ユーザの選択は、上に記載されるような修正されたグラフィック表示の一部として表示され得る。イニシャル、例えば、図２８の修正されたディスプレイ２８０２におけるイニシャル２８０４が選択される場合、イニシャル２８０４は、画面２８０２のコーナーに、または修正されたディスプレイ２８０８の状態バー２８０６に、表示され得る。画面が修正されたグラフィック表示を表示していない場合、画面セーバを適用することができる。選択されるテーマは、ＳＲＤＳにおいてフラグを立てて、上に記載されるような修正されたグラフィック表示を生成するときに、エンティティのフォント、背景等に適用され得る。選択されるアニメーションはまた、上に記載されるような修正されたグラフィック表示を生成するときに表示されるように、ＳＲＤＳにおいてフラグを立てて、かつ参照することもできる。
【０２７３】
ＳＲＤＳから生成された他の例示的なグラフィック表示
図２９は、ユーザの健康状態が望ましくない状態に近づくと予測されたときに、グラフィック表示２９００が自動的に修正され得る、一実施形態による修正されたグラフィック表示２９００を例証する。糖尿病管理のコンテキストでは、例えば、ユーザからのＣＧＭの読み取りは、ユーザが、アラートが生成され得る高血糖または低血糖状態に近づいていることを示し得る。高血糖または低血糖等の望ましくない健康状態は、検体濃度値の大きさが高血糖値閾値を超過するか、または低血糖値閾値を下回る場合に検出され得る。検体濃度値が高い閾値を超過するか、または低い閾値を下回ると、アラーム状態がトリガさ得る。アラーム状態を生成することができる高い閾値及び低い閾値は、ユーザ定義であってもよく、患者の支援チームのメンバによって定義されてもよく、またはユーザのデータ、プロファイル、習慣、過去のグルコース傾向値、もしくは糖尿病の管理と関連する他のパラメータに基づいて、システム３０２によって自動的に定義されてもよい。グラフィック表示２９００は最初に生成され、先に定義されたまたはデフォルトの高い閾値線２９０８及び低い閾値線２９０６と関連するマジックガラス２９０２及びグルコース傾向グラフ２９０４等の糖尿病健康管理データを伝達し得る。場合によっては、先に定義されたアラーム閾値は、ユーザに通知されるまでに時間がかかりすぎる場合がある。例えば、先に定義されたアラーム閾値は、古いか、またはもはや適用できないユーザの健康データに基づいている可能性がある。このような場合、ユーザは、潜在的に、重篤な状態に近づき、ユーザに通知される前に健康に悪い結果をもたらす可能性がある。ユーザが直ちに是正措置を取ることを奨励するためには、アラーム状態にリンクされた関連閾値を自動的に修正して、１つ以上のアラームを適宜に生成することが望ましい。いくつかの実施形態では、システム３０２は、検体値の濃度が高い閾値または低い閾値に近づいている速度を判定し、かつ検体濃度値が閾値に到達し得る時間を判定することができる。判定された時間が所定の安全時間以下である場合、システム３０２は、アラーム状態にリンクされた閾値を、ユーザの先に設定された値から現在の検体値に自動的に修正して、即座にアラーム状態をトリガし、ユーザに通知し、かつ是正措置を促し得る。
【０２７４】
例えば、血糖値が７０ｍｇ／ｄＬ以上低下した場合に対応する、ユーザの血糖値が低い閾値２９０６を下回った場合に、低血糖アラーム状態が、アラームをトリガするように予め設定され得る。グラフィック表示２９００は、検体傾向グラフ２９０４及び低い閾値線２９０６、ならびにマジックガラス２９０２のような他の関連する糖尿病管理データを図示するように生成される。血糖読み取り値及びユーザの状態に関して得られた他のデータは、システム３０２が、先に設定されたアラーム状態の修正が望ましいことを予測することを可能にし得る。例えば、ユーザ検体測定値及びイベントデータは、ユーザの血糖値が現在１１０ｍｇ／ｄＬであり、毎分２ｍｇ／ｄＬの速度で低下していることを示唆し得る。この速度で、ユーザの血糖値は、約２０分で７０ｍｇ／ｄＬのアラームレベルに到達し得る。場合によっては、２０分間の是正措置を延期することが、望ましくないか、または安全ではない場合がある。例えば、検体濃度値が不健康な範囲に到達する前に、効果的に是正処置を取り、結果を実現するために、２０分以上の安全時間が必要とされる場合がある。システム３０２は、ユーザが安全時間よりも短い時間で閾値に到達すると判定すると、アラーム状態にリンクされた既存の閾値を上書きし、アラーム状態をトリガし、かつ直ちにユーザに通知し得る。システム３０２は、低い閾値レベル２９０６を、１１０ｍｇ／ｄＬの現在の血糖値に対応する新たな低い閾値レベル２９１０まで上昇させるために、上に記載されるようにグラフィック表示２９００を修正し得る。直ちにアラームが生成され、ユーザに通知される。ユーザは、重篤な状態を回避するために是正措置を取ることができる。
【０２７５】
グラフィック表示２９００及び閾値２９０６の修正は、注意を引いてユーザになされた変更を通知するための聴覚表現アラーム及び視覚表現的合図を伴い得る。例えば、低い閾値線２９０６は、その新たな位置２９１０まで上方に動くことができ、閾値線の動きは、聴覚表現アラームと、線２９０６のその新たな位置２９１０への点滅または掃引動作と、を伴い得る。矢印２９１２は、動きの方向を指し、点滅、脈動、または別様に変更に対する注意を促し得る。
【０２７６】
図３０は、グラフィック表示３００２、３００４、３００６、３００８、及び３０１０が検体データの範囲を示す視覚表現を含む実施形態による、データ構造及びデータの配列から生成された修正されたグラフィック表示３００２、３００４、３００６、３００８、及び３０１０を例証する。システム３０２は、デフォルトによって、またはユーザ入力を介して自動的に、検体データの濃度の様々な範囲を定義することができる。例えば、検体濃度の標的範囲は、検体濃度値が所望の高い閾値と低い閾値との間の値であるときと定義することができる。注意範囲は、検体濃度値が所望の高い閾値と低い閾値との間の値であるが、短時間で所望の高い閾値を超過し得るか、または所望の低い閾値を下回り得るような、これらの閾値のうちの１つに近い値であるものと定義することができる。標的範囲外は、検体値の濃度が高い閾値を超過したとき、または低い閾値を下回ったときであるものと定義することができる。検体データの範囲を判定するために使用される高い閾値及び低い閾値は、ユーザに同様に配置される他のユーザの匿名データ及び／または検体データに基づいて、編集することができる。目標範囲、注意範囲、及び標的範囲外は、医療機関もしくは医療当局からのガイドラインに基づいて、システム３０２によってユーザが定義もしくは自動的に定義することができる。例えば、標的範囲は、空腹時の血糖値が１００ｍｇ／ｄＬ未満であり、食後２時間の血糖値が１４０ｍｇ／ｄＬ未満であるとして、米国糖尿病学会（ＡＤＡ）のガイドラインから定義することができる。いくつかの実装では、ＡＤＡガイドラインの２０％を超過する検体濃度値は、注意範囲内と検討され得る。例えば、空腹時に８０ｍｇ／ｄＬ未満の検体濃度値は、標的範囲内であると検討され、空腹時に８０ｍｇ／ｄＬ〜１００ｍｇ／ｄＬの検体濃度値は、注意範囲内であると検討され、１００ｍｇ／ｄＬを超過する検体濃度値は、標的範囲外であると検討される。
【０２７７】
グラフィック表示３００２、３００４、３００６、３００８、及び３０１０は、垂直軸上に検体データの大きさを、かつ水平軸上に時間を例証する。グラフィック表示３００２、３００４、３００６、３００８、及び３０１０を生成するとき、検体データの範囲を示すために検体データを修正するために、様々な視覚表現技術を使用することができる。グラフィック表示３００２は、検体濃度値対時間の大きさのグラフの修正されたグラフィック表示を例証し、可変コントラストまたは線スタイルを有する検体データの範囲を例証するために、グラフィックが修正される。他の実装では、色分けを使用して、標的範囲、注意範囲、及び標的範囲外を区別し得る。表示３００２を生成する自己参照データセットは、検体データがその範囲（例えば、標的範囲、注意範囲、及び標的範囲外）の指標によってフラグが立てられる場合に修正され得る。グラフィック表示３００２を生成するとき、各フラグは、線スタイル、コントラスト、厚さ、または他の識別可能な視覚表現インジケータを与えられ得、これらのインジケータに基づいてディスプレイ３００２上に後続のピクセルが生成され得る。例示的な実施形態３００２では、標的範囲内の検体データにフラグを立て、線スタイル３０１２で示すことができる。注意範囲内の検体データは、フラグを立てることができ、それらに対応するフラグは、線スタイル３０１４と関連付けられ得る。標的範囲外の検体値は、フラグを立てることができ、それらの対応するフラグには、線スタイル３０１６を割り当てることができる。記載されるように、色、勾配、他の線スタイル、またはアニメーション等の他の視覚表現的インジケータを使用し得る。注意範囲または標的範囲外と関連付けられた視覚表現的インジケータは、伝達される情報を迅速に引き付け、注意を引き付けるために選択され得る。例えば、より暗いコントラスト線３０１６を使用して、標的範囲外の検体値を示し得る。
【０２７８】
グラフィック表示３００４は、グラフィック表示３００２と同様である。標的範囲内の検体データは、標的検体値内を取り囲む矩形３０１８を介して、さらに表示され得る。注意範囲内の検体値は、スタイル３０２０で陰影付けられた曲線の下の領域で強調表示され得る。標的範囲外の検体値は、スタイル３０２０とは異なるスタイル３０２２で陰影付けられた曲線下の領域で強調表示して、視覚表現的な差を提供し、ユーザの注意を引き付けることができる。
【０２７９】
グラフィック表示３００６は、グラフィック表示３００４と同様である。標的範囲内の検体値は、減算されており、健康上の問題を引き起こす可能性があり、かつ注意と是正措置を必要とする可能性がある、注意範囲及び標的範囲外の検体値を強調表示するようには示されていない。グラフィック表示３００６は、ユーザが注意範囲内の検体値３０２４及び標的範囲外の検体値３０２６を見ることを可能にする
【０２８０】
グラフィック表示３００８及び３０１０は、適応標的領域技術を使用し、これにより、糖尿病の有無にかかわらず発生すると予想される検体データの変形を説明するために、グラフィック表示が修正される。例えば、非糖尿病者は、糖尿病患者のように、食事の消費後の血糖値のピークを経験し得る。例えば、グラフィック表示３００８は、ユーザ及び／またはセンサから得られたイベントデータに基づいて、注意領域３０２８を調節するように修正され得る。このような調節は、不必要にユーザにアラームすることを回避するために望ましい場合がある。例えば、食事イベントが検出された場合、ユーザの血糖値の上昇が、予想され、かつ正常である場合がある。関連する時間枠内の注意範囲３０２８は、例えば、標的検体値内に使用されるのと同じ陰影を有する注意領域３０２８内の曲線の下の領域を陰影付けすることによって、血糖値の予想される上昇を説明するように調節され得る。グラフィック表示３０１０は、ディスプレイ３００８と関連して記載されるものと同じ適応標的領域技術を使用するが、標的範囲内の検体値は、減算されており、かつ注意範囲３０３０内の検体値及び標的範囲外３０３２の検体値をさらに強調表示し、注意を引くために示されていない。
【０２８１】
図３１は、グラフィック表示３１０２、３１０４、３１０６、３１０８、３１１０、及び３１１２が検体モニタリングシステムの状態、ユーザの健康状態、傾向、アラーム、またはユーザの健康に関連する他のデータを示す視覚表現を含む一実施形態による、データ構造及びデータの配列から生成される、修正されたグラフィック表示を例証する。例証されたグラフィック表示は、例えば、反転されたまたは暗い背景３１１４を使用して、コントラストを高め、かつ可読性を改善し得る。更新された現在の検体値の読み取り値３１１６は、例えば、１００ｍｇ／ｄＬ等の数を表示することによって表示され得る。検体傾向インジケータ３１１８は、更新された現在のグルコース３１１６の隣に入れ子に表示され得る。検体傾向インジケータ３１１８は、矢印３１１７の方向が検体データの将来の傾向を示す円３１２２で取り囲まれた矢印３１１７を含む。矢印３１１７を取り囲む円３１２２は、将来の検体値の傾向もしくは方向を示すのに、かつ／もしくは可読性を改善するために背景３１１４とのコントラストを提供するのに適切な陰影スタイルで充填され得る。いくつかの実施形態では、傾向インジケータ３１１８は、円３１２２を取り囲むフェーディングされたリング３１１９を含む。検体データ値の状態及び／もしくは傾向のテキスト説明３１２０は、検体データ３１１６の現在の値の近くもしくはその上に表示され得る（例えば、「範囲内及び定常」）。ディスプレイ３１０２は、検体グラフ３１２４を含み得、検体濃度値の大きさは、水平軸上の垂直軸対時間上に図示される。ドット３１２６は、検体グラフ３１２４上の現在の検体値を示し得る。ドット３１２６は、いくつかの実施形態では、同じ速度で脈動することができ、検体インジケータ３１１８のフェーディングされたリング３１１９と同じスタイルでレンダリングされ得る、フェーディングされたリングによって取り囲まれている。検体グラフ３１２４はまた、望ましい検体濃度値の上方範囲に対応する高い閾値線３１２８を図示する。グラフィック３１２４はまた、望ましい検体濃度値のより低い範囲に対応する低い閾値線３１３０を図示する。
【０２８２】
ディスプレイ３１０４は、ディスプレイ３１０２と同様である。ユーザの現在の血糖値３１１６は、所望の検体濃度値の上方範囲である、２００ｍｇ／ｄＬに到達している。傾向インジケータ３１１８は、検体濃度値の現在の傾向及び特徴傾向を示すように更新されている。矢印３１１７は、適度に上方を指すように更新されている。円３１２２は更新され、円３１２２の陰影スタイルとは異なる陰影スタイル３１３２で充填されて、現在の高い検体濃度値に対する注意を引き付ける。テキスト説明３１２０はまた、検体濃度値が高く上昇していることを示すために、適切なテキストで更新されている。高い閾値線３１２８は、検体濃度の高い現在の値に注意を引き付けるために、線スタイル３１２８とは異なるスタイル３１３４で更新及びレンダリングされている。いくつかの実施形態では、線３１３４の異なるスタイルは、ユーザの注意を引くために、より大きくより高いコントラストスタイルでその線をレンダリングすることを含み得る。ドット３１２６は、ドット３１２６を生成するために使用されたスタイルとは異なるスタイル３１３６で更新及びレンダリングされて、検体濃度の高い値に対するさらなる注意を引き付ける。ドット３１３６及び円３１３２は、同じスタイルでレンダリングすることができ、それらを取り囲むフェーディングされたリングは、高い検体濃度値に対する注意を引き付けるために、同じ速度で脈動することができる。いくつかの実施形態では、高い閾値線３１３４は、ドット３１３６、円３１３２、またはそれらを取り囲むフェーディングされたリングと同じ速度で脈動することができる。
【０２８３】
ディスプレイ３１０６は、ディスプレイ３１０２と同様である。ユーザの現在の血糖値３１１６は、望ましい検体濃度値の下限である、５４ｍｇ／ｄＬに低下している。傾向インジケータ３１１８は、検体濃度値の現在の傾向及び将来の傾向を示すように更新されている。矢印３１１７は、形状を変更し、劇的に下方を指すように更新されている。円３１２２は、円３１２２の陰影スタイルとは異なる陰影スタイル３１３８で更新及び充填されて、現在の検体濃度値に対する注意を引き付ける。テキスト説明３１２０はまた、検体濃度値が低く、迅速に低下し続けることを示す、適切なテキストで更新されている。低い閾値線３１３０は、線スタイル３１３０とは異なるスタイル３１４０で更新及びレンダリングされて、検体濃度の低い現在の値に対する注意を引き付ける。いくつかの実施形態では、線３１４０の異なるスタイルは、注意を引き付けるために、その線をより大きく高コントラストスタイルでレンダリングすることを含み得る。ドット３１２６は、ドット３１２６を生成するために使用されたスタイルとは異なるスタイル３１４２で更新及びレンダリングされて、検体濃度の低い値に対するさらなる注意を引き付ける。ドット３１４２及び円３１３８は、同じスタイルでレンダリングすることができ、それらを取り囲むフェーディングされたリングは、低い検体濃度値に対する注意を引き付けるために、同じ速度で脈動することができる。いくつかの実施形態では、低い閾値線３１４０は、それらを取り囲むドット３１４２、円３１３８、またはフェーディングされたリングと同じ速度で脈動することができる。
【０２８４】
図３１の表示と関連して上に記載されるユーザデータ、数値、閾値、グラフ、及び将来の予測は、例示的なものであり、記載される技術の趣旨から逸脱することなく、他のユーザデータが、異なる表示、テキスト、グラフ、及び／または閾値をトリガし得る。
【０２８５】
上に記載されるように、検体データ値の検体グラフ３１２４は、検体値の大きさが一定期間にわたってプロットされる場所に表示され得る。検体データの現在の値は、脈動グラフィック３１２６、例えば、径方向に段階的にフェーディングする１つまたは２つの同心円を含むグラフィックによって示され得る。検体グラフ３１２４及び検体グラフ３１２４を生成するデータ構造は、現在の検体センサデータに基づいて、動的に更新され得る。ディスプレイ３１０２、３１０４、３１０６、または同様のディスプレイを生成するデータ構造は、健康管理と関連する情報に対するユーザの注意をさらに引き付けるために同期して脈動し得る、１つ以上の脈動アニメーションを表示するように修正され得る。脈動するアニメーションで修正またはレンダリングされ得る表示要素の例は、傾向インジケータ３１１８、現在の検体値ドット３１２６、ならびに閾値線３１２８及び３１３０を含む。
【０２８６】
検体モニタリングシステムの動作と関連する他の状態情報は、修正されたグラフィック表示３１０８、３１１０、及び３１１２を介して伝達され得る。例えば、修正されたグラフィック表示３１０８は、検体センサがウォーミングアップしていることと、センサの準備が整う前にどれだけの時間が残っている可能性があることとを、テキスト３１４４及び３１４６を介して示すことができる。状態バー３１４８は、センサの状態の視覚表現を提供することもできる。グラフィック表示３１１０及び３１１２は、システム３０２の状態を報告する、修正されたグラフィック表示である。例えば、グラフィック表示３１１０は、グルコースセンサからの信号の損失に遭遇する状況を例証する。信号の損失は、テキスト及びグラフィック表示要素３１５０を介して示され得る。検体グラフ３１２４は、もはや現在の検体値ドット３１２６を表示しない。現在の検体濃度３１１６及び検体傾向インジケータ３１１８等の他の情報も、表示されない。テキスト、グラフィック表示、アイコン、及び記号３１５０は、信号損失を示し、ユーザにアラートするために利用される。グラフィック表示３１１２では、センサは検出されず、テキスト、グラフィック記号、及び／またはアイコン３１５２を使用して、検体センサが存在しないことを示し、かつ検体センサを接続するようユーザに促す。
【０２８７】
説明及び例示を容易にするために、いくつかの例では、詳細な説明は、連続的グルコースモニタリング環境の観点から、例示的なシステム及び方法を記載しているが、本発明の範囲は、その特定の環境に限定されるものではないことが理解されるべきであり、当業者であれば、本明細書に記載されるシステム及び方法が様々な形態で具体化され得ることを理解するだろう。したがって、本明細書に開示される任意の構造的及び／または機能的詳細は、システム及び方法を限定するものとして解釈されるべきではなく、むしろ、他の状況において有利であり得る、システム及び方法を実装するための１つ以上の方法を当業者に教示するための代表的な実施形態及び／もしくは配列の属性として提供される。
【０２８８】
例えば、限定するものではないが、記載されるモニタリングシステム及び方法は、１つ以上の検体（例えば、グルコース、乳酸、カリウム、ｐＨ、コレステロール、イソプレン、及び／もしくはヘモグロビン）及び／または受容体及び／または別の当事者の、もしくはそれと関連する、他の血液もしくは体液の濃度を測定するセンサを含み得る。
【０２８９】
例として、限定するものではないが、本明細書に記載されるモニタリングシステム及び方法の実施形態は、指スティック血液サンプリング、血液検体検査ストリップ、非侵襲性センサ、着用可能なモニタ（例えば、スマートブレスレット、スマートウォッチ、スマートリング、スマートネックレスもしくはペンダント、運動モニタ、フィットネルモニタ、健康及び／もしくは医療モニタ、クリップオンモニタ等）、接着性モニタ、スマートテキスタイル及び／もしくは衣服組み込みセンサ、センサを含む靴インサート及び／もしくはインソール、経皮的（すなわち、経皮）センサ、及び／または飲み込まれた、吸入された、もしくは移植可能なセンサを含み得る。
【０２９０】
いくつかの実施形態では、限定するものではないが、モニタリングシステム及び方法は、加速度計、ジャイロスコープ、磁力計、及び／もしくは気圧計を含む慣性測定ユニット；動き、高度、位置、及び／もしくは位置センサ；生体認証センサ；例えば、光心拍モニタ、フォトプレチスモグラム（ＰＰＧ）／パルスオキシメータ、蛍光モニタ、及びカメラを含む光センサ；着用可能な電極；心電図（ＥＫＧもしくはＥＣＧ）、脳波記録法（ＥＥＧ）、及び／もしくは筋電図（ＥＭＧ）センサ；化学センサ；例えば、伸縮、変位、圧力、重量、もしくは衝撃を測定するための可撓性センサ；ガルバノメトリックセンサ、容量センサ、電解センサ、温度／熱センサ、マイクロフォン、振動センサ、超音波センサ、圧電／ピエゾ抵抗センサ、ならびに／または受容体及び／もしくは他の当事者の、もしくはそれに関連する情報を測定するためのトランスデューサ等の、本明細書に記載されるセンサの代わりの、もしくはそれらに加えた他のセンサを含み得る。
【０２９１】
本明細書では、「コンピュータプログラム媒体」及び「コンピュータ使用可能媒体」及び「コンピュータ可読媒体」という用語は、それらの変形と同様に、概して、例えば、主メモリ、保存ユニットインターフェース、取り外し可能な保存媒体、及び／もしくはチャネル等の一時的もしくは非一時的媒体を指す。これら及び他の様々な形態のコンピュータプログラム媒体またはコンピュータ使用可能／可読媒体は、実行のために処理デバイスに１つ以上の命令の１つ以上のシーケンスを担持することに関与し得る。媒体上に具体化されたそのような命令は、概して、「コンピュータプログラムコード」もしくは「コンピュータプログラム製品」もしくは「命令」（コンピュータプログラムもしくは他の群の形態で群化され得る）と称され得る。実行されると、そのような命令は、コンピューティングモジュールまたはそのプロセッサもしくはそれに接続されたプロセッサが、本明細書で考察されるような本開示の特徴もしくは機能を実行することを可能にし得る。
【０２９２】
様々な実施形態が、それらの特定の例示的な特徴を参照して記載されている。しかしながら、添付の特許請求の範囲に記載される様々な実施形態のより広い趣旨及び範囲から逸脱することなく、様々な修正及び変更がそれらに対してなされ得ることは明らかであろう。したがって、明細書及び図は、限定的な意味ではなく例証的な意味とみなされるべきである。
【０２９３】
様々な例示的な実施形態及び実装の観点から上に記載されているが、個々の実施形態のうちの１つ以上において記載される様々な特徴、態様、及び機能は、それらが記載される特定の実施形態へのそれらの適用性において限定されるものではなく、代わりに、そのような実施形態が記載されているかどうか、かつそのような特徴が記載される実施形態の一部であるとして提示されているか否かにかかわらず、本出願の他の実施形態のうちの１つ以上に、単独でもしくは様々な組み合わせで、適用され得ることが理解されるべきである。よって、本出願の広さ及び範囲は、上に記載される例示的な実施形態のいずれによっても限定されるべきではない。
【０２９４】
本出願で使用される用語及びフレーズ、ならびにそれらの変形は、別段明記されない限り、限定ではなく自由に解釈されるべきである。前述の例として、「含む」という用語は、「限定するものではないが含む」等を意味するものと読まれるべきであり、「例」という用語は、考察中の項目の例証的な例を提供するために使用され、その網羅的もしくは限定的なリストではなく、「１つ」または「１つ」という用語は、「少なくとも１つの」、「１つ以上の」等を意味するものと読まれるべきであり、かつ「従来の」、「従来型の」、「通常の」、「標準の」、「既知の」等の形容詞及び同様の意味の用語は、記載された項目を、所与の期間に、もしくは所与の時間に関して利用可能な項目に、制限するものと解釈されるべきではなく、代わりに、現在もしくは将来のいずれかの時間に利用可能もしくは知られ得る、従来の、従来型の、通常の、もしくは標準の技術を包含するように読まれるべきである。同様に、本明細書が当業者に明らかであるか、もしくは知られている技術を指す場合、そのような技術は、現在もしくは将来のいずれかの時間に当業者に明らかであるか、もしくは知られている技術を包含する。
【０２９５】
「１つ以上」、「少なくとも」、「限定されるものではないが」等の広範な語句及びフレーズ、またはいくつかの例における他の同様のフレーズの存在は、そのような広範なフレーズが存在し得ない例において、より狭い場合が意図及び必要とされることを意味するものとは読まれないものとする。「モジュール」という用語の使用は、モジュールの一部として記載もしくは主張される構成要素もしくは機能が、全て共通のパッケージで構成されていることを示唆するものではない。実際、モジュールの様々な構成要素のいずれももしくは全部が、制御論理もしくは他の構成要素であるにかかわらず、単一のパッケージで組み合わされてもよく、または別々に維持されてもよく、さらに複数の群もしくはパッケージに、または複数の場所に分散されてもよい。
【０２９６】
さらに、本明細書に記載される様々な実施形態は、例示的なブロック図、フローチャート、及び他の例証の観点から記載されている。本明細書を読んだ後に当業者に明らかになるように、例証された実施形態及びそれらの様々な代替物は、例証された実施例に限定されることなく、実装され得る。例えば、ブロック図及びそれらに付随する説明は、特定のアーキテクチャまたは構成を必要とすると解釈されるべきではない。
【符号の説明】
【０２９７】
８  検体センサシステム
１０  検体センサ
１２  センサ電子機器モジュール
１００  システム
１１０  検体表示デバイス
１２０  携帯電話
１３０  タブレット
１４０  スマート時計
１１２、１２２、１３２、１４２  タッチ画面ディスプレイ
１３４  サーバシステム
１３６  医療デバイス
１３８  無線アクセスポイント
２００  筐体
２０８  接着パッド
２１４  装着ユニット
２３４  ベース
２３６  接触子サブアセンブリ
２３８  接触子
２４８  ヒンジ
３００  システム
３０２  システム
３０５  通信媒体
３０８  検体センサシステム
３１０  表示デバイス
３１５、３５５  接続インターフェース
３２０、３６０  送受信器
３２５、３６５  保存装置
３３０  検体センサアプリケーション
３３４  サーバシステム
３３４ａ  サーバ
３３４ｂ  保存装置
３３４ｃ  プロセッサ
３３５、３８０  プロセッサ／マイクロプロセッサ
３４０  グラフィックユーザインターフェース
３４５  ディスプレイ
３５０、３８５  実時間クロック
３７０  センサ測定回路
３７５  センサ
【図１Ａ】
2019532682.tif 000003
【図１Ｂ】
2019532682.tif 000004
【図２Ａ】
2019532682.tif 000005
【図２Ｂ】
2019532682.tif 000006
【図３Ａ】
2019532682.tif 000007
【図３Ｂ】
2019532682.tif 000008
【図４Ａ】
2019532682.tif 000009
【図４Ｂ】
2019532682.tif 000010
【図５】
2019532682.tif 000011
【図６】
2019532682.tif 000012
【図７】
2019532682.tif 000013
【図８】
2019532682.tif 000014
【図９】
2019532682.tif 000015
【図１０】
2019532682.tif 000016
【図１１】
2019532682.tif 000017
【図１２】
2019532682.tif 000018
【図１３Ａ】
2019532682.tif 000019
【図１３Ｂ】
2019532682.tif 000020
【図１３Ｃ】
2019532682.tif 000021
【図１３Ｄ】
2019532682.tif 000022
【図１４】
2019532682.tif 000023
【図１５】
2019532682.tif 000024
【図１６】
2019532682.tif 000025
【図１７】
2019532682.tif 000026
【図１８】
2019532682.tif 000027
【図１９Ａ】
2019532682.tif 000028
【図１９Ｂ】
2019532682.tif 000029
【図２０】
2019532682.tif 000030
【図２１】
2019532682.tif 000031
【図２２】
2019532682.tif 000032
【図２３】
2019532682.tif 000033
【図２４Ａ】
2019532682.tif 000034
【図２４Ｂ】
2019532682.tif 000035
【図２４Ｃ】
2019532682.tif 000036
【図２５】
2019532682.tif 000037
【図２６】
2019532682.tif 000038
【図２７】
2019532682.tif 000039
【図２８】
2019532682.tif 000040
【図２９】
2019532682.tif 000041
【図３０】
2019532682.tif 000042
【図３１】
2019532682.tif 000043
【手続補正書】
【提出日】平成31年2月13日(2019.2.13)
【手続補正１】
【補正対象書類名】特許請求の範囲
【補正対象項目名】全文
【補正方法】変更
【補正の内容】
【特許請求の範囲】
【請求項１】
システムであって、
受容体の検体測定値を得るように構成された連続的検体センサと、
前記連続的検体センサから前記検体測定値を受信することと、前記検体測定値を少なくとも部分的に処理して、検体データの１つ以上のデータセットを生成することと、を行うように構成された無線送信器であって、各データセットが、前記検体測定値のうちの１つ以上に対する時間と関連付けられた検体濃度値を含み、前記無線送信器が、エネルギー保存ユニット、データ変換器ユニット、処理ユニット、及び送信器ユニットを備える、無線送信器と、
前記無線送信器と無線通信するモバイルコンピューティングデバイス上で動作可能な検体データ処理モジュールであって、前記検体データ処理モジュールが、前記無線送信器からの前記１つ以上のデータセットを受信及び処理して、前記モバイルコンピューティングデバイス上にグラフィック表示を生成するように構成されており、前記グラフィック表示が、検体データにおける１つ以上のパターンを示すようにグラフィック的に修正された複数の時間間隔にわたる前記検体濃度値の配列を含む、検体データ処理モジュールと、を備える、システム。
【請求項２】
前記検体データ処理モジュールが、
検体データ群を集約することと、
１つ以上のグラフィック表示に対応する追加情報に基づいて、前記検体データ群にフラグを立てることと、
検体濃度値のフラグを立てた群を配列させることと、
検体濃度値の配列された群から自己参照データセットを生成することと、を行うように、さらに構成されている、請求項１に記載のシステム。
【請求項３】
前記自己参照データセットの生成が、
前記受容体における検体の１つ以上の高い閾値及び低い閾値に基づいて、前記検体データにフラグを立てることと、
前記検体データの統計分析を実行することに基づいて、前記検体データにフラグを立てることと、
前記検体データが得られたときと関連するコンテキストデータに基づいて、前記検体データにフラグを立てることと、のうちの１つ以上をさらに含む、請求項２に記載のシステム。
【請求項４】
コンテキストデータが、検体データが得られた１つ以上の物理的位置、前記受容体と前記物理的位置との間の関係、前記物理的位置を訪れる頻度、摂取した食事、運動の種類及び強度、投与されたインスリンの種類及び量、ならびに前記検体データが得られたときに前記受容体が睡眠中または覚醒中である可能性を示すデータを含む、請求項３に記載のシステム。
【請求項５】
前記検体データ処理モジュールが、
ユーザの所望のグラフィック表示を含む前記ユーザの入力を受信することと、
表示構成データを受信することと、
前記自己参照データセットが前記所望のグラフィック表示を形成するためのデータを含まないときに、前記自己参照データセットを再生成することと、
前記ユーザの入力及び前記表示構成データに基づいて、前記自己参照データセットを再フォーマットすることと、によって、前記モバイルコンピューティングデバイス上にグラフィック表示を生成するようにさらに構成されている、請求項２〜４のいずれかに記載のシステム。
【請求項６】
前記検体データ処理モジュールが、
閾値フラグについて前記自己参照データセットを走査し、閾値フラグに基づいて、前記グラフィック表示を修正することと、
統計分析フラグについて前記自己参照データセットを走査し、統計分析フラグに基づいて、前記グラフィック表示を修正することと、
検体のコンテキストデータフラグについて前記自己参照データセットを走査し、コンテキストデータフラグに基づいて、前記グラフィック表示を修正することと、によって、前記グラフィック表示を修正するようにさらに構成されている、請求項２〜５のいずれかに記載のシステム。
【請求項７】
前記グラフィック表示を修正することが、色、色もしくは陰影の勾配、透明度、不透明度、緩衝領域、グラフィックアイコン、矢印、アニメーション、テキスト、数字、または段階的フェーディングのうちの１つ以上を導入もしくは使用することを含む、請求項２〜６のいずれかに記載のシステム。
【請求項８】
前記配列が、前記検体濃度値が第１の時間スケールに従って第１の方向に沿って、かつ第２の時間スケールに従って第２の方向に沿って位置付けられている前記検体濃度値の、空間時間的編成を含み、前記検体濃度値の検体レベルが、前記検体レベルの大きさに基づいて、形状、色、陰影、またはサイズのうちの１つ以上によって構成される、請求項１に記載のシステム。
【請求項９】
前記第１の方向及び前記第２の方向が、直線方向である、請求項８に記載のシステム。
【請求項１０】
前記第１の方向が、湾曲方向であり、前記第２の方向が、径方向である、請求項８に記載のシステム。
【請求項１１】
前記第１の時間スケールが、毎時であり、前記第２の時間スケールが、毎日である、請求項８〜１０のいずれかに記載のシステム。
【請求項１２】
前記第１の時間スケールが、毎時であり、前記第２の時間スケールが、毎日であり、グラフィック修正が、より高い検体レベルが前記グラフィック表示の外側湾曲領域により近く、より低い検体レベルが前記グラフィック表示の内側湾曲領域により近いか、またはその逆であるように、前記グラフィック表示上に重ねられた検体レベルトレースを含む、請求項８に記載のシステム。
【請求項１３】
前記より高い検体レベルが、第１の色であり、前記より低い検体レベルが、第２の色であり、前記より高い検体レベルと前記より低い検体レベルとの間の検体レベルが、第３の色である、請求項１２に記載のシステム。
【請求項１４】
前記検体レベルトレースが、毎日の検体濃度値の平均検体レベルを含む、請求項１２に記載のシステム。
【請求項１５】
前記検体レベルトレースが、毎時の時間スケールにわたる現在の検体レベルを含む、請求項１２に記載のシステム。
【請求項１６】
前記グラフィック表示の前記修正が、色のクラスタリング、色もしくは陰影の勾配、領域の整列、または重複領域のより明るいもしくはより暗い陰影を表示して、前記複数の時間間隔にわたって前記検体濃度値の前記配列を修正することを含む、請求項１に記載のシステム。
【請求項１７】
前記１つ以上のパターンが、前記受容体についての高検体レベル閾値及び低検体レベル閾値に関する前記検体濃度値を示す、請求項１に記載のシステム。
【請求項１８】
前記複数の時間間隔が、７日間にわたる２４時間の期間を含む、請求項１に記載のシステム。
【請求項１９】
前記グラフィック表示が、７日間にわたる２４時間の期間にわたってプロットされた等尺性グラフを含む、請求項１に記載のシステム。
【請求項２０】
前記等尺性グラフが、３次元図で表示可能である、請求項１９に記載のシステム。
【請求項２１】
前記グラフィック表示が、同心リングを含む、請求項１に記載のシステム。
【請求項２２】
前記グラフィック表示が、扇形のグラフを含む、請求項１に記載のシステム。
【請求項２３】
前記グラフィック表示が、１つ以上の折れ線グラフを含む、請求項１に記載のシステム。 
【手続補正２】
【補正対象書類名】図面
【補正対象項目名】図７
【補正方法】変更
【補正の内容】
【図７】
2019532682.tif 000044
【手続補正３】
【補正対象書類名】図面
【補正対象項目名】図２５
【補正方法】変更
【補正の内容】
【図２５】
2019532682.tif 000045
【手続補正４】
【補正対象書類名】図面
【補正対象項目名】図２８
【補正方法】変更
【補正の内容】
【図２８】
2019532682.tif 000046
【国際調査報告】
2019532682.tif 000047
2019532682.tif 000048